(57)【要約】【課題】本発明は、マガジンを銃にセットするだけで、銃側の発射動作に合わせるようにマガジン側の球状弾送り出し機構を自動的に瞬時に駆動させ、発射された球状弾の発数に見合うだけの球状弾送り出しを行い、発射動作の停止に伴ってマガジン側の球状弾送り出し機構も自動的に停止する、というような、駆動力源を内蔵しないタイプの着脱自在式多弾数高速連射用マガジンを提供することを課題とする。【解決手段】高速連続射撃に瞬時に追従できるだけの球状弾送り出し機構をマガジン側に設け、その球状弾送り出し機構を、玩具銃側が有する駆動力を伝達利用して作動させることにより、高速連続射撃に対応した自動強制給弾を達成する。【選択図】        図８
2006234191.tif 000002
【特許請求の範囲】
【請求項１】
連続発射機能を有する玩具銃に配置されたマガジン駆動部材に接触して、マガジン駆動用出力を受動する受動部材と、マガジン駆動部材から伝達されるマガジン駆動用出力を受動した受動部材の働きによって機能する、球状弾を連続的に送り出す送弾装置とを備えたことを特徴とする、玩具銃用マガジン。
【請求項２】
マガジン内の送弾装置を駆動させる力を伝達する目的の、マガジン駆動部材をマガジン装着部に備えたことを特徴とする、連続発射機能を有する玩具銃。
【請求項３】
マガジン駆動部材が往復運動をおこなう玩具銃に対して使用できるマガジンであって、マガジンに配置された受動部材が、マガジン駆動部材の往復運動（直線状往復運動または円弧状往復運動を含む往復運動）と同じ方向の往復運動（直線状往復運動または円弧状往復運動を含む往復運動）をおこなうように構成されたことを特徴とする、請求項１記載の玩具銃用マガジン。
【請求項４】
マガジン駆動部材が往復運動をおこなう玩具銃に対して使用できるマガジンであって、マガジンに配置された受動部材が、マガジン駆動部材の往復運動（直線状往復運動または円弧状往復運動を含む往復運動）と直交する方向の往復運動（直線状往復運動または円弧状往復運動を含む往復運動）をおこなうように構成されたことを特徴とする、請求項１記載の玩具銃用マガジン。
【請求項５】
受動部材が往復運動（直線状往復運動または円弧状往復運動を含む往復運動）を行うように配置されたマガジンであって、受動部材の往復運動を一定方向の回転運動に変換する機構をマガジン内部に備えたことを特徴とする、請求項１記載の玩具銃用マガジン。
【請求項６】
マガジンに配置された受動部材と送弾装置との間に畜力装置を設け、畜力装置には、畜力の限界に至ったときに働くクラッチ機構を設け、実際の送弾で消費される以上に伝達された余分な駆動力は、その一部が畜力装置に畜力され、畜力能力以上に供給された余分な駆動力はクラッチ機構により消費され、送弾装置の送弾ミスによって発生した球状弾搬送路内の空間を畜力装置の畜力開放によって瞬時に補充することを特徴とする、請求項１記載の玩具銃用マガジン。
【請求項７】
マガジン駆動部材からの駆動力の伝達を受けて、マガジン内で往復運動をおこなう部材にラックギアを設け、そのラックギアに噛み合うように、複数の突起を有するスパーギアを配置して、スパーギアを往復回転運動させて、突起を球状弾に接触させることにより、マガジン内で発生する球状弾のブリッジ現象を解消することを特徴とする、請求項１記載の玩具銃用マガジン。
【請求項８】
マガジン駆動部材からの駆動力の伝達を受けて、マガジン内で往復運動をおこなう部材に複数の突起を設け、突起を球状弾に接触させることにより、マガジン内で発生する球状弾のブリッジ現象を解消することを特徴とする、請求項１記載の玩具銃用マガジン。
【請求項９】
セミオートやフルオートなどの射撃モード切り替えの具合によって、あるいはトリガーから指を離して連射を止めるタイミングの違いによって、マガジン駆動部材の停止位置が必ずしも一定ではない玩具銃に対して使用できるマガジンであって、銃側に配置されたマガジン駆動部材の停止位置が、マガジン側に配置された受動部材の噛み合い初期設定位置からはずれているときに、マガジンの装着をおこなう場合には、マガジン駆動部材に押されて、受動部材が一時的に引っ込む機構を有し、再び連射が始まったときに、マガジン駆動部材と受動部材とが、噛み合い初期設定位置で正常に噛み合うように、受動部材が初期設定位置に復帰するための復帰機構を有することを特徴とする、請求項１記載の玩具銃用マガジン。
【請求項１０】
セミオートやフルオートなどの射撃モード切り替えの具合によって、あるいはトリガーから指を離して連射を止めるタイミングの違いによって、マガジン駆動部材の停止位置が必ずしも一定ではない玩具銃に対して使用できるマガジンであって、銃側に配置されたマガジン駆動部材の停止位置が、マガジン側に配置された受動部材の噛み合い初期設定位置からはずれているときに、マガジンの装着をおこなう場合には、受動部材が有する傾斜形状部とマガジン駆動部材とが押し合うことにより、受動部材が押されて動く機構を有した、受動部材が傾斜形状部を有することを特徴とする、請求項１記載の玩具銃用マガジン。
【請求項１１】
セミオートやフルオートなどの射撃モード切り替えの具合によって、あるいはトリガーから指を離して連射を止めるタイミングの違いによって、マガジン駆動部材の停止位置が必ずしも一定ではない玩具銃に対して使用できるマガジンであって、銃側に配置されたマガジン駆動部材の停止位置が、マガジン側に配置された受動部材の噛み合い初期設定位置からはずれているときに、マガジンの装着をおこなう場合には、受動部材である回転体が、マガジン駆動部材が有する傾斜形状部に接して回転することにより、受動部材が押されて動く機構を有した、受動部材が回転体であることを特徴とする、請求項１記載の玩具銃用マガジン。
【請求項１２】
マガジン側面（球状弾の排出口を配置する面と垂直を成す面）より凸状に露出する受動部材を備えたマガジンであって、マガジンの着脱をおこなう場合には、露出した受動部材の凸状部が、銃側に設けられたマガジン導入壁に当たって、一時的にマガジン内に引っ込む機構を備え、マガジン駆動部材の停止位置が必ずしも一定ではない玩具銃に対しても問題なく使用できることを特徴とする、請求項１記載の玩具銃用マガジン。
【請求項１３】
マガジン駆動部材がラックギアであって、マガジン駆動部材が往復運動をする玩具銃に対して使用できるマガジンであって、受動部材であるスパーギアが、マガジン上方端面（球状弾の排出口を配置する面）に露出していることを特徴とする、請求項１記載の玩具銃用マガジン。
【請求項１４】
マガジン駆動部材が回転運動（または往復回転運動）をするスパーギアである玩具銃に対して使用できるマガジンであって、受動部材であるスパーギアが、マガジン側面（球状弾の排出口を配置する面と垂直を成す面）に露出していることを特徴とする、請求項１記載の玩具銃用マガジン。
【請求項１５】
回転力または往復回転力として、銃側から出力されたマガジン駆動力を、回転軸を有する回転体である受動部材で、回転力のまま受動することを特徴とする、請求項１記載の玩具銃用マガジン。
【請求項１６】
側方下部に球状弾の出口を設けた円筒状の容器の内側に、プロペラと球状弾の分離用ツメとを配置した構造の送弾装置を、マガジン内に配置し、受動部材から伝達された回転運動によって回転する回転軸と、送弾装置の回転軸との間に、畜力装置と、畜力の限界に至ったときに働くクラッチ機構とを備えたことを特徴とする、請求項１記載の玩具銃用マガジン。
【請求項１７】
徐々に間隔が狭くなるテーパー状内壁部によって案内された球状弾を、マガジン内壁部に配置した縦置きスクリューによって搬送路内へと送り出す構造の送弾装置を備え、受動部材と送弾装置との間に、畜力装置と、畜力の限界に至ったときに働くクラッチ機構とを備えたことを特徴とする、請求項１記載の玩具銃用マガジン。
【請求項１８】
徐々に間隔が狭くなるテーパー状内壁部によって案内された球状弾を、マガジン内壁部に配置した横置きスクリューによって搬送路内へと送り出す構造の送弾装置を備え、受動部材と送弾装置との間に、畜力装置と、畜力の限界に至ったときに働くクラッチ機構とを備えたことを特徴とする、請求項１記載の玩具銃用マガジン。
【請求項１９】
マガジン駆動部材がラチェットを回転させるフック部材であって、マガジン駆動部材が往復運動（直線状往復運動または円弧状往復運動を含む往復運動）をする玩具銃に対して使用できるマガジンであって、受動部材がラチェットであることを特徴とする、請求項１記載の玩具銃用マガジン。
【請求項２０】
マガジン駆動部材が一瞬だけ飛び出してくる機構を備えた玩具銃に対して使用できるマガジンであって、マガジン駆動部材の先端部が通過できる窓部を有するマガジンであって、受動部材がマガジンの内部に配置されていて、受動部材がマガジンの外部に凸状に露出しないことを特徴とする、請求項１記載の玩具銃用マガジン。
【請求項２１】
電動エアガンにおいて、ピストン駆動用の回転駆動部材に設けられたカム（またはカムピンあるいは欠歯ギアなど）に影響されながら往復運動を行う部材に連繋して、一体的な往復運動を行うマガジン駆動部材を備えたことを特徴とする、請求項２記載の連続発射機能を有する玩具銃。
【請求項２２】
電動エアガンにおいて、ピストン駆動用の回転駆動部材に設けられたカム（またはカムピンあるいは欠歯ギアなど）に影響されながら往復運動を行う部材に連繋して、その往復運動と直交する往復運動（直線状往復運動または円弧状往復運動を含む往復運動）をするマガジン駆動部材を備えた、運動方向の方向変換機構を備えたことを特徴とする、請求項２記載の連続発射機能を有する玩具銃。
【請求項２３】
電動エアガンにおいて、ピストン駆動用の回転駆動部材に設けられたカム（またはカムピンあるいは欠歯ギアなど）に影響されながら往復運動を行う部材に連繋して畜力をおこなう機構を有し、その畜力を開放することで、マガジン駆動部材を瞬間的に移動させ、慣性を利用して、マガジン駆動力をマガジン側に瞬間的に伝達することを特徴とする、請求項２記載の連続発射機能を有する玩具銃。
【請求項２４】
受動部材が回転ギア部材であるマガジンを使用する電動エアガンにおいて、ピストン駆動用の回転駆動部材に設けられたカム（またはカムピンあるいは欠歯ギアなど）に影響されながら往復運動を行う部材にラックギア部を設けて、そのラックギア部を銃本体側のマガジン駆動部材としたことを特徴とする、請求項２記載の連続発射機能を有する玩具銃。
【請求項２５】
受動部材が回転ギア部材であるマガジンを使用する電動エアガンにおいて、ピストン駆動用の回転駆動部材に設けられたカム（またはカムピンあるいは欠歯ギアなど）に影響されながら往復運動を行う部材にラックギア部を設け、そのラックギア部に噛み合って回転運動を行う回転ギア部材を備え、往復運動を回転運動（または往復回転運動）に変換して、マガジン駆動部材から回転力として出力することを特徴とする、請求項２記載の連続発射機能を有する玩具銃。
【請求項２６】
電動エアガンにおいて、ピストン駆動用の回転駆動部材に設けられたカム（またはカムピンあるいは欠歯ギアなど）に影響されながら往復運動を行う部材と、給弾ノズル部材とが連繋して（または一体的に形成されて）往復運動を行うことを特徴とする、請求項２記載の連続発射機能を有する玩具銃。
【請求項２７】
電動エアガンにおいて、ピストン駆動用の回転駆動部材に設けられたカム（またはカムピンあるいは欠歯ギアなど）に影響されながら往復運動を行う部材と、シリンダーとが連繋して（または一体的に形成されて）往復運動を行うことを特徴とする、請求項２記載の連続発射機能を有する玩具銃。
【請求項２８】
電動エアガンにおいて、ピストン部材とマガジン駆動部材とを一体的に形成して、一体的に往復運動させることを特徴とする、請求項２記載の連続発射機能を有する玩具銃。
【請求項２９】
電動エアガンにおいて、ピストン部材が後退するときにマガジン駆動部材を駆動させることを特徴とする、請求項２記載の連続発射機能を有する玩具銃。
【請求項３０】
電動エアガンにおいて、ピストン部材が前進するときにマガジン駆動部材を駆動させることを特徴とする、請求項２記載の連続発射機能を有する玩具銃。
【請求項３１】
ピストンを駆動させる目的の歯車群を有し、モーターによって駆動されるその歯車群の中の、任意の歯車から動力を取り出し、取り出した動力を利用してマガジン駆動部材を回転運動させ、マガジン駆動力を歯車の回転力として出力することを特徴とする、請求項２記載の連続発射機能を有する玩具銃。
【請求項３２】
セミオートやフルオートなどの射撃モード切り替えの具合によって、あるいはトリガーから指を離して連射を止めるタイミングの違いによって、マガジン駆動部材の停止位置が必ずしも一定ではない玩具銃であって、銃側に配置されたマガジン駆動部材の停止位置が、マガジン側に配置された受動部材の噛み合い初期設定位置からはずれているときに、マガジンの装着をおこなう場合には、マガジン側に配置された受動部材に押されて、マガジン駆動部材が一時的に引っ込む機構を有し、再び連射が始まったときに、マガジン駆動部材と受動部材とが、噛み合い初期設定位置で正常に噛み合うように、マガジン駆動部材が初期設定位置に復帰するための復帰機構を有することを特徴とする、請求項２記載の連続発射機能を有する玩具銃。
【請求項３３】
セミオートやフルオートなどの射撃モード切り替えの具合によって、あるいはトリガーから指を離して連射を止めるタイミングの違いによって、マガジン駆動部材の停止位置が必ずしも一定ではない玩具銃であって、銃側に配置されたマガジン駆動部材の停止位置が、マガジン側に配置された受動部材の噛み合い初期設定位置からはずれているときに、マガジンの装着をおこなう場合には、マガジン駆動部材である回転体が、受動部材が有する傾斜形状部に接して回転することにより、受動部材を押して動かすことができる、マガジン駆動部材が回転体であることを特徴とする、請求項２記載の連続発射機能を有する玩具銃。
【請求項３４】
マガジン駆動部材が往復運動をおこなう玩具銃であって、マガジン駆動部材が傾斜形状部を有することを特徴とする、請求項２記載の連続発射機能を有する玩具銃。
【請求項３５】
電動エアガンにおいて、ピストン駆動用の回転駆動部材に設けられたカム（またはカムピンあるいは欠歯ギアなど）に影響されながら往復運動を行う部材に連繋して、その往復運動とは逆の往復運動（直線状往復運動または円弧状往復運動を含む往復運動）をするマガジン駆動部材を備えた、運動方向の方向変換機構を備えたことを特徴とする、請求項２記載の連続発射機能を有する玩具銃。
【請求項３６】
受動部材が回転ギア部材であるマガジンを使用する電動エアガンにおいて、ピストン駆動用の回転駆動部材に設けられたカム（またはカムピンあるいは欠歯ギアなど）に影響されながら往復運動を行う部材にピンを設け、そのピンにはまり込む長穴を備えた扇形ギアをマガジン駆動部材とし、往復運動を往復回転運動に変換して、マガジン駆動部材から出力することを特徴とする、請求項２記載の連続発射機能を有する玩具銃。
【請求項３７】
受動部材が回転ギア部材であるマガジンを使用する電動エアガンにおいて、ピストン駆動用の回転駆動部材に設けられたカム（またはカムピンあるいは欠歯ギアなど）に影響されながら往復運動を行うカム駆動部材に接触する、カム付き部材を配置し、カム駆動部材とカム付き部材との接触により、カム駆動部材の往復運動を、カム付き部材の回転運動に変換して、マガジン駆動部材から回転力として出力することを特徴とする、請求項２記載の連続発射機能を有する玩具銃。
【請求項３８】
ガス式エアガンであって、銃身の軸方向に沿って移動する移動部材を備え、ガス圧の供給と排出によって移動部材は往復運動をし、移動部材にマガジン駆動部材を連繋させ、マガジン駆動力を往復運動として出力することを特徴とする、請求項２記載の連続発射機能を有する玩具銃。
【請求項３９】
ガス式エアガンであって、銃身の軸方向に沿って移動する移動部材を備え、ガス圧の供給と排出によって移動部材は往復運動をし、移動部材の移動に伴って畜力をおこなう畜力機構を備え、畜力が開放されることによってインパクトバルブをたたくストライカー部材を、シリンダーの外部に備える玩具銃において、ストライカー部材にマガジン駆動部材を連繋させ、マガジン駆動力を往復運動として出力することを特徴とする、請求項２記載の連続発射機能を有する玩具銃。
【発明の詳細な説明】
【技術分野】
【０００１】
本発明は、球状弾を連続的に発射する機能を有する玩具銃と、前記玩具銃に取り付けて使用するマガジンと、それら玩具銃やマガジンに使用する専用の部品の構造に関するものであって、マガジンの内部に、連続的に球状弾を送り出す連続給弾機構を設け、その連続給弾機構を、玩具銃が有する連続発射機構を利用して作動させることを主たる特徴とする。１回のトリガー引きで数百発を連射してしまうような連射機能を有する玩具銃と、着脱ができるマガジン、およびそれらに関わる専用の部品の構造とを提供する。
【背景技術】
【０００２】
玩具銃業界における一般的なマガジンの給弾機構や自動給弾機構の発展の歴史を見ることで、本発明の主体が明確になるので、はじめにその歴史の説明から入ることにする。
【０００３】
従来の、一般的に普及しているスプリング押し上げ式マガジンを使用する場合には、
マガジン内のスプリングを押し縮めるようにして１発ずつ球状弾を装填していた。スプリング押し上げ式マガジンにおいては短いタイプのマガジンでは十数発、長いタイプのマガジンで球状弾の搬送路をＵの字形に曲げて工夫したようなものでも５０発程度が収納の限度であった。しかし、もっともっと連続して撃ちたいという玩具銃使用者の願望は強かった。
【０００４】
スプロケットを用いて球状弾を連続的に送り出すマガジンは、特許公報平４−１８２３７にて見られるようなものが玩具銃の業界では初めてのものであった。今からおよそ２０年前の出願であり、当時はガスガンも電動ガンも存在していなかった。。その発明は、撃発用スプリングを圧縮するための操作部材（一般的にはハンドガードと称される部材）を手で引き下げるたびに、操作部材後方に併設された突出棒がマガジンの前方部よりマガジン内部に差し込まれることによってマガジン内部の機構が働き、１弾ずつを送り出すものであって、ゼンマイや電動モーターやガス圧などを利用して連続作動をさせるものではなかった。出願人はマルシン工業（株）であって、図１がその特許公報に示されている基本構造図である。マガジン本体１００１には球状弾の収納部１００２があり、球状弾の収納部１００２の下方部分には、球状弾の送り出しスプロケット１００３に向けて球状弾を案内するためのテーパー状案内壁１００４が設けられている。球状弾の出口には弾性を持ったストッパー部材１００５が設けられている。
【０００５】
このマルシン工業（株）の発明は、手で操作部材を引く発射準備動作を１回行うと、１発の球状弾がマガジンから銃本体側へと送り出されるものであるが、やがて、このスプロケットを利用した発明に蓄力を行う板バネゼンマイを加え、手で操作部材を引く発射準備動作のあるなしに関わらず、常に球状弾を押し上げている構造の自動給弾機構が発明された。
【０００６】
公開特許公報昭６２−１５８９９７がそれである。板バネゼンマイを手で巻き上げて蓄力を行い、ゼンマイの蓄力によって常に回転しようとする力がスプロケットに与えられ続け、マガジン内に収納された約５００発の球状弾を連続的に送り出すドラムタイプの大型マガジンである。出願人は（株）エルエスである。図２は特許公報に示されている基本構造図である。マガジン本体１００６には球状弾の収納部１００７があり、球状弾の収納部１００７には、球状弾の送り出しスプロケット１００８に向けて球状弾を案内するためのテーパー状案内壁１００９が設けられている。球状弾の出口には、球状弾の飛び出しを防止する形状を有するストッパー部材１０１０が設けられている。十分に蓄力されたゼンマイドラムの働きにより、射撃を行っていない時でも、スプロケット５０８は常に力強く球状弾を押し上げ続けていることができるようになった。
【０００７】
このスプロケットを利用したゼンマイ式マガジンが出願されてから、１８年以上が経過したのであるが、現在市販されているゼンマイ式マガジンも基本的にはこれと何ら変わるところはない。
【０００８】
ゼンマイを利用した多弾数マガジンは前記エルエス社製の大型のものしかなかったが、今では（株）東京マルイよりほぼ同様の基本送り出し構造をした小型のものが発売されるている。コンパクトで薄型に設計されたゼンマイ収納部やスプロケット部は、実銃のマガジンと同等サイズの薄型の小型ボックスマガジンでも２００発〜６００発程度を収納し、手で巻き上げる長尺の板バネゼンマイによって、収納する全弾を連続して押し上げることができるようになった。しかし薄型の小型ボックスマガジンの底面部にわずかに突出した歯車状のゼンマイ巻き上げ用凸部を、指先でカリカリとこすり上げるようにして長尺の板バネゼンマイを巻き上げる作業は思った以上に時間がかかり、また巻き上げの回数がたび重なると指先が痛くなるなど、小型化の弊害も出ている。この手巻き作業を嫌い、やがてモーターと電池とを使ってゼンマイを巻き上げる電動マガジンが登場する。
【０００９】
前述したエルエス社製のゼンマイ式マガジンに改良を加えた考案が実開平７−１２７９３にて示されている。初のゼンマイ式マガジンが出願されてから、およそ７年が経過したころである。出願人は（有）ヨシトモである。スプロケットを用いて球状弾を連続的に送り出すマガジンには、スプロケットの凹部に球状弾が入り込もうとした瞬間に、スプロケットの凸部と収納部の壁の先端部（言い換えれば、スプロケット搬送部への入り口、あるいはスプロケットからの分離部）とで球状弾を挟み込んでしまい、スプロケットの回転が止められてしまう現象、いわゆる噛み込み現象（ジャム現象、などともいう）が発生する欠点がある。そのような現象を起こさせないように、スプロケット搬送部への入り口付近に、回転したり、たたきこむような動きをしたりする部材を設けて、噛み込み現象が発生することがないように工夫したものである。図３がその公開実用新案公報に示されている基本構造図である。アーム部材１０１１の先端部１０１２がたたき込みを行い、回転部材１０１３が回転して、球状弾がスプロケットの凹部に入り込みやすいように補助する考案である。この考案によるゼンマイ式マガジンは、出願人により製作され、現在もゼンマイ式ドラムマガジンを代表する商品として販売されている。願書の実施例の説明の中に、「駆動装置Ａは、その内部にゼンマイを内蔵し、・・・或いは、その内部にモーターを内蔵し、このモーターの駆動力（回転力）を利用するように構成したものが採用される。・・・」という記述がある。実開平７−１２７９３は、現時点において公告も登録もされていないが、この（有）ヨシトモの商品は、ゼンマイをモーターで巻き上げるように小売店が改造を施し、現在も電動ドラムマガジンとして販売をしている。マガジンの外装部に設けたスイッチを操作することで電源のＯＮとＯＦＦとを切り替えるものである。マガジンを使用する前に電源スイッチをＯＮにしてゼンマイを巻き上げ、巻き上げが完了したら電源スイッチをＯＦＦにするものである。これを機に、各種の改造電動マガジンが多数の小売店から販売されるようになった。マガジン内に電池を内蔵するタイプや、外部の電池を利用するタイプなどがある。電動マガジンのスイッチ操作をトリガーと連動させたタイプなども現れている。
【００１０】
多数の球状弾を小型のマガジンのような狭い空間に収納した場合には、もうひとつのやっかいな現象が発生することがある。多弾数を収納するマガジンで、収納部の幅が狭く、収納部の長さが長い場合には、スプロケットなどの送り出し部が正常に機能していても、スプロケットから少し離れたあたりで、周囲の壁面と球状弾との摩擦が原因で、球状弾どうしが偶然にアーチ状にくっついてしまったような現象が発生することがある。いわゆるブリッジ現象である。このようなブリッジ現象は、収納部の幅が狭く、収納部の長さが長いマガジンの場合、あるいは球状弾が暴れてジャラジャラと音を発することがないようにスプリングで付勢した板状の部材などで球状弾全体を押さえ付けているようなマガジンの場合には発生することがあるが、送り出し部の上方に大きな空間があるドラムマガジン（公開特許公報昭６２−１５８９９７や実開平７−１２７９３にて示されている、前述したごときドラムマガジン）や、大型のボックスタイプマガジンで、スプリングで付勢した板状の部材などで球状弾全体を押さえ付けていないオープンタイプのマガジンではほとんど発生することはない。また、実開平７−１２７９３にて示されている、アーム部材５１１の先端部５１２がたたき込みを行い、回転部材５１３が回転するような考案も、ブリッジ現象の発生を防ぐために十分に機能するものである。
【００１１】
この、ブリッジ現象が発生することがない、という効果が得られるとして特許された発明がある。それは特開平６−７４６９１の発明であり、特許番号第２９０５６４９として登録されている。出願人は大平技研工業（株）である。図５がその特許公報に示されている基本構造図である。モーターを内蔵した電動マガジンの出願である。そこには搬送スクリューを用いた遊戯銃用給弾装置の発明例や、搬送ベルトを用いた遊戯銃用給弾装置の従来例なども示されている。ただし、大平技研工業（株）はアーケードゲーム機などのメーカーであり、特開平６−７４６９１の発明もアーケードゲーム用として考えられた大型ゲーム機であって、長い搬送路にエアーを圧送することで球状弾を押し上げなければならない様子が書かれている。また、アーケードゲーム用の固定式大型マガジンであって、着脱自在の電動マガジンというものではない。
【００１２】
マガジン内にモーターを内蔵した図が特許公報類に載ったのは特開平６−７４６９１の発明が初めてであったが、しかし、その電動マガジン特許の前身ともいえるものが実用新案公報実公平５−７０２にて示されている。モーターで球状弾を１列に並べて連続して押し上げる給弾装置である。出願人は川野輝一氏である。図４がその特許公報に示されている基本構造図である。この考案は、球状弾の出口付近にセンサー部材１０１４とリミットスイッチ１０１５を設けてモーターのＯＮとＯＦＦとを制御している。そして装填完了と同時に発生する反作用を利用してモーターのＯＮとＯＦＦとを制御する考案も２種類の方法が図とともに詳細に記述され具体的に提示されている。この考案は製品化され、販売された。非常に優れた商品であり、今でも売れ続けている大ヒット商品である。ただしこの考案は、あくまでもスプリング式マガジンへの給弾装置であるので、この考案による装置を銃に直接取り付けて使用することはできなかった。
【００１３】
この給弾装置を何とかして銃に直接取り付けたい。玩具銃業界にかかわる者は誰もがそのように願ったものである。しかし、この考案にて示されたようなスイッチ機構では、発射に合わせて電源をＯＮとし、射撃終了後に自動的に電源をＯＦＦとすることができないので、それをそのまま電動マガジンとして銃へ直接セットすることはできなかったのである。
【００１４】
この実公平５−７０２の出願からおよそ３年後に、前述した、搬送スクリューを用いた遊戯銃用給弾装置の発明、特開平６−７４６９１が初の電動マガジンとして出願されている。図５がその特許公報に示されている基本構造図である。電動玩具銃にマガジンがセットされ、球状弾は発射ノズルの直前にまで送り込まれた状態が描かれている。シリンダーもエア排出用パイプ部材も銃本体に固定されており、球状弾を１発ずつバレルパッキンに押し込み、１発ずつを確実に発射する、というような考え方は存在しない。スクリューとエア圧力で送られてくる球状弾を、とにかくフルオートで連続発射できればよい、という考え方が残っていた時代の発明である。
【００１５】
マガジン本体１０１６の内部に球状弾の収納部１０１７を設け、収納部１０１７の下方に、カップリング１０１８を介して連結されたスクリューコンベア１０１９とモータ１０２０を配置している。球状弾の搬送手段としてスクリューコンベアを用いたことが発明の特徴とされている。
【００１６】
この特開平６−７４６９１の遊戯銃用給弾装置は銃に直接セットして使用するように図示されているが、小型電動マガジンを玩具銃にセットして使用するときに、最も大切な技術である、センサー技術やスイッチ技術に関する図は一切存在しない。
【００１７】
また、センサー技術やスイッチ技術はあるものの、図４にて示した実公平５−７０２の給弾装置の基本構造そのままが電動マガジンになってしまうことはなかった。出願から１５年以上も経過しているのに、それはそのまま単なる給弾装置としていまだに売られているのであり、誰もそれを電動マガジンにすることができないでいる。
【００１８】
玩具銃側で弾丸が１０発発射されるとマガジン内のモータが瞬間的に起動されて弾丸が１０発送り出される分だけ回転され、その後自動的に停止するというような制御技術は、現在に至るまで、この玩具銃の業界には存在しない。玩具銃の発射機構部先端は、着脱自在なマガジン上端よりも球状弾２発分〜３発分だけ離れたところにあって、マガジンが玩具銃にセットされて発射の準備ができたときには、マガジン内にあった先頭の２発〜３発の球状弾はマガジンから出て行ってしまっている。しかもパイプ状の搬送路によってキッチリと囲まれているので、その先端部の、玩具銃の内部の動きを着脱自在なマガジン側から読み取ることができないことが最大のネックなのである。このように、球状弾が発射されたかどうかを着脱自在なマガジン側から確認する有効な手段は未だなく、ましてや、その発射弾数を計数する手段などは存在していない。
【００１９】
現在の玩具銃業界の技術レベルを専門誌の広告の中に見ることができる。月刊コンバットマガジン誌２００４年２月号Ｐ１５３に「パーフェクトマガジン  総弾数３０００発でさらに電動で巻き上げ、・・・￥１７３００」という大型ボックスマガジンの広告が掲載されている。マガジンの外装部にスイッチが付いていて、スイッチをＯＮにすると内部のモーターが回って内蔵のゼンマイを巻き上げる構造になっている。手でゼンマイを巻く代わりに外装スイッチを押してモーターで数百発を送り出す分だけゼンマイを巻き上げるようにしたものである。また、同誌Ｐ１８８に「ＴＡシステムなら、トリガーを引くだけで連続発射３０００発・・・・トリガー連動スイッチ・電動給弾マガジン・・・本体スイッチ加工・電動給弾マガジン加工・・・￥２９８００」という別の大型ボックスマガジンの広告が掲載されている。同じ商品について他の専門誌月刊アームズマガジン誌２００４年１月号Ｐ１９１には「トリガーを引くだけで給弾ゼンマイ自動巻き・ＴＡ３０００・・・トリガーを引くだけで電動マガジンが作動するのでゼンマイを巻く手間も給弾スイッチを押す手間もナシ。・・・」という広告が掲載されている。これは、外装スイッチをマガジンに設けないことを特徴としている広告である。その代わりに、銃本体のトリガースイッチに連動してマガジンが作動するように、銃を改造し、マガジンも銃に合わせて改造することが必要とされている。改造は広告を出した店舗が行うものとされ、価格の￥２９８００には加工代が含まれている。マガジンの外装部にゼンマイ巻き上げ用のスイッチが付いている前述のマガジンが￥１７３００であるのに比べると、単純に考えれば、トリガーを引くごとにマガジン側のモーターも回すというトリガー連動のスイッチ機構に改造するだけで￥１２５００のアップになるということになる。いずれにせよ、玩具銃メーカーが販売する純正のゼンマイ式マガジンが￥３５００〜￥４５００程度の希望小売価格であるのに比べると、￥１７３００という価格も￥２９８００という価格もとても高いものである。それだけの金額をかけても、マガジンに外装のスイッチが付いていたり、銃本体を改造してトリガースイッチに連動させて手動でマガジン側のモーターを回したり止めたりしているだけなのが現在の玩具銃業界の技術レベルである。
【００２０】
また、専門誌月刊アームズマガジン誌２００４年１月号Ｐ１５３には１秒間に４０発以上もの発射ができる超高速連射機能を有する電動玩具銃の広告が載っている。このような改造玩具銃に対応するためには、およそ１０００分の２５秒に１発の割合で給弾が行われなければならないことになる。そのような玩具銃に不足なく球状弾を給弾できるのは、現状では、射撃を停止しているときでも常に球状弾を押し上げ続けている蓄力ゼンマイ式のマガジンだけである。
【００２１】
したがって、そのような、１秒間に４０発以上もの発射ができる超高速連射機能を有する電動玩具銃に対して着脱自在式の電動マガジンを使用するには、ゼンマイ式マガジンだけが持っている「常に力強く球状弾を押し上げ続けるている」という機能を取り入れる必要があった。本件出願人は特願２００４−０２３４５７にて、図６に示すような基本構造を持った、常に力強く球状弾を押し上げ続けるている機能を有し、ゼンマイの巻き上げ具合を感知するセンサーを備えた玩具銃用小型電動マガジンの発明を行った。しかし実際に試作してみると、実銃と同等サイズの小型マガジン内部に、モーター、乾電池、スイッチ、球状弾の搬送機構部、球状弾の搬送路、電気回路をＯＮ、ＯＦＦさせるセンサー部材などをコンパクトに配置するのはかなり大変な作業であった。また、それら基本的な部材の占める容積が意外と大きく、前述した（株）東京マルイ製の長尺ゼンマイを収容した小型マガジンの収容弾数とあまり変わりのない収容弾数しか得られなかった。
【００２２】
他にも本件出願人は特開平１−１６３６００にて、図７に示すようなスクリュー構造を持った、連続的に球状弾を送弾する給弾装置を発明している。今からおよそ１７年前の、連射式ガスガンが出始めたころの出願である。しかし、その発明は玩具銃本体に一体的に設けられた大容量の球状弾収容部に組み込む、大型の特殊なものであった。収容弾数こそ多いものの、モデルとなった実銃の着脱自在なマガジン構造部とは異なり、球状弾収容部は取り外しができない構造であって、着脱可能なマガジンと銃本体とに分離できる実銃のような雰囲気、たとえばカラになったマガジンを素早く取り外し、新しいマガジンをガチャリと銃にセットするような臨場感のある雰囲気を味わうことはできなかった。
【００２３】
以上述べたように、現在の主流であるゼンマイ式多弾数マガジンと同じように、着脱可能な小型マガジンを銃にセットするだけで、銃側の発射動作に合わせるように、マガジン側の球状弾送り出し機構を自動的に瞬時に駆動させ、発射された球状弾の発数に見合うだけの送り出しを行い、発射動作の停止に伴ってマガジン側の球状弾送り出し機構も自動的に停止する、というような、実銃のマガジンとほぼ同じ外形状の小型マガジンは現在のところ存在していない。そして、できることならば現在の、長尺ゼンマイ式マガジンの収容弾数が例えば３００発であれば同等サイズで４００発、長尺ゼンマイ式マガジンの収容弾数が例えば５００発であれば同等サイズで６００発というような、収容弾数の増加が望まれている。
【００２４】
１秒間に１０発以上（最大では１秒間に４０発程度）の球状弾を連続して発射できるガス式エアガンや電動式エアガンに使用する、従来の着脱自在式マガジンにおいては、１００発以上（最大では１０００発程度）の球状弾を収容する小型の着脱自在式マガジンを使用する場合、マガジン内に収容された球状弾をマガジンの球状弾排出口から銃本体内部のチャンバー部に送り出す機構は、スプロケットを使ったゼンマイ内蔵式か、スプロケットやスクリューを使ったモーター内蔵式などの、駆動力源を内蔵したものしかなかった。そして、ゼンマイやモーターや電池などを内蔵しないタイプの着脱自在式多弾数マガジン、というような分野については、雑誌などで話題になったり発表されたことも過去に一度もなく、エアガン愛好家からの、そのようなものを望む、といった希望の記述もなかった。すなわち、駆動力源を内蔵しないタイプの着脱自在式多弾数高速連射用マガジンは、誰も考えたことがない、まったくの未開発分野であった。
【特許文献１】特許公報平４−１８２３７
【特許文献２】公開特許公報昭６２−１５８９９７
【特許文献３】実開平７−１２７９３
【特許文献４】特開平６−７４６９１
【特許文献５】実用新案公報実公平５−７０２
【特許文献６】特願２００４−０２３４５７
【特許文献７】特開平１−１６３６００
【非特許文献１】月刊コンバットマガジン誌２００４年２月号
【非特許文献２】月刊アームズマガジン誌２００４年１月号
【非特許文献３】月刊アームズマガジン誌２００４年６月号
【発明の開示】
【発明が解決しようとする課題】
【００２５】
本発明は、着脱可能なマガジンを銃にセットするだけで、銃側の発射動作に合わせるようにマガジン側の球状弾送り出し機構を自動的に瞬時に駆動させ、発射された球状弾の発数に見合うだけの球状弾送り出しを行い、発射動作の停止に伴ってマガジン側の球状弾送り出し機構も自動的に停止する、というような小型の高速連射用多弾数マガジンを提供することを課題とする。そして、モーターなどの駆動力源を内蔵しないタイプの着脱自在式多弾数高速連射用マガジンと、そのマガジンを連続駆動させる動力伝達機構を有する玩具銃とを提供することを主たる目的とする。
【課題を解決するための手段】
【００２６】
前記の課題は従来の常識であった、発射が予定される弾数（あるいは球状弾収納部容量の限界弾数）を送り出すだけの長尺ゼンマイ蓄力を、事前に手巻きや電動モーター巻きで完了させておく  とか、あるいは、トリガーのスイッチ系にマガジン側のモーター駆動系の制御もさせるように銃本体側を加工して、トリガーを引いてマガジン側のモーターを駆動したり畜力したりする、とかいう考え方を採用せず、高速連続射撃に瞬時に追従できるだけの球状弾送り出し機構をマガジン側に設け、その球状弾送り出し機構を、小型玩具銃側が有する連続発射機構の駆動力や、大型玩具銃側が有するマガジン駆動専用機構の駆動力を伝達、利用して作動させることにより、高速連続射撃に対応した自動強制給弾を達成するものである。
【発明の効果】
【００２７】
本発明による連続給弾機構を有するマガジンと、マガジン内部の球状弾送り出し機構を動かす駆動部材をマガジン着脱部近傍に設けた玩具銃との組み合わせ使用によれば、従来のゼンマイ式マガジンと同様に、高速連射時においても、発射の直後に確実に給弾を行うことができるようになる。ゼンマイ式マガジンでは、たとえば６００発分の蓄力をさせるためには長大で高価な板バネが必要であり、反発力の大きな板バネの組み込み作業も、またその巻き上げ作業も大変であった。しかし本発明によれば、最低で２発から３発、多くても１０発分程度のバネ蓄力がなされれば十分なので、バネは安価な巻きバネでもよく、組み込みも簡単である。あるいは、板バネや押しバネなどを１個か２個程度用いるだけのマガジンの設計をおこなった実施例によれば、更に簡単で安価な商品とすることができる。以上のように本発明においては、マガジン側には収容弾の全数を送り出すだけの長尺ゼンマイのような動力源や、モーターや乾電池などの動力源を必要としない。長尺ゼンマイやモーターなどを収容しなくてもよいのでマガジンの内容積を増加させることができ、その分、収容弾数も増加させることができる。指の皮が破れてしまうのではないかと思えるほどに苦痛だった、数百発分のゼンマイの手巻き上げ作業も必要ない。そして、高価な電動巻き上げ装置のスイッチを入れる必要もなく、マガジンの駆動装置のＯＮとＯＦＦとを玩具銃本体のトリガーに連動させるような改造をする必要もなく、着脱自在な連続給弾機構を有するマガジンを使用することができるようになる。従来のスプリング押し上げ式マガジンや長尺ゼンマイ式マガジンと同様の簡単な着脱動作のみで使用することができ、射撃のスタートと射撃の停止に伴って自動スタートと自動停止とが行われる小型のマガジンと、そのマガジンを連続駆動させる動力伝達機構を有する玩具銃とを提供することができる。また本発明によるマガジンは、マガジン内で球状弾がブリッジ状にかたまり、落下しなくなる現象を、力強く解消してくれる。
【発明を実施するための最良の形態】
【００２８】
本発明の主体は、高速連続射撃のスタートに瞬時に追従できるだけの適切な送弾を行う機構をマガジン内に設け、その送弾機構を作動させるためのマガジン駆動部材を、玩具銃本体のマガジン着脱部近傍に配置するところにある。マガジンを玩具銃にセットしたときに、マガジン内の機構を作動させる動力を、受け取るための、マガジン側の受動部材と、玩具銃本体側のマガジン駆動部材とを、駆動力が伝達できる状態に配置することにより、玩具銃本体側の連続作動機構の作動を利用して、マガジン内の送弾機構を作動させることができるようになるのである。大型玩具銃においては、ハンドガードや銃床などの内部に配置されたマガジン駆動専用機構の駆動力を出力する。小型玩具銃においては、銃本体側の連続射撃機構の作動から、マガジンを駆動するためのマガジン駆動力を得て出力する。マガジン側にはモーターや乾電池、あるいは数百発の球状弾をすべて送り出すための長大な巻きゼンマイなどの動力源を配備する必要がなくなり、内容積にゆとりができて、マガジンの収容弾数も増加する。このように本発明によれば、発射直後に確実に球状弾を送り出すという機能と、発射動作の停止直後に送弾機構の作動を自動的に停止させる機能とを、小型のマガジンであっても収容弾数を増加させる方向で実現することができるようになる。
【実施例１】
【００２９】
以下、本発明を実施例によって具体的に説明する。
本発明は、銃とマガジンとが、分離できる構造であることを基本としている。銃とマガジンとが一体となった構造の銃には本発明の効果は及ばない。はじめに、以後の説明において重要な語句の定義をする。マガジン駆動部材とは、銃とマガジンとに分離したときに、銃側に属する部品であって、銃内部の機関部から得た往復運動や回転運動を、マガジン側に伝達するために配置された、最終的な出力用部品をいう。受動部材とは、銃とマガジンとに分離したときに、マガジン側に属する部品であって、マガジン駆動部材から出力される往復運動や回転運動の伝達を受け入れるために配置された、最初にマガジン駆動部材に接触する部品をいう。図８は、本発明による第１の実施例の略式構造説明図であって、発明に係る基本的な構成要素が玩具銃としてどのように配置されているのかが理解しやすいように描かれている。マガジン本体、球状弾の収納部、球状弾の搬送路、球状弾の投入口、球状弾の出口のストッパーなどは従来例により理解されるものなので、図示は一部省略する。
【００３０】
ラックギアに相当する凹凸部１を備えたピストン２は、スプリング３によって銃口の方向に常時押されている。ピストン２の前方部周囲にはパッキン４が設けられ、シリンダー５との間で気密性を保っている。凹凸部１と噛み合う凹凸部６を有する回転駆動部材７は、モーター８と一連の減速用ギア群によって、矢印９の方向に回転させられる。回転駆動部材７の回転に伴って、ピストン２の凹凸部１と回転駆動部材７の凹凸部６とが噛み合い始め、ピストン２は後方へと引き下げられるようになる。図８は凹凸部どうしが３山ほど噛み合っている様子が描かれていて、ピストン２は少し後退している。一連の減速用ギア群や回転駆動部材７は、ギアボックス１０に収容されている。回転駆動部材７にはカム部１１が設けられていて、スプリング１２によってカム接触部材１３が矢印１４の方向へと常時押しつけられている。図８はカム接触部材１３が最も後退している状態を示している。カム部１１があと７０度ほど矢印９の方向に回転すると、カム接触部材１３が前方へと押し出され始める、という様子が分かる。カム接触部材１３の最先端部あたりには、ノズルユニット１５の凹部１６にはまりこむ係合部凸１７が設けられている。ノズルユニット１５はシリンダー５に内接しながら前後動ができる略円筒形状のものであり、パッキン１８によって、シリンダー５との間で気密性を保っている。凹部１６はノズルユニット１５の外周に設けられている。凹部１６の代わりにピン状の凸部を設け、凸部１７の代わりに、ピン状の凸部がはまりこむ凹部を設けても当然同じ効果が得られる。あるいは、ノズルユニット１５とカム接触部材１３とが一体の成型品であっても良い。ノズルユニット１５の中央部にはノズル部材１９が組み込まれている。シリンダー５の前方にはシリンダーヘッド２０が組み込まれ、シリンダーヘッド２０を貫通する形でノズル部材１９が組み込まれている。シリンダーヘッド２０の主たる役割はピストン２の激突を受け止めるものであるが、アッパーフレーム２１の内側が、シリンダー５の前方部を深く抱え込むように形成されていれば、シリンダーヘッド２０は不要となる。ノズルユニット１５とノズル部材１９とは一体的に動く。図にはノズルユニット１５とノズル部材１９とが複雑そうな構造を有するように描かれているが、詳細は後述するので、そのような説明があるまでは一体的に動くものとして理解していただきたい。また、図ではノズル部材１９はシリンダー５のセンターに合わせて描いているが、玩具銃の機種によってはセンターには位置させないほうが都合がよい場合もある。そのような場合には、モデルとする実銃に合わせるために、ノズル部材１９の位置をノズルユニット１５の中央部ではない位置にオフセット配置しても構わない。
【００３１】
図８は、Ｍ１６シリーズとかＭ４シリーズなどと呼ばれているアメリカ軍の正式採用銃をモデルとした電動玩具銃の構造説明図である。最近ではＭ４シリーズという機種が人気であり、図８はＭ４の主要な機関部付近のみを描いている。シリンダー５は銃のアッパーフレーム２１に収容され、ギアボックス１０はロアーフレーム２２に収容される。シリンダー５の後方下部には固定用基部２３が設けられている。アッパーフレーム２１、ロアーフレーム２２、固定用基部２３を有するシリンダー５、ギアボックス１０は、それらのすべてを貫通するピン２４によって一体的に固定される。アッパーフレーム２１とロアーフレーム２２は、前方においては、別のピン２５によって一体的に固定される。なお、シリンダー５の後方下部に設けられた固定用基部２３は、あれば確実な固定ができる、という程度の部分であって、無くてもよい。
【００３２】
カム接触部材１３の前方下部にはマガジン駆動部材２６が設けられている。一方、マガジン２７の内部には受動部材２８が設けられていて、マガジン駆動部材２６に噛み合うように配置されている。このマガジン駆動部材２６と受動部材２８とが本発明の最も重要な部材である。図８のような状況下で、カム接触部材１３を前方へと移動させれば、マガジン駆動部材２６は受動部材２８を前方へと押すことが分かる。すなわち、マガジン駆動部材２６と受動部材２８とを介して、玩具銃本体側の動力がマガジン側へと伝達されるのである。
【００３３】
受動部材２８は受動部材基部２９に、軸３０を中心に回転できるように固定されている。受動部材基部２９はレール部３１に案内され、前後方向に移動できる。図のような初期状態においては、受動部材基部２９はバネ３２によって矢印３３の方向に押されていて、レール部３１により、それ以上は後退できない状態にある。ラチェット押しバー３４はクランク３５に上端を連結され、下端の先端部は駆動用ラチェット３６の歯部に押し当てられている。バネ３７は、ラチェット押しバー３４を矢印３８の方向に押している。バネ３９は、受動部材２８を押し上げている。バネ４０は、ラチェット押しバー３４を矢印４１の方向に押し上げているが、ストッパー４２によって、図のような初期状態を保っている。バネ４３は停止用ラチェット４４にくい込み、停止位置を一定にしたり、逆転を防止したりしている。駆動用ラチェット３６には、図１７にて示すような畜力装置とスプロケットが同軸に連結されていて、球状弾を矢印４５の方向へ押し上げている。ラチェット押しバー３４にはラック部４６が設けられ、ラチェット押しバー３４の上下動によって、スパーギア４７には往復するような回転が与えられる。スパーギア４７の一方の面（球状弾の収容空間側）には、突起４８が複数設けられている。多数の球状弾がマガジン内でかたまりになって、いわゆるブリッジ現象を起こし、送弾用のスプロケット部などに順調に入らなくなってしまうことを、この突起４８が防いでくれる。ブリッジ状態になった球状弾のかたまりを、ガチャガチャとこの突起４８がほぐしてくれるのである。従来は、突起４８が複数設けられているスパーギア４７を、図１７にて示すような畜力装置のゼンマイからの駆動力によって、中間に配置されたギアを介して一定の方向に回転させていた。ところが、そのような構造では、ゼンマイの畜力が失われてくる後半には、駆動力が非力となり、突起の高さがあまり高いとスパーギア４７の動きをを球状弾のかたまりがストップさせてしまうこともあるので、突起の高さを極めて低いものとしておかなければならず、したがってブリッジ現象の解消効果は低いものであった。収容された球状弾を多数残したまま送弾が止まってしまうのは当たり前、といった状況がゼンマイバネ式マガジンの現状である。勝つか負けるかの真剣なゲームをやっている最中にマガジンの送り出し機能が突然停止してしまい、あわててカリカリとゼンマイを追加巻きする光景は興ざめである。本発明によれば、スパーギア４７を駆動させるのも本体側の駆動力であるので、その力はゼンマイバネなどに比べて非常に強いものであり、突起の高さを多少高くしてもブリッジ現象に負けて停止するようなことはなく、初めから終わりまで、常に力強くブリッジ現象を解消し続けてくれるようになる。すでに説明をしたものであるが、実開平７−１２７９３の考案や特開平６−７４６９１の発明は、マガジン内のブリッジ現象をどのようにして解消するかを主要なテーマとしたものであり、マガジン内のブリッジ現象を確実に解消することが、玩具銃マガジン内の送弾機構にとって、いかに大切なことであることなのかを物語っている。本発明は、ブリッジ現象の解消にも有効である。
【００３４】
従来のようなガス式の連射玩具銃にも、本発明は応用できる。本体内のマガジン駆動部材２６を押す部材として、ガスシリンダー・ピストン機構を用いればよい。トリガーを引き、バルブを解放してガスシリンダー内にガスを送り込むことで、ピストンが前進する。ピストンとマガジン駆動部材２６とを一体的に連繋させておけば、マガジン駆動部材２６を押すことができる。球状弾の発射後にガスシリンダー内のガスを排出させるシステムを採用すれば、強めに設定されたピストン戻しスプリングの働きにより、ガスシリンダー・ピストン機構は素早く初期状態に戻る。あるいは、ガス式の連射玩具銃には必ず、銃身の軸方向に沿って前後運動する部品が存在するので、その部品にマガジン駆動部材を連結すれば、差し込まれるマガジンに対してその前後運動を伝達することができる。いわゆるガスブローバック式の玩具銃がそれであって、ボルトと呼ばれる部材が往復運動をおこなっている。この方式は１５年以上前からよく知られた方式である。また、同じガスブローバック式の玩具銃であるが、外装部品であるスライドが往復運動をするタイプも、１２年ほど前から広く普及している。外装部品であるスライドにマガジン駆動部材を一体的に組み込むことは、内装部品であるボルトにマガジン駆動部材を一体的に組み込むことに比べて容易である。また、従来のガス式連射玩具銃のなかには、供給されるガス圧の働きによって力強くノズル部を前後動させるタイプもある。ピストンの先端にノズルが配置されたタイプであり、シリンダーの内部に入ったガスがピストンを前方へと押し出す。ノズルはピストンを貫通するように設けられているが、貫通穴にはバルブが設けられていて、バルブは貫通穴を常時閉塞している。（図８におけるノズルユニット１５がピストンに相当し、中央の貫通穴部にバルブ機構が加えられている、というようなイメージで考えればよい。）そしてピストンが最も前進したときに、ストライカー部材に畜力されてきた力が開放され、バルブが一気に開放される構造になっている。ピストンには戻しバネ（図８におけるスプリング１２がピストンの戻しバネに相当する、というようなイメージで考えればよい。）が働いていて、ガス圧の急速な低下とともにピストンは高速で後退する。最後部まで後退するとバルブは自動的、機械的に閉塞される機構になっている。ガス圧は常時供給されているので、バルブが閉塞された瞬間にピストンは再び前進を始める。そしてピストンが最も前進したときに、バルブが一気に開放される。この一連の動きが繰り返される。ストライカー部材がシリンダー内部に組み込まれるタイプと、ストライカー部材がシリンダー外部に組み込まれるタイプとがある。シリンダー外部に組み込まれたストライカー部材は、簡単にマガジン駆動部材に連繋することができる。ノズルの前後動の動き幅、すなわちピストンストロークは１０ミリ程度で十分であるので、連射スピードは高速である。そのような構造であるので、トリガーを引いている限り、ガス切れするまで連射が止まることはなく、ノズル部も前後動を繰り返し続ける。しかもガス圧で押し出されるピストンとノズル部が一体なので、前進の力は非常に強い。そのノズル部にマガジン駆動部材を連繋させるか、あるいは一体的に形成させれば、マガジン駆動部材はガス圧によって力強く動かされ、その駆動力はマガジン内の受動部材に伝達される。以上のガス式連射玩具銃に係る説明は、請求項３８、３９に関係する。
【００３５】
図８の例では、ノズル部材（球状弾を銃身の後端部にあるバレルパッキンに押し込む役割を果たす部材）を前後運動させるのに、銃本体内に配置された回転駆動部材の回転運動からカムを介して前後運動を取り出して伝達し利用している。そして、以後の実施例についても、銃本体内に配置された回転駆動部材の回転運動からカムを介して前後運動を取り出して伝達し利用する方式の電動ガンの基本構造を主に用いて本発明を説明する。しかし、電動ガンの構造はそれだけが全てではない。回転運動からカムを介して前後運動を取り出して利用する方式が現在のところ主流であるから、主流の方式をとりあえず本発明の説明用として用いるほうが具体的で分かりやすい、というだけのことである。そのような主流の方式以外にも、ピストンの前後運動から直接的に、シリンダー内において、同軸線上でそのまま前後運動を取り出してノズル部材（球状弾を銃身の後端部にあるバレルパッキンに押し込む役割を果たす部材）を前後運動させる方式の電動ガンも存在する。ノズル部材の後端部を、ピストンの前端部に設けたゴムパッキンによって挟み込んで引っ張り、設定値まで後退したときに離す、というような動きを繰り返す方式である。基本的にカムが存在せず、動きのタイミングを説明することが難しい複雑な方式であるので、本発明の説明用として使用するのには適していないだけである。したがって、その方式の構造は図示しない。ただし、そのような新しい方式の電動ガンであっても、前後運動する部材は存在し、ピストンを前後運動させるために回転する回転駆動部材は存在する。そのような、前後運動する部材や回転運動する部材から駆動力を取り出し、マガジン駆動部材にその駆動力を伝達してマガジン駆動部材を動かし、マガジン側の受動部材にその駆動力を伝達することで本発明は実施できる。具体的な応用方法としては、ノズル部材にマガジン駆動部材を取り付けて一体的に動かす方法がある。あるいは、ノズル部材の前後運動はピストンとの連繋にまかせておき、ピストンを前後運動させるための回転駆動部材の回転運動から、図８や図１２に代表されるような、カムを介して前後運動を取り出してその前後運動をマガジンに対してのみ伝達して利用する方法がある。このように、ノズル部材の前後運動を回転駆動部材の回転運動から取り出さない方式の電動ガンにも、本発明は応用できるのである。その他の方法として、戦車に装備されるような大型の機関銃をモデルにした電動エアガンやガスガンにおいては、スペースにゆとりがあるので、マガジンを駆動させるための専用モーターを、ピストン駆動用とは別に、ハンドガード内や機関部の空きスペースに搭載することができる。トリガーを引いたときに専用モーターが起動してトリガーをはなしたときに停止するように配線しておけば、専用モーターから回転力や往復運動を取り出すことができる。往復運動を取り出すことができれば、たとえば図８のようなシステムをピストン駆動系とは別に構築すればよい。回転運動を取り出すことができれば、たとえば図６７や図６８のようなシステムをピストン駆動系とは別に構築すればよい。専用モーターはマガジンを駆動するだけなので、非力な小型モーターで十分である。そのようにすれば、本発明はガスガンなどにも応用できるのである。
【００３６】
図９は、回転駆動部材７が矢印６４の方向にある程度回転し、カム部１１がカム受けバー１３を前方へと押し切った状態を示している。球状弾の行き過ぎた上昇を防止する目的のストッパー４９が、ノズル部材１９によって矢印５０の方向へと跳ね上げられている。球状弾５１がノズル部材１９の先端部に押されて、バレルパッキン５２の内部へと押し込まれている。バレル５３の後端部はバレルパッキン５２の内部へと差し込まれているのが普通である。図ではバレル５３の一部しか描いておらず、前方部分は図示を省略している。カム受けバー１３が矢印５４の方向へと押されると、マガジン駆動部材２６は受動部材２８を矢印５５の方向へと押し、カム接触部材１３を後方へ押すスプリング１２は圧縮される。受動部材２８を保持している受動部材基部２９の下部には、凸部５６が設けられていて、クランク３５の上部を矢印５７の方向へと押す。クランク３５に上端を連結されたラチェット押しバー３４は矢印５８Ａの方向へと押され、駆動用ラチェット３６を１歯分だけ矢印５８Ｂの方向へと回転させる。ラチェット押しバー３４が押し下げられると、ラック部４６がスパーギア４７を矢印６５の方向へと回転させる。（ラチェット押しバー３４がバネ４０によって矢印４１の方向へと押し戻されると、ラック部４６はスパーギア４７を矢印６５とは反対の方向へと回転させる。）バネ４３の先端凸部は停止用ラチェット４４の凹部にくい込み、停止位置を一定にし、逆転を防止している。駆動用ラチェット３６には、図１７にて示すような畜力装置とスプロケットが連結されていて、球状弾を矢印４５の方向へ押し上げている。ここで注目してほしい重要なポイントがある。図１７にて示す、球状弾の送り出し用スプロケット５９が外周部に２０弾を取り込めるものであるのに対し、図９にて示す駆動用ラチェット３６には、１６個の歯しかないところである。一回の発射につきマガジン駆動部材２６は１回の往復運動を行うので、受動部材２８と連動するラチェット押しバー３４も１回の往復運動を行う。その都度駆動用ラチェット３６は１歯づつ回転させられ、１６回の発射で１回転する。駆動用ラチェット３６の中心軸には、図１７にて示すようなゼンマイバネ６０の内側端が取り付けられていて、ゼンマイバネ６０の外側端６１は略円弧凸状に形成され、スプロケット５９の内周部に複数個設けられた凹部６２にはまりこんでいる。（凹部６２は１０個描かれているが、その個数は重要ではない。）図１７のように構成された送り出し機構では、駆動用ラチェット３６の中心軸６３の回転力が、ゼンマイバネ６０を介してスプロケット５９の内周部に伝達される。駆動用ラチェット３６の１回転で、スプロケット５９も１回転するので、マガジンの出口に何の制約もなければ、それぞれの１回転により２０弾が送り出されるはずである。ところが玩具銃にマガジンをセットして使用する場合には図８にて示すように、ストッパー４９によって出口をふさがれていたり、あるいは図９にて示すように、ノズル部材１９によって出口をふさがれていたりするので、実際には１６回の発射で１６弾しか送り出されない。２０弾分を送り出す駆動力を与えているにも関わらず１６弾しか送り出されないので、その差である４発分がゼンマイバネ６０に吸収される。ゼンマイバネ６０の畜力能力がたとえば２０弾分しかないとすると、１回転につき４発分づつ駆動力の吸収を行えば、５回転したときに畜力能力の限界に達する。畜力能力の限界を超えた駆動力がさらに加えられて行くと、略円弧凸状に形成されたゼンマイバネ６０の外側端６１は、スプロケット５９の内周部に設けられた凹部にはまりこんでいることができなくなり、やがて凹部からはずれてしまう。しかし、凹部はスプロケット５９の内周部に複数設けられているので、ゼンマイバネ６０の外側端６１は、すぐに次の凹部あるいは幾つかの凹部を通り越した凹部にはまりこむことができる。すなわち、一定以上の力が蓄えられた後は、ゼンマイバネ６０の外側端６１は次々と、スプロケット５９の内周部に設けられている凹部を渡り歩くように移動する。一種の滑りクラッチとしての機能が発揮されるのである。畜力能力の限界を２００発分とかにしたいのであれば、図１７にて示すような、大型のスプロケットと長大なゼンマイバネとが必要となるが、本発明においては畜力能力の限界は１０発分以下とかでも構わないので、図１８にて示すような、小型のスプロケットと短くて小さなゼンマイバネとを用いれば十分である。小型のスプロケットを用いるほど、マガジンの収容弾数は多くなる。
【００３７】
スプロケット式の送弾装置は、スプロケットの回転が高速になると、スプロケット外周部の球状弾受け部に正常に球状弾が入らない事態がときどき発生する、という欠点を持つ。したがって、畜力装置を備えていないスプロケット式の送弾装置では、連射の途中でしばしばカラ撃ちが発生する。たとえ２発分から３発分程度であっても、畜力装置を備えていれば、スプロケット部でのカラ送りが発生しても、発生した次の瞬間には畜力が開放されてスプロケットが一瞬の高速回転をし、カラ送り分を補充してくれるのである。マガジン駆動部材による一回の駆動力の伝達で、受動側であるマガジン内の送弾装置が機械的に１対１に対応して１発のみを送り出す機構としたのでは、１秒間に５発から６発程度の低速連射時には問題は起きにくいが、それ以上の高速連射時にはカラ撃ちが多数発生する危険性がある。マガジン内の受動部材と、たとえばスプロケットを利用した送弾装置（あるいはスクリューやプロペラを利用した送弾装置）との間に畜力装置を設け、畜力装置に、畜力の限界に至ったときに働くクラッチ機構を備えることはカラ撃ち防止の観点から有効である。マガジン駆動部材による一回の駆動力の伝達で、１発分以上の力がマガジン内の送弾装置に伝達可能な状態になるように設計しておけば、実際の送弾で消費されなかった駆動力はその一部が畜力装置に畜力され、畜力能力以上に供給された余分な駆動力はクラッチ機構により消費される。
【００３８】
送弾装置は、スプロケットやスクリュー、プロペラなどを利用して構成することができるが、それぞれについては後に詳細に説明する。その他、突起付きのエンドレスベルトをふたつのプーリーにかけて送弾する方法などもあるが、実質的にはスプロケット利用とほとんど同じ作用をする内容なので図示も説明も省略する。
【００３９】
図１０は、第１の実施例において、銃側の発射機構が初期状態ではない状態で止まったときにマガジンを差し込もうとしたときの状態を示す。カム部１１がカム接触部材１３を前方へと押しきっている状態を示している。電動ガンでフルオート射撃（連続射撃）をしているときにトリガーを離すと、図８にて示すような状態で止まるときもあれば、図１０にて示すような設計上の発射完了状態で止まるときもある。あるいはそれらの中間状態で止まるときもある。そのような、初期状態ではない状態で止まったときにマガジン２７を矢印６６の方向へと差し込むと、マガジン２７の内部にある受動部材２８の上方部が、銃本体側にあるマガジン駆動部材２６の先端部に押されて、矢印６７の方向に押し下げられる。マガジン２７はマガジンロック部材（図示しない）によって銃本体の定位置に固定される。
【００４０】
たとえば図１０にて示すような状態になるようにマガジンをセットして、トリガーを引くと、回転駆動部材７は矢印６８の方向に回転し、図８にて示すような、ノズルユニット１５やノズル部材１９が最も後退した状態になる。そして、ノズルユニット１５と一体的に動くマガジン駆動部材２６も最も後退する。マガジン駆動部材２６が最も後退すると、受動部材２８の上方部後端がマガジン駆動部材２６の先端部からはずれ、受動部材２８はバネ３９に押されて軸３０を中心に回転し、図８にて示すような初期位置に復帰する。回転駆動部材７が矢印６８の方向にさらに回転すると、図９にて示すような状態になり、マガジン内の送弾機構が正常に働くようになる。
【００４１】
以上述べたように、受動部材２８が前後に動くことによって、マガジン内の送弾装置が機能するタイプの本発明にあっては、マガジン駆動部材２６がどの位置に停止していても、マガジン２７を着脱できるように、受動部材２８は、マガジン駆動部材２６の先端部に押された場合には図１０にて示すように軸３０を中心に回転して逃げるか、あるいは図６９にて示すように、下方に向けて平行移動するように逃げる、などの逃げ機構を持つほうがよい。または、図３７、図３８、図７０にて示すように、マガジン駆動部材側に逃げ機構を持たせるほうがよい。
【００４２】
図１１は、図９の実施例などにおいて、正常な給弾がなされずに、マガジン駆動部材２６が前進を完了していて、ノズル部材１９が異常な球状弾６９を挟み込んでしまい、前進しきれないでいる様子が描かれている。ピストン２は高速で前進し、ノズルユニット１５の後端部に接着されているクッション部材７０に激突している。もしもノズル部材１９が、ノズルユニット１５と一体で構成されていたとすれば、ノズル部材１９が異常な球状弾６９を挟み込んだ状態でマガジン駆動部材２６が前進を続けると、ノズル先端部が壊れるか、マガジン駆動部材２６の前方上部にある係合部凸７１が壊れるなどの事態が発生することになる。仮に、まずマガジン駆動部材２６の前方上部にある係合部凸７１が壊れたとすると、ノズル部材１９と一体に構成されているノズルユニット１５は前進しきれないで、シリンダーヘッド２０の後端から離れた位置で停止してしまう。そのような状態でピストン２が高速で前進し、クッション部材７０に激突すれば、ノズル先端部が異常な球状弾６９を粉砕してしまうような事態になり、当然、ノズル先端部やバレルパッキン５２の後端部なども壊れてしまう最悪の事態に陥ってしまう。そのような事態に陥るのを防いでくれるのが、ノズル破壊防止用のバネ７２である。このバネ７２の働きにより、ノズル部材１９が異常な球状弾６９を挟み込んでしまうような、図１１のような状態になっても、ノズル部材１９だけが引っ込み、他の部材は通常の作動を繰り返すことができるようになる。そして次のサイクルで、異常な球状弾６９は押し上げられ、前方に移動させられて発射される。主として、ノズル部材１９とノズルユニット１５とノズル破壊防止用のバネ７２とで構成された給弾用ノズル部により、傷ついた球状弾や石などを挟み込んでしまうような異常な事態が発生しても、各種の部材が壊れてしまうのを防ぐことができるようになる。なお、ノズル部材１９は、正確には、前方パーツと後方パーツに分けて製作したものを圧入固定して一体化したものである。そして、圧入の前にバネ７２が組み込まれる。各部のエア漏れ防止の目的で、ノズルユニット１５の外周にはゴムパッキン１８が配置され、ノズル部材１９の外周にはパッキン７３が配置され、ピストン２の先端部外周にはパッキン４が配置されている。
【００４３】
図８から図１１において説明した第１の実施例は、銃本体内部の連射機構から前後方向の直線運動を取り出してマガジン駆動部材２６を駆動させ、その駆動力をマガジン内の受動部材２８に伝達し、受動部材２８にも前後方向の直線運動をさせた実施例である。そして受動部材２８の前後方向の直線運動を、マガジン内で上下方向の直線運動に変換した後、回転運動に変換して送弾機構を機能させた実施例である。なお、図８から図１１においては、銃本体内部の連射機構として、回転運動を直線運動に変換する電動ガンの基本構造を描いているが、銃本体内部の連射機構はガス式であってもよい。一般に知られたガス式の連射機構は、シリンダー部とピストン部を有していて、シリンダー部かピストン部のいずれかが直線運動をするので、シリンダー部かピストン部のいずれかにマガジン駆動部材を連繋させることで第１の実施例と同様の機構を容易に作ることができる。第１の実施例の説明は、請求項１、２、３、５、６、７、９、２１、２６に関係する。
【００４４】
図８から図１１において説明した第１の実施例は、マガジン駆動部材が前進するときに受動部材を前方に押して、マガジン内の送弾装置が機能するものであったが、次に、マガジン駆動部材が後退するときに受動部材を後方に押して、マガジン内の送弾装置が機能するタイプの、本発明の他の実施例を示す。
【実施例２】
【００４５】
図１２は、本発明による第２の実施例の略式構造説明図である。ラックギアに相当する凹凸部１を備えたピストン７４は、スプリング７５によって銃口の方向に常時押されている。ピストン７４の前方部周囲にはパッキン７６が設けられ、シリンダー７７との間で気密性を保っている。ピストン７４の凹凸部７８と噛み合う凹凸部７９を有する回転駆動部材８０は、モーター８１と一連の減速用ギア群によって、矢印８２の方向に回転させられる。回転駆動部材８０の回転に伴って、ピストン７４の凹凸部７８と回転駆動部材８０の凹凸部７９とが噛み合い始め、ピストン７４は後方へと引き下げられるようになる。回転駆動部材８０にはカムピン８３が設けられている。スプリング８４によってカム接触部材８５は矢印８６の方向へと常時押しつけられている。図１２は、カムピン８３がカム接触部材８５を押し始める直前の状態を示しており、カム接触部材８５が最も前進している状態を示している。
【００４６】
カム接触部材８５はアーム部材８７と一体に形成され、アーム部材８７の前方上部は給弾用ノズル部材８８と一体に形成されるか、またはアーム部材８７と給弾用ノズル部材８８とが一体的に動けるように連結されている。アーム部材８７の前方下部はマガジン駆動部材８９と一体に形成されるか、またはアーム部材８７とマガジン駆動部材８９とが一体的に動けるように連結されている。図１２の下方に、カム接触部材８５とアーム部材８７とマガジン駆動部材８９とが一体に形成され、給弾用ノズル部材８８に係合用の凹部が形成され、アーム部材８７の前方部上端に係合用の凸部が形成された図を配置してある。すべての部材が一体的にされていてもよいが、カム接触部材８５とアーム部材８７とマガジン駆動部材８９とを一体に形成して、アーム部材８７の前方部上端に係合用の凸部を形成してやれば、過去に消費者が購入した古いタイプの電動エアガンのギアボックスを一部だけ加工して、そのパーツを組み込み直してやることにより、本発明による新しいマガジンを使えるようになる。これは消費者の利益であり、カム接触部材８５とアーム部材８７とマガジン駆動部材８９とを一体に形成して、アーム部材８７の前方部上端に係合用の凸部を形成することは、本発明の一部である。しかし、請求項にこの発明の権利を書くと、請求項が複雑になりすぎるので、今回の出願においては、権利の主張はおこなわない。後日、分割出願などの制度を利用する。
【００４７】
マガジン９０の内部には受動部材９１が配置されていて、マガジン駆動部材８９に噛み合うように配置されている。図１２のような状況下で、カム接触部材８５とアーム部材８７とを後方へと移動させれば、マガジン駆動部材８９は受動部材９１を後方へと押すことが分かる。すなわち、マガジン駆動部材８９と受動部材９１とを介して、玩具銃本体側の動力がマガジン側へと伝達されるのである。
【００４８】
受動部材９１は受動部材基部９２に、軸９３を中心に回転できるように固定されている。受動部材基部９２はレール部９４に案内され、前後方向に移動できる。図のような初期状態においては、受動部材基部９２はバネ９５によって矢印９６の方向に押されていて、レール部９４により、それ以上は後退できない状態にある。ラチェット押しバー９７はクランク９８に上端を連結され、下端の先端部は駆動用ラチェット９９の歯部に押し当てられている。バネ１００は、ラチェット押しバー９７を矢印１０１の方向に押している。バネ１０２は、受動部材９１を押し上げている。バネ１０３は、ラチェット押しバー基部１０５を矢印１０４の方向に押し上げているが、ストッパー１０６によって、図のような初期状態を保っている。バネ１０７の先端はラチェット９９にくい込み、停止位置を一定にしたり、逆転を防止したりしている。駆動用ラチェット９９には、図１７にて示すような畜力装置とスプロケットが同軸に連結されていて、球状弾を矢印１０８の方向へ押し上げている。ラチェット押しバー９７には突起１０９が複数個設けられている。ラチェット押しバー９７の上下動に伴い、突起１０９も上下動する。多数の球状弾がマガジン内でかたまりになって、いわゆるブリッジ現象を起こし、送弾用のスプロケット部などに順調に入らなくなってしまうことを、この突起１０９が防いでくれる。ブリッジ状態になった球状弾のかたまりを、ガチャガチャとこの突起１０９がほぐしてくれるのである。本発明によれば、突起１０９を駆動させるのも本体側の駆動力であるので、その力は非常に強いものであり、突起の高さを多少高くしてもブリッジ現象に負けて停止するようなことはなく、初めから終わりまで、常に力強くブリッジ現象を解消し続けてくれるようになる。
【００４９】
ラチェット押しバー９７の上端部をラチェット押しバー基部１０５の下端部にもぐり込ませて抜けない構造とし、ラチェット押しバー９７とラチェット押しバー基部１０５との間に、バネ１１０を配置した点が第１の実施例とは少し異なる点である。そのように構成することで、実は、図１７にて示すような畜力装置が不要となる。高価で長大な板状ゼンマイバネが不要になることは、材料コストも下がり、難しい板状ゼンマイバネの組み込み工程も不要になるので、コストダウンに大きく貢献する。
【００５０】
図１３は、第２の実施例において、回転駆動部材８０が矢印８２の方向にある程度回転し、カムピン８３がカム接触部材８５を矢印１１１の方向へと押し、最も後退させた状態を示す。なお図１３を含め、以後の図においては、特に必要と思われる場合以外、銃の外形やモーターや減速用のギア群などの図示は省略する。
【００５１】
カム接触部材８５の後退に伴い、アーム部材８７と給弾用ノズル部材８８とマガジン駆動部材８９とが、矢印１１１の方向へと一体的に後退する。給弾用ノズル部材８８が後退すると空間ができるので、球状弾１１２が給弾用ノズル部材８８の先端部にまで押し上げられてくる。マガジン駆動部材８９は受動部材９１を矢印１１１の方向へと押し、アーム部材８７にかかるスプリング８４は引き伸ばされる。受動部材９１を保持している受動部材基部９２の下部には、凸部１１３が設けられていて、クランク９８の上部を矢印１１４の方向へと押す。クランク９８に上端を連結されたラチェット押しバー基部１０５は矢印１１５の方向へと押され、ラチェット押しバー９７が駆動用ラチェット９９を１歯分だけ矢印１１６の方向へと回転させる。１６歯のラチェット９９を１歯分だけ回転させると、１回転で２０発分の球状弾を送り出すスプロケット１１７は、球状弾を１．２５発分だけ送り出そうとする。この余分な０．２５発分の動きを、バネ１１０が吸収してくれる。
【００５２】
第１の実施例においては、マガジン駆動部材２６が前進するとき、すなわちノズル部材１９が前進するときにラチェットを回転させて送弾をおこなう機構であるので、送弾をするときにはノズル部材１９が球状弾の出口をふさいでしまい、ラチェットを回転させてもスプロケットは回転することができなかった。したがってラチェットとスプロケットを別部品にして、ラチェットとスプロケットとの間に畜力機構を組み込む必要があった。
【００５３】
しかし第２の実施例においては、マガジン駆動部材８９が後退するとき、すなわち給弾用ノズル部材８８が後退するときにラチェットを回転させて送弾をおこなう機構であるので、送弾をするときには給弾用ノズル部材８８が球状弾の出口を開放する状態になり、ラチェットとスプロケットとを同時に回転させることができる。したがってラチェットとスプロケットを一体部品にすることができ、ラチェットとスプロケットとの間に畜力機構を組み込む必要もない。１秒間に１０発から１５発程度の連射速度であれば、カラ撃ちもなく十分に対応できるので、子供用の安価な製品を提供する場合には有効である。ただし、１秒間に３０発も４０発も撃とうとする大人用の高級機においては、どうしてもスプロケットの歯の間に球状弾が入りきれない状況が発生するので、第１の実施例と同様に、ラチェットとスプロケットを別部品にして、ラチェットとスプロケットとの間に畜力機構を組み込む方式を採用した方が、カラ撃ちの発生を防止できることは間違いない。畜力機構の組み込みは、提供しようとする製品の目的に応じてすればよい。
【００５４】
図１４は、第２の実施例において、銃側の発射機構が初期状態ではない状態で止まったときにマガジンを差し込もうとしたときの状態を示す。図１０にて説明した内容と、ほぼ同様の逃げ機構が機能している様子がよく分かる。
【００５５】
図１５は、一般的なマガジンの、球状弾排出口部分のストッパーについて説明するための、正面方向から見た構造説明図である。球状弾１１８はマガジン内の送弾機構により、矢印１１９の方向に押し上げられている。ストッパー１２０はバネ１２１の働きにより、矢印１２２の方向に押し付けられ、球状弾１１８は排出口から出ることができない。図１５においては、ストッパー１２０とバネ１２１が２セット描かれているが、１セットでもよい。
【００５６】
図１６は、図１５のマガジンを、銃本体側にセットしたときのストッパー開放状況を説明するための、正面方向から見た構造説明図である。銃本体側にあるチャンバーの下部にはパイプ部１２３があって、その先端部１２４は少し細くなっていて、外周部にはテーパー加工がなされている。その先端部１２４が、ストッパー１２０の内側テーパー部分に入り込むと、ストッパー１２０は矢印１２５の方向に押し拡げられる。通路が開放され、球状弾１１８はマガジン内の送弾機構により押し上げられて、矢印１２６の方向に押し上げられる。
【００５７】
図１７は、従来の一般的なゼンマイ式マガジンの、畜力機構と送弾機構を説明するための、構造説明図である。駆動用ラチェット（図示されていない）の中心軸６３には、ゼンマイバネ６０の内側端が取り付けられていて、ゼンマイバネ６０の外側端６１は略円弧凸状に形成され、スプロケット５９の内周部に複数個設けられた凹部６２のいずれかに、はまりこんでいる。（凹部６２は１０個描かれているが、その個数は重要ではない。）図１７のように構成された送り出し機構では、駆動用ラチェットの中心軸６３の回転力が、ゼンマイバネ６０を介してスプロケット５９の内周部に伝達される。畜力の限界に至った状況については、すでに説明してある。噛み込み防止部材１２７はバネなどによって矢印１２８の方向に常に押されている。そして、いつもカタカタと動き、球状弾の噛み込みを防止している。スプロケット５９が矢印１２９の方向に回転すると、球状弾は矢印１３０の方向に押し出されてゆく。小型のスプロケットを用いるほど、マガジンの収容弾数は多くなる。
【００５８】
図１８は、図１７と同様の機構を持つマガジンの、畜力用つまみを説明するための、構造説明図である。駆動用ラチェット１３１の中心軸６３には、ゼンマイバネ６０の内側端が取り付けられていて、ゼンマイバネ６０の外側端６１は略円弧凸状に形成され、スプロケット５９の内周部に複数個設けられた凹部６２のいずれかに、はまりこんでいる。図１８における駆動用ラチェット１３１は、その一部がマガジンの下方部より少し飛び出て設けられており、指で矢印１３２の方向にこすって回転させることにより、ゼンマイバネ６０を巻き上げ、畜力してゆく。駆動用ラチェット１３１には逆転防止用のバネ１３３が作用している。図１８と図１２とを比較してほしい。図１８における従来の駆動用ラチェット１３１は大きく、指で１５０回から２００回くらいもこすって回転させ、収容弾の全弾を送弾できるだけの畜力をおこなう方式であるのに対し、図１２におけるラチェット９９は小さく、銃本体側の駆動力が伝達されて、回転駆動部材８０の１回転でラチェット歯が１歯だけ送られて送弾または畜力がおこなわれる自動巻き上げ方式である。従来の図１８のような、指での巻き上げを要求するタイプのマガジンを、サバイバルゲームなどでの予備として３本用意しておく場合、本体セット用の１本を加えて合計４本のマガジンを、ゲーム開始の前に全て巻き上げておく必要がある。そのときの指のこすりあげ作業は、６００回から８００回程度にもなる。これは大人でも耐えられる作業ではない。柔らかな子供の指では出血するほどの激痛を伴う作業である。本発明によれば、ラチェットの一部がマガジンの外に露出して本物のイメージを壊すこともなく、ギザギザしたラチェットを何百回もこすって指を傷つけてしまうこともなくなる。
【００５９】
図１９は、本発明を採用した場合のマガジンを説明するための、構造説明図である。図１８における従来のマガジンでは、基本的に収容弾数の全てを排出できるだけの能力を持った長大なゼンマイバネが用いられる。したがって、スプロケット５９の内周側には大きな空間が必要であり、スプロケット５９は大型になってしまう。一般的に、Ｍ１６タイプの銃のマガジンでは、スプロケット５９は外周に２０発を配置できる大きさであって、図１７、図１８においても外周に２０発を配置できる大きさに描いてある。それに比べて、図１９における本発明を採用した場合のマガジンでは、外周に１０発を配置できる大きさに描いてある。使用されるゼンマイバネは小さく、畜力能力は１０発分程度で十分である。図１７と図１９とを比較してほしい。スプロケットを小さくできると、収容弾数が増加することがよく分かる。本発明によれば、収容弾数を増加できる。第２の実施例の説明は、請求項１、２、３、５、６、８、９、２１、２６に関係する。
【００６０】
図８から図１４において説明した第１の実施例および第２の実施例では、マガジン駆動部材が前後動するときに受動部材も前後動して、マガジン内の送弾装置が機能するものであったが、次に、マガジン駆動部材が前後動するときに受動部材が上下動して、マガジン内の送弾装置が機能するタイプの、本発明の他の実施例を示す。
【実施例３】
【００６１】
図２０は、本発明による第３の実施例の略式構造説明図である。銃本体側の機構は基本的に、図１２に示す第２の実施例と同じに描いてある。またマガジン内の機構も、図１２においては前後方向の直線運動をクランクを利用して上下方向の直線運動に変換していたものを、テーパー部分を有する部品を利用して上下方向の直線運動に変換するようにしただけであって、ラチェット押しバーから先の機構については図１２に示す第２の実施例と同じに描いてある。
【００６２】
アーム部材１３４の前方下部にはマガジン駆動部材１３５が設けられている。マガジン１３６の内部には受動部材１３７が配置されている。マガジン駆動部材１３５の下方のテーパー部と、受動部材１３７の上方のテーパー部とが接するように配置されている。機構的なゆとりをみるならば、多少は離れていてもよい。図２０においてはマガジン駆動部材１３５の下方のテーパー部と、受動部材１３７の上方のテーパー部とを、それぞれ略４５度の傾斜で描いてあるが、その角度は４５度に限定されるものではなく、また、テーパー部が直線状ではなく曲線状部を有していてもよい。受動部材１３７はガイド部材１３８，１３９に案内されるので、上下方向にしか動くことはできない。受動部材１３７は、バネ１４０によって矢印１４１の方向へと押されている。ラチェット押しバー１４２の上端は受動部材１３７のＡガイド溝１４３にはまり込んでいて、バネ１４４によって下方に押されている。
【００６３】
図２０は、ピストン１４５が前進を完了した、発射後の初期状態を示している。マガジン駆動部材１３５および給弾用ノズル部材１４６は最も前進した状態にある。マガジン駆動部材１３５は受動部材１３７に対して何の作用もしていない。この状態から、回転駆動部材１４７が矢印１４８の方向に度回転してゆくと、やがて図２１のような状態に至る。図２０の下方に、カム接触部材１３４Ｂとアーム部材１３４Ａとマガジン駆動部材１３５とが一体に形成され、給弾用ノズル部材１４６に係合用の凹部が形成され、アーム部材１３４Ａの前方部上端に係合用の凸部が形成された図を配置してある。すべての部材が一体的にされていてもよいが、アーム部材１３４Ａとカム接触部材１３４Ｂとマガジン駆動部材１３５とを一体に形成して、アーム部材１３４Ａの前方部上端に係合用の凸部を形成してやれば、過去に消費者が購入した古いタイプの電動エアガンのギアボックスを一部だけ加工して、そのパーツを組み込み直してやることにより、本発明による新しいマガジンを使えるようになる。これは消費者の利益であり、アーム部材１３４Ａとカム接触部材１３４Ｂとマガジン駆動部材１３５とを一体に形成して、アーム部材１３４Ａの前方部上端に係合用の凸部を形成することは、本発明の一部であるが、請求項には記載しない。
【００６４】
図２１は、第３の実施例において、回転駆動部材１４７が矢印１４８の方向にある程度回転し、カムピン１４９がカム接触部材１３４Ｂを矢印１５１の方向へと押し、アーム部材１３４Ａを最も後退させた状態を示す。マガジン駆動部材１３５および給弾用ノズル部材１４６も矢印１５２の方向へと最も後退させられた状態にある。マガジン駆動部材１３５の下方のテーパー部と、受動部材１３７の上方のテーパー部とが接触し、受動部材１３７はマガジン駆動部材１３５に押されて、矢印１５３の方向へと下がる。ラチェット押しバー１４２はバネ１４４を介して、受動部材１３７により矢印１５３の方向へと押し下げられる。
【００６５】
マガジン駆動部材１３５の下方のテーパー部と、受動部材１３７の上方のテーパー部とが、ともに４５度であった場合には、マガジン駆動部材１３５の移動距離が８ミリであれば、少しのゆとりをみても、受動部材１３７の移動距離もおよそ８ミリである。当然、ラチェット押しバー１４２もおよそ８ミリだけ押し下げられる。しかし実際には、ラチェット押しバー１４２の先端部は、ラチェット１５４の歯を１歯だけしか押すことができない。その動き幅は４ミリ程度である。受動部材１３７のおよその移動距離である８ミリと、ラチェット押しバー１４２の先端部のおよその移動距離である４ミリとの間にはおよそ４ミリの差が発生する。ラチェット１５４に畜力機構が備わっていなければ、その差の４ミリはバネ１４４に吸収される。ラチェット１５４に畜力機構が備わっていれば、その差の４ミリは余力として畜力機構に蓄えられる。そして畜力機構の限界に達したときには、畜力機構内のクラッチ機構によって、余力は開放される。駆動用ラチェット１５４に畜力機構が備わっていれば、空間部１５５，１５６のように、スプロケットの歯の間に、うまく球状弾が入り込んでいなくても、やがてはスプロケットが瞬間的に回転してくれるので、スプロケットの歯からはずれるあたりの球状弾１５７、よりも上方にある球状弾の列に空間が発生することはなく、カラ撃ちが防止される。
【００６６】
第３の実施例においては、マガジン駆動部材１３５および給弾用ノズル部材１４６が最も前進した状態でマガジンをセットしても、図２０のようになって支障はなく、マガジン駆動部材１３５および給弾用ノズル部材１４６が最も後退した状態でマガジンをセットしても、図２１のようになって支障がない。駆動力の伝達にテーパー（直線状または曲線状の傾斜）を利用する本発明によれば、受動部材１３７がいつでも下がれる状況にあるので、マガジン駆動部材１３５の停止位置に関わらず、どのような状況でもマガジンをセットすることができる。
【００６７】
図２２は、第３の実施例におけるマガジンの外観図である。マガジンがカラであるときに、図１７のような投入イメージで球状弾をマガジンにザラザラと入れると、スプロケットはまだ回転していないので、図２１に示す球状弾１５８の位置には新たな球状弾は入れない。そうすると、球状弾１５８の位置から先の、マガジン出口付近にある球状弾１５９に至る、およそ３５発ほどが存在しない状況になる。そのような状況のままマガジンを銃にセットして射撃を始めると、はじめの３５発分（スプロケットの歯数とラチェットの歯数の差があるので、実際には２８発程度分）がカラ撃ちとなってしまう。一度でも使用したマガジンであれば、少なくとも球状弾１５７の位置から球状弾１５９の位置の球状弾は常に存在するので、カラ撃ちは１４発程度で済むのであるが、やはり撃ち始めのカラ撃ちがあること自体、いやなものである。しかし、受動部材１３７の一部をマガジン上方に露出させた、図２２のような、第３の実施例によれば、矢印１６０のような方向の手押し作業を２８回程度おこなうことで、図２１に示す球状弾１５８の位置から球状弾１５９に至る、およそ３５発ほどの球状弾を充てんすることが簡単にできる。しかも、この２８回程度という数値は、初めての使用に対しての数値であって、畜力機構を備えた実施例によれば、２回目からは１１回から１２回程度の手押し作業で空間部分の充てんは完了する。手で押す部分である受動部材１３７の上面部分の面積も十分に大きく、痛くもない。これは従来のマガジンが、２００回近い痛さを伴うラチェット巻き作業を、使用するたびに必要としたのに比べ、大きな効果である。第３の実施例の説明は、請求項１、２、４、５、６、８、９、１０、２１、２６、３４に関係する。次に、マガジン駆動部材が前後動するときに受動部材が上下動して、マガジン内の送弾装置が機能するタイプの、本発明の他の実施例を示す。
【実施例４】
【００６８】
図２３は、本発明による第４の実施例の略式構造説明図である。銃本体側の機構は基本的に、図８に示す第１の実施例と同じに描いてある。またマガジン内の機構も、図２０における受動部材１３７を前後方向に反転したように描いてある。ラチェット押しバーから先の機構については、図２０に示す第３の実施例と基本的にほとんど同じである。
【００６９】
第４の実施例の特徴は、マガジン駆動部材１６１に回転体を利用した点にある。テーパーどうしで大きな摩擦が発生して、力をロスしてしまわないように、テーパーを有する部材の相手部材に対して回転体を利用したものである。図２３では、マガジン駆動部材１６１に回転体を利用した。それとは逆に、マガジン駆動部材１６１にテーパー部を持たせ、受動部材の上方に回転体を配置しても同様の効果が得られるが、その実施例については、図２３から容易に理解できる実施例であるので、図示を省略する。
【００７０】
回転駆動部材１６２に設けられたカム部１６３は、まだカム接触部材１６４を前方に押すような位置にはない。回転駆動部材１６２の外周にある凹凸部に噛み合い、ピストン１６５は少し後退している。ノズルユニット１６６とノズル部材１６７とマガジン駆動部材１６１とは一体的に動き、最も後退した位置にある。回転駆動部材１６２は、マガジン内にある受動部材１６８に対して、まだ何の作用もしていない。やがて回転駆動部材１６２は矢印１６９の方向に回転してゆき、図２４のような状態になる。
【００７１】
図２４は、本発明による第４の実施例の略式構造説明図である。回転駆動部材１６２が矢印１６９の方向に回転してゆくと、カム部１６３はカム接触部材１６４を矢印１７０の方向に押す。それに伴いマガジン駆動部材１６１も矢印１７１の方向に移動する。マガジン内にある受動部材１６８のＢガイド溝１７２は、マガジンに固定されているガイド部材１７３，１７４に案内されているので、上下方向にしか動くことができず、矢印１７５の方向に押し下げられる。以後の関連作動は、図２１の第３の実施例と基本的にほとんど同じである。ただし第４の実施例では、図９の第１の実施例で説明したように、ノズル部材１６７が球状弾の出口をふさいでいるタイミングで駆動用ラチェット１７６を矢印１７７の方向に回転させて送弾をおこなうので、駆動用ラチェット１７６とスプロケット１７８との間に、畜力機構を設ける必要がある。
【００７２】
図２５は、第４の実施例におけるマガジンの外観図である。図２２の、第３の実施例におけるマガジンと同様に、矢印１７９のような方向の手押し作業を２８回程度おこなうことで、球状弾の初期充てんをすることが簡単にできる。図２２の、第３の実施例におけるマガジンと比べると、傾斜部の位置関係が逆になっていることがわかる。第４の実施例の説明は、請求項１、２、４、５、６、８、９、１０、２１、２６、３３に関係する。
【００７３】
次に、回転体を利用したマガジン駆動部材が後退するときに受動部材を押し下げて、マガジン内の送弾装置を機能させるタイプの、本発明の他の実施例を示す。
【実施例５】
【００７４】
図２６は、本発明による第５の実施例の略式構造説明図である。銃本体側の機構は基本的に、図２３に示す第４の実施例とほぼ同じに描いてある。違いはマガジン駆動部材の配置位置だけである。図２３に比べて少し前方に配置してある。またマガジン内の基本的な機構も、図２０に示す第３の実施例と、ほぼ同じである。マガジンから飛び出た凸部分の位置と形状に、少しだけ違いがある。
【００７５】
第５の実施例の特徴は、受動部材１８０の傾斜部に曲線を利用した点にあり、回転体を利用したマガジン駆動部材１８１に押されて、受動部材１８０が動き始めるときに、衝撃が発生せず、第４の実施例に比べて滑らかな動きが期待できる。
【００７６】
図２３から図２４において説明した第４の実施例では、マガジン駆動部材が前方に移動するときに受動部材が下がって、マガジン内の送弾装置が機能するものであったが、図２６から図２７においては、その逆に、マガジン駆動部材１８１が後方に移動するときに受動部材１８０が下がる様子が描かれている。マガジン駆動部材１８１を後方に移動させる力は、スプリング１８２から得る。カム接触部材１８３がカム部１８４に押されて矢印１８５の方向に動くと、スプリング１８２は縮められて力が蓄えられる。やがて図２７に示す状態になり、カム接触部材１８３と一体的に動くマガジン駆動部材１８１が後方に移動して、受動部材１８０が下がる。受動部材が下がることにより、送弾機構が機能することは、第３および第４の実施例で述べたとおりである。図２６から図２７において描かれている各種の矢印は、各部品の動きの方向や、スプリングの力がかかる方向を示している。各種の矢印については、第１から第４に至る実施例ですでに説明しており、十分に理解できるので説明を省略する。第５の実施例の説明は、請求項１、２、４、５、６、８、９、１０、２１、２６、３３に関係する。
【００７７】
次に、シリンダーが前後動するタイプの電動エアガンにおいて、シリンダーと一体的にマガジン駆動部材が後退するときに受動部材を押し下げて、マガジン内の送弾装置を機能させるタイプの、本発明の他の実施例を示す。
【実施例６】
【００７８】
図２８は、本発明による第６の実施例の略式構造説明図である。ピストン１８６の後方上端部に設けられた凸部１８７は、ギアボックスまたは銃の本体に設けられたストッパー１８８により、それ以上は前進できない。シリンダー１８９の前方部には、シリンダーヘッド１９０が固着されていて、シリンダーヘッド１９０にはノズル部材１９１が設けられている。またシリンダー１８９の前方下部には、マガジン駆動部材１９２が設けられ、アーム部材１９３の後方部にはカム接触部材１９４が設けられている。アーム部材１９３にはバネ１９５が作用しており、アーム部材１９３は常に前方へと引っ張られている。常に前方へと弾力的な力を作用させるために、引っ張りバネの代わりに、押しバネを用いてもよい。押しバネの用い方は、図８などですでに説明している。
【００７９】
シリンダー１８９の前方部は、ギアボックスまたは銃の本体に設けられたストッパー１９６により、それ以上は前進できない。このシリンダーが前後動するタイプは、小型の電動エアガンに適している。小型なので、シリンダー１８９、シリンダーヘッド１９０、ノズル部材１９１、マガジン駆動部材１９２、アーム部材１９３、カム接触部材１９４を、ひとつのシリンダーユニット成型品とすることができる。凸部１８７は、図２８ではピストンの上方部に設けられているが、左右側面部に設けてもよい。回転駆動部材１９７に設けられたカムピン１９８は、リブ１９９により強度が向上している。
【００８０】
シリンダーユニットを後退させる手段として、ラックギアと一部の歯が無いピニオンギアとの組み合わせを利用することもできる。図７３には、その手段が描かれている。
【００８１】
受動部材２００は、シリンダーやバレルに向いたマガジンの端面部（この場合にはマガジンの上側端面部）より凸状に露出している。受動部材２００は、軸２０１によりマガジン２０２に、回転できるように固定されている。ラチェット押しバー２０３の上方部は、軸２０４により受動部材２００に、回転できるように固定されている。バネ２０５は、受動部材２００とラチェット押しバー２０３とを、矢印２０６の方向に常に押し上げている。球状弾２０７は、ノズル部材１９１が存在するので、それ以上に上昇することはできない。図２８は、発射直後に停止した、最も標準的な初期状態を描いたものである。
【００８２】
図２９は、本発明による第６の実施例の略式構造説明図である。図２９は、回転駆動部材１９７が矢印２０８の方向に回転して、カム接触部材１９４を最も後退させた状態を示している。マガジン駆動部材１９２も矢印２０９の方向に最も後退し、受動部材２００を押し下げる。そして、ラチェット押しバー２０３も下がって、駆動用ラチェット２１０を矢印２１１の方向に回転させる。スプロケット２１２が回転して、球状弾２０７はノズル部材１９１の前方にまで押し上げられる。
【００８３】
第６の実施例は、第１の実施例や第２の実施例などに比べて、マガジン内部の部品点数が少ないという特徴がある。また、シリンダー１８９、シリンダーヘッド１９０、ノズル部材１９１、マガジン駆動部材１９２、アーム部材１９３、カム接触部材１９４を、ひとつのシリンダーユニット成型品とすることができるので、安価な銃を提供できるという特徴がある。第６の実施例の説明は、請求項１、２、４、５、６、８、９、１０、２１、２６、２７、３４に関係する。
【００８４】
第６の実施例では、マガジン駆動部材が後退するときに受動部材を押し下げる方式について説明したが、次に、マガジン駆動部材が前進するときに受動部材を押し下げて、マガジン内の送弾装置を機能させるタイプの、本発明の他の実施例を示す。
【実施例７】
【００８５】
図３０は、本発明による第７の実施例の略式構造説明図である。シリンダーユニット関係やピストン駆動系は、第１の実施例とほぼ同じである。違いはマガジン駆動部材の形状とその配置位置だけである。第１の実施例においては、マガジン駆動部材の前方部がほぼ垂直状に形成されているのに対し、第７の実施例においては、マガジン駆動部材の前方部が傾斜部を有するように形成されている。
【００８６】
第７の実施例は、第６の実施例と比べて、マガジン上側端面部より凸状に露出している、受動部材の形状と機能に違いがある。第７の実施例における受動部材２１３は、回転体である。傾斜部（直線状または曲線状の傾斜部）を有するマガジン駆動部材との組み合わせによれば、第７の実施例のように、マガジン駆動部材２１４を後方より作用させても受動部材２１３は下がることができ、第６の実施例のように、マガジン駆動部材を前方より作用させても受動部材２１３は下がることができる。
【００８７】
図３０は第７の実施例の標準的な初期状態を示している。図３１は銃側の駆動系が動いて、マガジン駆動部材２１４が最も前進し、受動部材２１３が下がり、駆動用ラチェット２１５が矢印２１６の方向に回転して、ラチェット１歯分の畜力をおこなった状態を示している。第７の実施例の説明は、請求項１、２、４、５、６、８、９、１１、２１、２６、３４に関係する。
【００８８】
第６の実施例は、マガジン駆動部材が後退するときに受動部材を押し下げる方式で、受動部材が軸２０１を中心とした円弧運動をするタイプであったが、次に、受動部材が２本の平行アームによって支持されていて、円弧運動を感じさせない程度の上下運動をおこなうことにより、マガジン内の送弾装置を機能させるタイプの、本発明の他の実施例を示す。
【実施例８】
【００８９】
図３２は、本発明による第８の実施例の略式構造説明図である。受動部材２１７の、マガジンから露出した凸部分の後部側が、ほぼ垂直に形成されている点が、図２８の例とは異なっている。図２８の例（第６の実施例）では、受動部材２００が、軸２０１を中心とした比較的小さな円弧運動をするので、受動部材２００の、マガジンから露出した凸部分の後部側が、軸２０１を中心とした円弧で形成されている。マガジンから露出した凸部分を指で押したときに、図２８の例（第６の実施例）では比較的小さな円弧運動を感じるのに対して、図３２の例（第８の実施例）では、ほぼ平行に配置された２本のアーム２１８、２１９の働きにより、ほぼ上下運動に近い運動となる。したがって円弧運動を感じさせることはほとんどなく、露出した凸部分を指で押す場合に、押していて気持ちがよい。マガジンの外観は、デザイン的に直線部分が多いので、見えている部品も直線状に動く方が、扱っていて気持ちがよい。他の部分においては、図２８の例（第６の実施例）と、図３２の例（第８の実施例）には差はないので、重複する説明は省略する。第８の実施例の説明は、請求項１、２、４、５、６、８、９、１０、２１、２６、２７、３４に関係する。
【００９０】
第１から第８に至る実施例は、マガジン駆動部材がアーム部材（シリンダーと一体的に構成されたアーム部材を含む）と、一体的に構成されている方式であったが、次に、マガジン駆動部材がアーム部材（シリンダーと一体的に構成されたアーム部材を含む）とは別に配置され、アーム部材と連繋しながら動き、受動部材に駆動力を伝達して、受動部材を往復運動させることにより、マガジン内の送弾装置を機能させるタイプの、本発明の他の実施例を示す。
【実施例９】
【００９１】
図３３は、本発明による第９の実施例の略式構造説明図である。銃の機関部は、基本的に、第２の実施例（回転駆動部材の回転により、カム接触部材が後方に押される方式）と同じある。アーム部材２２０の前方下部に、ふたつの凸部２２１、２２２が設けられている。軸２２３に支えられたクランク形状のマガジン駆動部材２２４の先端部には、回転体２２５が配置され、受動部材２２６との摩擦を軽減している。マガジンの基本構造は図２３の第４の実施例と同じある。違いは、受動部材２２６には傾斜部がなく、マガジン全体の上下方向の長さが少し違う、という点くらいである。アーム部材２２０はバネ２２７により、矢印２２８の方向に引かれている。銃の機関部が、このような状態で停止しているときであれば、マガジンをセットしても、受動部材２２６には何の力も加わらない。銃の機関部が、図３４のような状態で停止しているときであれば、マガジンをセットしたときには、受動部材２２６には力が働き、受動部材２２６はマガジン内に押し込まれる。
【００９２】
図３４は、回転駆動部材２２９が矢印２３０の方向に回転して、アーム部材２２０を矢印２３１の方向に押した状況を示している。クランク形状のマガジン駆動部材２２４は、凸部２２２によって矢印２３２の方向に回転して、受動部材２２６を矢印２３３の方向に押し下げる。受動部材が押し下げられるとマガジン内の送弾装置が機能することは、すでに述べてある。
【００９３】
第９の実施例において、マガジン駆動部材２２４と、ふたつの凸部２２１、２２２とを、受動部材２２６を配置する基準中心線２３４に対して対称な位置に配置し、バネ２２７とバネ２２７の支持部２３５とを前方に配置し直すことで、アーム部材２２０を矢印２３１の方向に押したときに受動部材２２６を押し下げる方式から、バネ２２７の引く力を利用して、アーム部材２２０を矢印２３１とは反対の方向に引いたときに受動部材２２６を押し下げる方式に変えることができるのは、明らかである。第９の実施例の説明は、請求項１、２、３、５、６、８、２２、２６に関係する。
【００９４】
第９の実施例は、銃の機関部が基本的に、第２の実施例と同じであったが、次に、銃の機関部が基本的に、第１の実施例（回転駆動部材の回転により、カム接触部材が前方に押される方式）と同じで、マガジン駆動部材がアーム部材とは別に配置され、アーム部材と連繋しながら動き、受動部材に駆動力を伝達して、受動部材を往復運動させることにより、マガジン内の送弾装置を機能させるタイプの、本発明の他の実施例を示す。
【実施例１０】
【００９５】
図３５は、本発明による第１０の実施例の略式構造説明図である。カム接触部材２３６はバネ２３７により、矢印２３８の方向に押され、最も後退した状況にある。軸２４０に支えられたクランク形状のマガジン駆動部材２４１は、受動部材２３９によって、押し上げられている。マガジン駆動部材２４１には、バネなどを作用させていないので、マガジンを抜くと、重力によって、自然に回転するように下がることが分かる。
【００９６】
図３５の状態から、回転駆動部材２４２が、矢印２４３の方向に回転してゆくと、カム接触部材の反対側にある端部２４４は、マガジン駆動部材２４１の後方にある凸部２４５を押し始め、やがてカム接触部材２３６が最も前進した、図３６のような状態に至る。受動部材２３９が矢印２４６の方向に押し下げられるとマガジン内の送弾装置が機能することは、すでに述べてある。図３６において使用されたマガジンは、図２３の第４の実施例で使用されたマガジンと全く同じある。このように、マガジンから露出した凸部分が傾斜部を有していれば、同じマガジンを異なるシステムの銃に使用することができ、便利である。第１０の実施例の説明は、請求項１、２、３、５、６、８、２２、２６に関係する。
【００９７】
次に、銃の機関部が基本的に、第２の実施例（回転駆動部材の回転により、カム接触部材が後方に押される方式）と同じで、マガジンがセットされるときに、マガジン駆動部材が受動部材に押されて引っ込むタイプの、本発明の他の実施例を示す。
【実施例１１】
【００９８】
図３７は、本発明による第１１の実施例の略式構造説明図である。受動部材２４７は、マガジンから露出した凸部分がマガジンの内側に引っ込むことができない構造である。受動部材２４７の基部はレール部２４８によって、前後方向に平行移動だけができるようにガイドされている。受動部材２４７の基部の下方には、凸部２４９が設けられていて、クランク２５０を押すようになっている。このクランク２５０より先のマガジン構造は、第２の実施例と基本的に同じである。マガジン駆動部材２５１はバネ２５２によって押されているが、アーム部材２５３の先端付近に設けられた抜け止め部２５４の働きにより、抜け落ちることはない。
【００９９】
図３８は、アーム部材２５３が最も後退しているときに銃を停止させた後に、マガジン２５５を矢印２５６Ａの方向にセットしたときの状況を示す。マガジン駆動部材２５１と受動部材２４７の、係合すべき位置が合わないので、マガジン駆動部材２５１は受動部材２４７によって押し上げられている。この状態から射撃を開始すると、マガジン駆動部材２５１の凹部は前進を始め、すぐに受動部材２４７の凸部にはまり込む。そうすれば図３７のような正常な噛み合い状態が保たれるので、マガジン駆動部材２５１の水平方向の往復運動がそのまま受動部材２４７に、水平方向の往復運動として伝えられ、マガジン内のクランク２５０の働きによって垂直方向の往復運動に変換されて、ラチェットとスプロケットを用いた送弾装置が機能する。図３９は、本発明による第１１の実施例によるマガジンの外観図である。露出した凸部分は矢印２５６Ｂの方向にのみ動き、マガジン内部のバネの働きによって、初期位置に復帰する。第２の実施例は、マガジンの上方面に受動部材を飛び出させたくない、というデザイン的な要求を満足させた発明であるが、第１１の実施例は、マガジンから露出した凸部分が水平方向の往復運動のみを行い、露出した凸部分がマガジンの内側に引っ込むことができない構造にしたい、という要求を満足させた発明である。露出した凸部分がなく、なるべく本物に近いリアルな外観を要求する人と、露出した凸部分があってもよいが、動き方はきっちりとした一方向の動きだけを要求する人と、露出した凸部分があってもよいし、動き方も前後に動いたり、引っ込んだりしても構わない、と思う人がいるなど、消費者の求めるものは様々である。それに応える必要があり、その結果が第２の実施例であり、第１１の実施例であり、次の第１２の実施例である。第１１の実施例の説明は、請求項１、２、３、５、６、８、２１、２６、３２に関係する。
【実施例１２】
【０１００】
図４０は、本発明による第１２の実施例の略式構造説明図である。露出した凸部分があってもよいし、動き方も前後に動いたり、引っ込んだりしても構わない、と思う人に適している。銃の機関部は、基本的に、第２の実施例（回転駆動部材の回転により、カム接触部材が後方に押される方式）と同じある。マガジン駆動部材２５７が後方に動くと、受動部材２５８も後方に移動する。受動部材基部２５９はレール部２６０、２６１にガイドされているので、水平方向の往復運動しかできない。受動部材基部２５９はバネ２６２により常に矢印２６３の方向に押されてる。受動部材基部２５９の下方部に配置されたラチェットフック２６４は、バネ（図示せず）により常に矢印２６５の方向に押されてる。マガジン駆動部材２５７の一往復により、ラチェットフック２６４はラチェット２６６を１歯分だけ送り、送弾装置が機能する。  回転駆動部材２６７が矢印２６８の方向に回転して、マガジン駆動部材２５７が少しでも後退した位置で射撃を停止すると、次にマガジンをセットし直したとき、図４０のようにはならずに、図１４に近い状態でのセットになる。受動部材２５８は軸２６９を中心に回転するように引っ込むことができる。バネ２７０は受動部材２５８を常に矢印２７１の方向に押している。
【０１０１】
受動部材体２７２は、受動部材２５８、軸２６９、バネ２７０、受動部材基部２５９、バネ２６２、ラチェットフック２６４などの複数の部品を、弾性を有するプラスティックで一体に成型したものを示す。成人向けの高価な商品には、高いレベルの耐久性が求められるので、金属製のバネや金属製の軸などが使われるが、それほどの耐久性が求められない、子供向けの安価な商品を作るときには適している。第１２の実施例の説明は、請求項１、２、３、５、６、９、２１、２６に関係する。
【０１０２】
次に、銃の機関部が基本的に、図３７の第１１の実施例（回転駆動部材の回転により、カム接触部材が後方に押される方式）と同じで、マガジンの内部機構が異なるタイプの、本発明の他の実施例を示す。
【実施例１３】
【０１０３】
図４１は、本発明による第１３の実施例の略式構造説明図である。図３７のマガジンは、受動部材２４７が受けた水平方向（前後方向）の往復運動を、一度、垂直方向（上下方向）の往復運動に変換し、さらに回転運動に変換していたものであるが、図４１のマガジンは、受動部材２７３が受けた水平方向（前後方向）の往復運動を、すぐに回転運動に変換するものである。受動部材２７３の近傍だけが少し異なるだけで、それ以外は、図４０のマガジンと同じであり、同じ機能を果たすことは明らかである。したがって、細かな説明は省略する。図４１の実施例においても、図４０にて示した受動部材体２７２のような簡素化部品が作れることは言うまでもない。第１３の実施例の説明は、請求項１、２、３、５、６、２１、２６、３２に関係する。
【０１０４】
次に、銃の機関部が基本的に、第１の実施例（回転駆動部材の回転により、カム接触部材が前方に押される方式）と同じで、マガジンがセットされるときに、マガジン駆動部材に押されて、受動部材が引っ込むタイプの、本発明の他の実施例を示す。
【実施例１４】
【０１０５】
図４２は、本発明による第１４の実施例の略式構造説明図である。マガジン駆動部材２７４は、図８の第１の実施例のマガジン駆動部材２６に比べて、少し後方に配置されていて、下方部分の幅が広い。これは図４５のような、マガジンをセットするときの、受動部材押し下げに役立つ。受動部材２７５は受動部材基部２７６に図示するようにセットされ、バネ２７７により押し上げられている。受動部材２７５と受動部材基部２７６とは、軸２７８に支えられ、全体的に、エル字状になっている。受動部材基部２７６はバネ２７９により矢印２８０の方向に押し上げられていて、ストッパー２８１で止まっている。このような配置とすることで、図４３に示すように、マガジン駆動部材２７４の前方への動きが、即、下方への動きに変換されて効率がよい。図８の第１の実施例に比べて、構造も簡素化されている。図４４は、第１４の実施例によるマガジンの外観図である。マガジンから露出した凸部分（受動部材）を矢印２８２の方向に押せば送弾機構が働き、矢印２８３の方向に押せば凸部分（受動部材）は引っ込む。
【０１０６】
図４５は、マガジン駆動部材２７４が最も前進しているときに銃を停止させた後に、マガジン２８４を矢印２８５の方向にセットしたときの状況を示す。マガジン駆動部材２７４の幅広の下方部が、マガジンから露出した凸部分（受動部材２７５）を、押し下げた状況を示す。この後に銃を再起動させ、回転駆動部材２８５をさらに回転させれば、図４２の初期状態に戻り、以後は正常な送弾がなされるようになる。受動部材基部２７６から先の機構は、第２の実施例のマガジンとほぼ同じである。図１２、図１３にて十分に説明してあるので、細かな説明は省略する。第１４の実施例の説明は、請求項１、２、３、５、６、８、９、２１、２６に関係する。
【０１０７】
次に、銃の機関部が基本的に、第１の実施例（回転駆動部材の回転により、カム接触部材が前方に押される方式）と同じで、マガジンがセットされるときに、銃本体に設けられたマガジンの導入部分の内壁や、ギアボックスの外壁に押されて受動部材が引っ込むタイプの、本発明の他の実施例を示す。
【実施例１５】
【０１０８】
図４６は、本発明による第１５の実施例の略式構造説明図である。マガジン駆動部材２８６は、図４２にて示す第１４の実施例のマガジン駆動部材２７４に比べて、さらに後方に配置されていて、下方部分の長さが長い。それ以外に異なる点はない。受動部材２８７は軸２８８によって回転できるように支持されていて、バネ２８９により矢印２９０の方向に押し上げられている。そして、ストッパー２９１で止まっている。銃の機関部が動き出し、マガジン駆動部材２７４が矢印２９２の方向に移動すると、やがて、マガジン駆動部材２７４の前端部が受動部材２８７を押し、受動部材２８７は軸２８８を中心に回転して、受動部材２８７のアーム部２９３が下がり、平行移動部材２９４とバネ２９５とを介して、ラチェット押しバー２９６を押し下げる。それ以降の機能については説明済みなので、省略する。平行移動部材２９４とバネ２９５とラチェット押しバー２９６とを、ひとつの部品としてもよい。第１４の実施例は、受動部材が、シリンダーやバレルに向いたマガジンの端面部（第１４の実施例の場合にはマガジンの上側端面部）より凸状に露出しているものであるが、第１５の実施例は、受動部材が、シリンダーやバレルの中心軸方向に向いたマガジンの端面部（第１５の実施例の場合にはマガジンの後方側端面部）より凸状に露出しているものである。露出している受動部材は、マガジンセットのときに、自動的に引っ込むので、障害はない。
【０１０９】
受動部材２８７が軸２８８によって回転できるように支持されている実施例が詳細に描かれているが、受動部材が平行に移動できるように支持されている構造に変更できることは、これまでに描き、述べてきた内容から容易に理解できる。ひとつの変更例を、図４２の左下方部に示した。受動部材２９７、バネ２９８、クランク２９９による置き換えで、同等の機能を果たす。マガジンの外観も変化しない。第１５の実施例の説明は、請求項１、２、３、５、６、８、１２、２１、２６に関係する。
【０１１０】
次に、銃の機関部が基本的に、図１２の第２の実施例（回転駆動部材の回転により、カム接触部材が後方に押される方式）と同じで、マガジン駆動部材が運動の方向を変換する機能を有するタイプの、本発明の他の実施例を示す。
【実施例１６】
【０１１１】
図４７は、本発明による第１６の実施例の略式構造説明図である。マガジン駆動部材３００は軸３０１に支えられ、一定の範囲で自由に回転できる。アーム部材３０２の下部に設けられた、バネ支持用のフック後端部３０３が後退すると、マガジン駆動部材３００の上方端部３０４が、矢印３０５の方向に押し下げられる。運動の方向が変換され、マガジン駆動部材３００は矢印３０６の方向に動き、受動部材３０７を押し込む。図４７のマガジンは、図４６のマガジンと全く同じであるので、以降の説明は省略する。当然、図４２の左下方部に示したような受動部材２９７、バネ２９８、クランク２９９による置き換えと同じこともできる。第１６の実施例の説明は、請求項１、２、３、５、６、８、１２、２６、３５に関係する。
【０１１２】
次に、銃の機関部が基本的に、図１２の第２の実施例（回転駆動部材の回転により、カム接触部材が後方に押される方式）と同じで、マガジン駆動部材が、アーム部材に作用させているバネの復元力によって機能するタイプの、本発明の他の実施例を示す。
【実施例１７】
【０１１３】
図４８は、本発明による第１７の実施例の略式構造説明図である。マガジン駆動部材３０８は、アーム部材３０９の下方に配置されている。回転駆動部材３１０が矢印３１１の方向に回転すると、マガジン駆動部材３０８はやがて矢印３１２の方向に動き始め、受動部材３１３を押し込む。図４７のマガジンは、図４６のマガジンと全く同じであるので、以降の説明は省略する。当然、図４２の左下方部に示したような受動部材２９７、バネ２９８、クランク２９９による置き換えと同じこともできる。マガジン駆動部材３０８は、アーム部材に作用させているバネ３１４によって、常に前方へと引っ張られている。バネ３１４は引っ張りバネとして描かれているが、押しバネに変更することは容易である。第１７の実施例の説明は、請求項１、２、３、５、６、８、１２、２１、２６、３４に関係する。
【０１１４】
次に、銃の機関部が基本的に、図４２の第１４の実施例（回転駆動部材の回転により、カム接触部材が前方に押される方式）と同じタイプの、本発明の他の実施例を示す。
【実施例１８】
【０１１５】
図４９は、本発明による第１８の実施例の略式構造説明図である。マガジン駆動部材３１５は、図４２の第１４の実施例に比べて、少し前方に配置されている。受動部材３１６は、受動部材基部３１７に、軸３１８によって支えられ、バネ３１９により押し上げられている。同様の構造で、ラチェットフック３２０が、受動部材基部３１７に、軸３２１によって支えられ、バネ３２２により押し下げられている。受動部材基部３１７は、軸３２３によって支えられ、バネ３２４により常に後方へと押されている。このような状況で、回転駆動部材３２５が矢印３２６の方向に回転すると、マガジン駆動部材３１５はやがて矢印３２７の方向に動き始め、受動部材３１６を前方へと押す。受動部材基部３１７は軸３２３を中心に、矢印３２８の方向に回転する。ラチェットフック３２０がラチェット３２９を、矢印３３０の方向に、１歯だけ回転させる。このように、前方に向かう矢印３２７の動きを、軸３２３を利用して、矢印３２７とは逆の後方に向かう動きに直接変換して、ラチェット３２９を１歯だけ回転させることができる。なお、図４０の第１２の実施例に示したと同様の、部品数の大幅な減少が可能である。マガジンの右側に描いた受動部材体３３１は、受動部材３１６、受動部材基部３１７、軸３１８、バネ３１９、ラチェットフック３２０、軸３２１、バネ３２２、バネ３２４などを、弾性を有するプラスティックで一体的に成型したものを示す。高い耐久性を求められることのない、安価な子供用の玩具銃に適する。
【０１１６】
図５０は、受動部材体３３１を用いた場合を描いてあり、マガジン駆動部材３１５が最も前進しているときに銃を停止させた後に、マガジン３３２を矢印３３３の方向にセットしたときの状況を示す。マガジン駆動部材３１５の幅広の下方部が、マガジンから露出した凸部分（受動部材３１６）を、矢印３３４の方向に押し下げた状況を示している。この後に銃を再起動させ、回転駆動部材３２５を回転させれば、マガジン駆動部材３１５の位置は、図４９のような初期状態に戻り、受動部材３１６の位置も初期状態に戻り、以後は正常な送弾がなされるようになる。第１８の実施例の説明は、請求項１、２、３、５、６、９、２１、２６に関係する。
【０１１７】
ここまでは、マガジン駆動部材の往復運動を、受動部材が往復運動（円弧運動を含む往復運動）として受け取り、マガジン内の運動変換機構を用いて、回転運動に変換して送弾を行う本発明のいくつかの実施例を示してきた。次に、マガジン駆動部材にラックギアを用い、受動部材にピニオンギア（またはスパーギア）を用いた、本発明の他の実施例を示す。
【実施例１９】
【０１１８】
図５１は、本発明による第１９の実施例の略式構造説明図である。マガジン駆動部材３３５はラックギアであり、受動部材３３６はスパーギアである。回転駆動部材３３７が矢印３３８の方向に回転すると、マガジン駆動部材３３５はＸ軸方向の往復運動を行う。その動きに伴って、受動部材３３６は軸３３９（ＸＺ平面に垂直な軸）を中心に、往復するような回転運動を行う。その往復するような回転運動は、プーリー３４０、ベルト３４１によって、内歯ラチェットを有するプーリー３４２に伝えられる。プーリー３４２の中心部には貫通穴があり、ラチェットアーム３４３の中心軸３４４が通っている。中心軸３４４にはスパーギア３４５が固着されている。このように構成することで、矢印３４６の方向の、ベルト３４１の動きは、ラチェットアーム３４３の先端部がスリップして伝達されない。一方、矢印３４７の方向の、ベルト３４１の動きは、ラチェットアーム３４３の先端部がプーリー３４２の内歯ラチェットに引っかかり、伝達される。すなわち、内歯ラチェットを有するプーリー３４２、ラチェットアーム３４３、中心軸３４４、スパーギア３４５の４個の部品で、一方向クラッチを構成している。これにより、回転駆動部材３３７の往復運動が、矢印３４８の方向の回転運動に変換される。矢印３４８の方向の回転運動は、スパーギア３４９を矢印３５０の方向に回転させ、送弾が行われる。あるいは、図５１の右側に配置した部分図のように、受動部材３３６にピニオンギア３５１を噛み合わせ、ピニオンギア３５１の同軸にベベルギア３５２を固着し、ベベルギア３５２に噛み合うベベルギア３５３を配置すれば、Ｚ軸方向を向いたシャフト３５４に往復するような回転運動をさせることができる。そして、シャフト３５４に、前述したと同様な一方向クラッチを組み込めば、一方向に回転する、Ｚ軸方向を向いた軸を配置することができる。一方向に回転する、Ｚ軸方向を向いた軸に、図７０のようにプロペラを取り付けたり、図７１のように縦スクリューを取り付けたり、図７２のように横スクリューを取り付けたりすれば、送弾を行うことができる。マガジン駆動部材３３５（ラックギア）と受動部材３３６（スパーギア）の歯先を極めて小さなＲ形状にしておけば、マガジンの着脱に際して、歯先がぶつかってマガジンがセットできない、などという事態はほとんど発生しない。第１９の実施例の説明は、請求項１、２、６、１３、２１、２４、２６に関係する。
【０１１９】
次に、マガジン駆動部材にスパーギアを用い、受動部材にもスパーギアを用いた、本発明の他の実施例を示す。
【実施例２０】
【０１２０】
図５２は、本発明による第２０の実施例の略式構造説明図である。図５１では、受動部材を、マガジンの上方端面部（球状弾の排出方向と同じ方向を向いた、マガジンの端面部）に配置したが、第２０の実施例では、受動部材を、マガジンの後方端面部（球状弾の排出方向とは異なる方向を向いた、マガジンの側面部）に配置した。
【０１２１】
マガジン駆動部材３５５はピニオンギアを備えたスパーギアであり、受動部材３５６もスパーギアである。回転駆動部材３５７が矢印３５８の方向に回転すると、アーム部材３５９はＸ軸方向の往復運動を行う。アーム部材３５９の下方にはラックギア３６０が設けられ、ピニオン・スパーギア３６１を介して、マガジン駆動部材３５５であるスパーギアに、往復するような回転運動を与える。アーム部材３５９が矢印３６２の方向（−Ｘ方向）に動くと、受動部材３５６は矢印３６３の方向に回転し、送弾機構であるスプロケット３６４は矢印３６５の方向に回転する。アーム部材３５９が矢印３６２とは逆の方向（Ｘ方向）に動くときには、図５１の第１９の実施例で詳細に説明したように、途中に配置した一方向クラッチ機構の働きによって、力は伝達されない。また、図５２の右側に配置した部分図のように、受動部材３５６にピニオンギア３６６を噛み合わせ、ピニオンギア３６６の同軸にベベルギア３６７を固着し、ベベルギア３６７に噛み合うベベルギア３６８を配置すれば、Ｚ軸方向を向いたシャフト３６９に往復するような回転運動をさせることができる。そして、シャフト３６９に、前述したと同様な一方向クラッチを組み込めば、一方向に回転する、Ｚ軸方向を向いた軸を配置することができる。その応用法については、すでに述べてある。第２０の実施例の説明は、請求項１、２、６、１４、１５、２５、２６に関係する。
【０１２２】
次に、マガジン駆動部材にベベルギアを用い、受動部材にもベベルギアを用いた、本発明の他の実施例を示す。
【実施例２１】
【０１２３】
図５３は、本発明による第２１の実施例の略式構造説明図である。受動部材を、マガジンの上方端面部（球状弾の排出方向と同じ方向を向いた、マガジンの端面部）に配置した。マガジン駆動部材３７０はベベルギアであり、受動部材３７１もベベルギアである。回転駆動部材３７２が矢印３７３の方向に回転すると、アーム部材３７４はＸ軸方向の往復運動を行う。アーム部材３７４の下方にはラックギア３７５が設けられ、ピニオンギア３７６、ピニオン・ベベルギア３７７、ベベルギア３７８を介して、マガジン駆動部材３７０であるベベルギアに、往復するような回転運動を与える。マガジン駆動部材３７０であるベベルギアの軸方向はＸ軸方向と同じであるが、受動部材３７１に力が伝達された時点で、回転軸の方向はＺ軸方向と同じになる。受動部材３７１であるベベルギアは、往復するような回転運動をするだけなので、そのままでは送弾装置は機能しない。一定の方向に回転させる一方向クラッチ機構が必要があり、図１７で説明したような、畜力機構も必要となる
【０１２４】
一方向クラッチ機構については、図５１の第１９の実施例で詳細に述べた。それと同様の機構を、Ｚ軸方向に配置すればよい。受動部材３７１のシャフト３７９にラチェットアーム３８０を取り付ける。内歯ラチェットを有するカップリング３８１がシャフト３８２に取り付けられ、シャフト３７９とシャフト３８２を同軸上に配置する。これで一方向クラッチ機構として機能する。次に、シャフト３８２にゼンマイバネ軸部材３８３を取り付け、ゼンマイバネ３８４をセットする。内壁に複数の凹部を有するカップリング３８５に駆動シャフト３８６を取り付ける。ゼンマイバネ３８４の外側端部をカップリング３８５の内壁にある凹部にはまりこむように組み込めば、図１７で説明したものと同様の畜力装置となる。送弾機構は、駆動シャフト３８６の先端付近にプロペラ３８７を取り付けて球状弾をかき込み、分離ツメ３８８で１弾ずつ分離して搬送路３８９に送り込むものである。まれに、プロペラ３８７と分離ツメ３８８との間に球状弾を挟み込むことがある。そのような場合には、解除ツマミ３９０を矢印３９１の方向に押してやれば、解除ツマミ３９０の先端部が、駆動シャフト３８６の先端に取り付けられたピニオンギア３９２をわずかに回転させて、球状弾の挟み込みを解除してくれる。バネ３９３は、解除ツマミ３９０の復帰バネである。
【０１２５】
図５３では、一般的な薄い箱状の小型マガジンを描いてあり、プロペラ３８７の羽根の枚数は３枚程度である。しかし、大型ボックスマガジンを用いれば、プロペラの羽根の枚数を２０枚などと多数化することができる。あるいは、今までＸＺ平面と垂直なな軸（Ｙ軸）で用いていた、図１７で示していたスプロケットの軸を、Ｚ軸方向に使用することができる。簡単に言えば、エアガン業界の従来の常識であった、マガジンの送弾用スプロケットは縦配置、をやめて、ボックスマガジンの底部に、送弾用スプロケットを横配置にするのである。大型ボックスマガジンにおいては、縦配置のスプロケットを横配置にすることで、装弾数は数千発というレベルで増加する。送弾用スプロケットの縦配置は、大型ボックスマガジンの容積の、半分近くをデッドスペースにしており、ムダが大きかった。もちろん、スプロケット方式と同様に、プロペラ方式も採用できる。第２１の実施例の説明は、請求項１、２、６、１４、１５、１６、２５、２６に関係する。
【０１２６】
図５３では、マガジン駆動部材にベベルギアを用い、受動部材にもベベルギアを用いた実施例を示した。次に、ギアボックス内の機構が図５３第２１の実施例と全く同じで、出力部であるマガジン駆動部材のみに違いがある、本発明の他の実施例を示す。マガジン駆動部材にピニオンギアを用い、受動部材にスパーギアを用いた実施例である。マガジンは図５３第２１の実施例とは全く異なる構造の実施例である。
【実施例２２】
【０１２７】
図５４は、本発明による第２２の実施例の略式構造説明図である。マガジンを銃にセットしようとしている状況を描いてある。マガジン駆動部材３９４はピニオンギアであり、受動部材３９５はスパーギアである。マガジン３９６が矢印３９７の方向にセットされると、ふたつのギアは噛み合う。マガジン駆動部材３９４であるピニオンギアの軸には、図５３第２１の実施例で示したものと全く同じ構造の、一方向クラッチ機構３９８が配置され、マガジン駆動部材３９４は必要な方向にのみ回転する。また、マガジン内の第２スパーギア３９９と同軸に、やはり、図５３第２１の実施例で示したものと基本的に同じ構造の、畜力機構４００が配置されている。畜力機構４００の外周部はプーリーになっていて、ベルト４０１を介して、プーリー４０２に力を伝達している。プーリー４０２のシャフト４０３にはスクリュー４０４とピニオンギア４０５が取り付けられている。スクリュー４０４の回転によって、球状弾が搬送路４０６に送り込まれるのであるが、噛みつきが発生することも考えられる。噛みつきが発生した場合には、指でピニオンギア４０５を少し動かせば、噛みつきは解消する。図５４の第２２の実施例の特徴は、マガジン駆動力をＸ軸方向の回転力で出力して、同じくＸ軸方向の回転力で受動する点にある。第２２の実施例の説明は、請求項１、２、６、１４、１５、１７、２５、２６に関係する。
【０１２８】
図５３では、マガジン駆動部材にベベルギアを用い、受動部材にもベベルギアを用いた実施例を示した。次に、銃側の基本的な機構は図５３の第２１の実施例とよく似ていて、マガジン駆動部材の出力の方向に大きな違いがある、本発明の他の実施例を示す。マガジン駆動部材にベベルギアを用い、受動部材にもベベルギアを用いた実施例である。マガジンは図５３の第２１の実施例とほとんど同じ構造の実施例である。
【実施例２３】
【０１２９】
図５５は、本発明による第２３の実施例の略式構造説明図である。マガジン駆動部材４０７はベベルギアであり、受動部材４０８もベベルギアである。回転駆動部材４０９が矢印４１０の方向に回転すると、アーム部材４１１はＸ軸方向の往復運動を行う。アーム部材４１１の下方にはラックギア４１２が設けられ、中間ギア４１３を介して、受動部材４０８に往復するような回転運動を与える。マガジン駆動部材３７０であるベベルギアに、往復するような回転運動を与える。マガジン駆動部材４０７であるベベルギアの軸方向はＹ軸方向と同じであるが、受動部材４０８に力が伝達された時点で、回転軸の方向はＺ軸方向と同じになる。マガジンは、受動部材４０８であるベベルギアの大きさが違うだけで、図５３の第２１の実施例とほとんど同じ構造の実施例であるので説明は省略する。図５５の第２３の実施例の特徴は、マガジン駆動力をＹ軸方向の回転力で出力して、Ｚ軸方向の回転力で受動する点にある。第２１の実施例と比べると、銃側で使用しているギアの数がふたつ少ないので、より安価である。第２３の実施例の説明は、請求項１、２、６、１４、１５、１６、２５、２６に関係する。
【０１３０】
次に、図５５の第２３の実施例の特徴と同じ、マガジン駆動力をＹ軸方向の回転力で出力して、Ｚ軸方向の回転力で受動する、本発明の他の実施例を示す。
【実施例２４】
【０１３１】
図５６は、本発明による第２４の実施例の略式構造説明図である。基本的には図５５の第２３の実施例とほぼ同じ構造であり、シャフト４１４をふたつに切断して、マガジン駆動部材４１５であるクラウンギアを銃側に設け、受動部材４１６であるクラウンギアをマガジン側に設けた構造である。マガジン４１７が矢印４１８の方向にセットされると、ふたつのクラウンギアは噛み合い、駆動力が伝達される。マガジン駆動力をＺ軸方向の回転力で出力して、Ｚ軸方向の回転力で受動する実施例である。他の部分については、すでに説明してあるので省略する。第２４の実施例の説明は、請求項１、２、６、１４、１５、１６、２５、２６に関係する。
【０１３２】
次に、図５１の第１９の実施例の特徴と同じ、マガジン駆動力をラックギアの往復運動で出力して、Ｚ軸方向の回転力としてピニオンギアで受動する、本発明の他の実施例を示す。
【実施例２５】
【０１３３】
図５７は、ＸＺ平面に垂直なＹ軸方向から見た、本発明による第２５の実施例の略式構造説明図である。図５８は、ＸＹ平面に垂直なＺ軸方向から見た、本発明による第２５の実施例の部分説明図である。銃側の構造は、基本的には図５１の第１９の実施例とほぼ同じ構造であり、マガジン駆動部材４１９であるラックギアの向きが、９０度異なっている点だけが違っている。受動部材４２０であるスパーギアは、マガジンの上方端面部に配置されている。マガジン側の構造は、基本的には図５３の第２１の実施例や、図５５の第２３の実施例とほぼ同じ構造であり、受動部材がクラウンギアであるかスパーギアであるかという点だけが違っている。他の部分については、すでに説明してあるので、マガジンに関する説明は省略する。第２５の実施例の説明は、請求項１、２、６、１３、１６、２１、２４、２６に関係する。
【０１３４】
図５８は、ＸＹ平面に垂直なＺ軸方向から見た部分図であり、マガジン駆動部材４１９であるラックギア、受動部材４２０であるスパーギア、アーム部材４２１、球状弾の排出口４２２などの配置関係が理解できる。アーム部材４２１が矢印４２３の方向に引かれると、受動部材４２０であるスパーギアは矢印４２４の方向に回転する。ただし、この回転は往復するような回転運動なので、図５７に示す一方向クラッチ機構４２５によって、一方向の回転に整える必要がある。一方向クラッチ機構については、すでに述べてある。
【０１３５】
次に、アーム部材の往復運動で、受動部材であるスパーギアに、往復するような回転運動を与える、本発明の他の実施例を示す。
【実施例２６】
【０１３６】
図５９は、ＸＹ平面に垂直なＺ軸方向から見た、本発明による第２６の実施例の部分説明図である。マガジン駆動部材４２６である扇形ギアは、軸４２７によって、銃のギアボックス下方側に取り付けられている。マガジン駆動部材４２６である扇形ギアには、ピン４２８が設けられていて、アーム部材４２９の先端部に設けられた長穴４３０に入り込んでいる。このように構成された状態で、アーム部材４２９が矢印４３１の方向に押されると、マガジン駆動部材４２６である扇形ギアは矢印４３２の方向に回転し、受動部材４３３であるスパーギアは矢印４３４の方向に回転する。
【０１３７】
図６０は、第２６の実施例において、アーム部材４２９が矢印４３５の方向に引かれた状態を示す。マガジン駆動部材４２６である扇形ギアは矢印４３６の方向に回転し、受動部材４３３であるスパーギアは矢印４３７の方向に回転する。図５９、図６０の動作が繰り返されることで、受動部材４３３であるスパーギアに、往復するような回転運動を与えることができる。以後の、マガジン内の各機構の動作については、すでに述べてある。
【０１３８】
図５８から図６０にかけての実施例は、マガジンを銃の下方より差し込む方式の、一般的な銃に関する実施例であるが、後で図８９から図９３にかけて述べる、マガジンを銃の上方より差し込む方式の、特殊な銃にも応用ができる。第２６の実施例の説明は、請求項１、２、１５、３６に関係する。
【０１３９】
次に、マガジン側の基本的な機構が図５８の第２５の実施例とよく似ていて、マガジン駆動部材が逃げ機能を有するラチェットフックである、本発明の他の実施例を示す。
【実施例２７】
【０１４０】
図６１は、ＸＹ平面に垂直なＺ軸方向から見た、本発明による第２７の実施例の部分説明図である。マガジン駆動部材４３８であるラチェットフック、受動部材４３９であるラチェット、アーム部材４４０、球状弾の排出口４４１、ラチェットの逆転を防止するバネ４４２などの配置関係が理解できる。アーム部材４４０が矢印４４３の方向に引かれると、受動部材４３９であるラチェットは、矢印４４４の方向に回転する。アーム部材４４０が矢印４４３とは逆の方向に押されると、逃げ機能（図６１においては素材の弾力性による逃げ機能。図９８の実施例のような方式においては、バネの弾力性による逃げ機能）を有するラチェットフックがラチェットの歯を乗り越えて前進し、ラチェットは逆転を防止するバネ４４２の働きにより、停止している。つまり、アーム部材４４０（図２８の実施例のような方式あるいは図９８の実施例のような方式においては、シリンダーと一体化しているアーム部材）がＸ軸方向の往復運動を行うことで、受動部材４３９であるラチェットは、矢印４４４の方向にのみ回転する。したがって、図５７に示す一方向クラッチ機構４２５のような機構は不要となる。一方向クラッチ機構は、小さな複数の部品で構成されているので、それが省略できることには大きなメリットがある。第２７の実施例の説明は、請求項１、２、１９に関係する。
【０１４１】
次に、マガジンが図６１の第２７の実施例と全く同じで、マガジン駆動部材が第２７の実施例とは異なる方式の逃げ機能を有するラチェットフックである、本発明の他の実施例を示す。
【実施例２８】
【０１４２】
マガジン駆動部材４４５であるラチェットフック、受動部材４４６であるラチェット、アーム部材４４７、球状弾の排出口４４８、ラチェットの逆転を防止するバネ４４９などの配置関係が理解できる。アーム部材４４７が矢印４５０の方向に押されると、受動部材４４６であるラチェットは、矢印４５１の方向に回転する。アーム部材４４７が矢印４５０とは逆の方向に引かれると、逃げ機能（図６２においては素材の弾力性による逃げ機能。図９５の実施例のような方式においては、バネの弾力性による逃げ機能）を有するラチェットフックがラチェットの歯を乗り越えて後退し、ラチェットは逆転を防止するバネ４４９の働きにより、停止している。つまり、アーム部材４４７（図２８の実施例のような方式あるいは図９８の実施例のような方式においては、シリンダーと一体化しているアーム部材）がＸ軸方向の往復運動を行うことで、受動部材４４６であるラチェットは、矢印４５１の方向にのみ回転する。したがって、図５７に示す一方向クラッチ機構４２５のような機構は不要となる。第２８の実施例の説明は、請求項１、２、１９に関係する。
【０１４３】
次に、マガジン駆動部材の往復運動を、受動部材が往復運動として受け取り、マガジン内の運動変換機構を用いて、回転運動に変換して送弾を行う、本発明の他の実施例を示す。
【実施例２９】
【０１４４】
図６３は、本発明による第２９の実施例の略式構造説明図である。銃の機関部に関する構造は、基本的に図１３第２の実施例と同じである。マガジン駆動部材である凸部の形状と配置位置だけが少し違っている。しかし、受動部材４５２の形状と配置位置とを少し変更すれば、銃の機関部に関する構造は、図１３第２の実施例と全く同じにすることができる。
【０１４５】
マガジン駆動部材４５３の凸部は受動部材４５２の凹部に入り込んでいる。受動部材４５２は受動部材基部４５４に支持されていて、バネ４５５の働きにより、常に押されている。このように構成することで、図１４第２の実施例と同じように、受動部材が引っ込むことができるので、マガジン駆動部材４５３の停止位置に関わらず、マガジンを銃にセットすることができる。受動部材基部４５４はレール部４５６にガイドされていて、Ｘ軸方向の往復運動を行う。受動部材基部４５４の下部には、ラックギア４５７が設けられていて、スパーギア４５８に噛み合っている。回転駆動部材４５９が矢印４６０の方向に回転すると、マガジン駆動部材４５３は矢印４６１の方向に動く。それにつれてラックギア４５７も矢印４６２の方向に動き、スパーギア４５８は矢印４６３の方向に回転する。スパーギア４５８は、図５１第１９の実施例におけるスパーギア３３６に相当するので、それ以降のマガジン機構部も図５１第１９の実施例と同様に機能する。第２９の実施例の説明は、請求項１、２、３、５、６、９、２１、２６に関係する。
【０１４６】
次に、マガジン駆動部材の往復運動を、受動部材が往復運動として受け取り、マガジン内の運動変換機構を用いて、回転運動に変換して送弾を行う、本発明の他の実施例を示す。
【実施例３０】
【０１４７】
図６４は、本発明による第３０の実施例の略式構造説明図である。銃の機関部に関する構造は、基本的に図３７第１１の実施例と同じである。直前の例、図６３第２９の実施例とは逆に、マガジン駆動部材側が凹部となり、受動部材側が凸部となっている。マガジン駆動部材４６４の凹部は受動部材４６５の凸部に入り込んでいる。マガジン駆動部材４６４はバネ４６６によって押されているが、アーム部材４６７の先端付近に設けられた抜け止め部４６８の働きにより、抜け落ちることはない。このように構成することで、図３８第１１の実施例と同じように、マガジン駆動部材４６４が引っ込むことができるので、マガジン駆動部材４５３の停止位置や受動部材４６５の停止位置に関わらず、マガジンを銃にセットすることができる。受動部材基部４６９には、バネなどを作用させてはいない。図３８第１１の実施例では、受動部材基部にバネを作用させていたが、なくてもよい。バネがあったほうが、使用者が扱ったときの感触が心地よい、というだけのものである。受動部材基部４６９の下部には、ラックギア４７０が設けられていて、スパーギア４５８に噛み合っている。以降の機構部については、直前の例、図６３第２９の実施例と同等であるので、説明を省略する。第３０の実施例の説明は、請求項１、２、３、５、６、２１、２６、３２に関係する。
【０１４８】
次に、マガジン駆動部材のＸ軸方向の往復運動を、受動部材がＺ軸方向の往復運動として受け取り、マガジン内の運動変換機構を用いて、回転運動に変換して送弾を行う、本発明の他の実施例を示す。
【実施例３１】
【０１４９】
図６５は、本発明による第３１の実施例の略式構造説明図である。銃の機関部に関する構造は、図２１第３の実施例と同じである。駆動力の受動方法も同じであるが、その後の、マガジン内の運動変換機構に違いがある。受動部材４７１と受動部材基部４７２とが、どのように構成され、どのように機能するのかについては、図２０、図２１第３の実施例で十分な説明がされているので、説明を省略する。受動部材基部４７２の下方には、アーム部４７３があり、ラックギア４７４が設けられている。ラックギア４７４には、内歯ラチェットを有するスパーギア４７５が噛み合い、内歯ラチェットには、ラチェットアーム４７６が作用している。このように構成することで、一方向クラッチの機能を果たすことは、図５１第１９の実施例で、すでに述べてある。中間ギア４７７は、回転の方向を調整している。
【０１５０】
ラックギア４７４が矢印４７８の方向に動くと、内歯ラチェットを有するスパーギア４７５が矢印４７９の方向に回転し、ラチェットアーム４７６も同じ方向に回転する。ラチェットアーム４７６の軸はスパーギア４８０に固着されているので、回転力は中間ギア４７７を介して、スプロケット４８１を矢印４８２の方向に回転させる。ラックギア４７４が矢印４７８とは逆の方向に動くと、内歯ラチェットを有するスパーギア４７５を回転させるが、ラチェットアーム４７６の先端部が滑り、回転力はスパーギア４８０には伝わらない。以上のような構成により、マガジン駆動部材のＸ軸方向の往復運動を、受動部材がＺ軸方向の往復運動として受け取り、マガジン内の運動変換機構を用いて、一方向の回転運動に変換して送弾を行うものである。第３１の実施例の説明は、請求項１、２、４、５、６、１０、２１、２６、３４に関係する。
【０１５１】
次に、マガジン駆動部材のＸ軸方向の往復運動を、受動部材がＺ軸方向の往復運動として受け取り、マガジン内の運動変換機構を用いて、回転運動に変換して送弾を行う、本発明の他の実施例を示す。
【実施例３２】
【０１５２】
図６６は、本発明による第３２の実施例の略式構造説明図である。直前の実施例である、図６５第３１の実施例では、Ｚ軸方向に直線的な往復運動をおこなうラックギアを用いて、内歯ラチェットを有するスパーギアを回転させていたが、第３２の実施例では、ＸＺ平面に垂直なＹ軸方向の回転軸を有する、円弧状の往復運動をおこなう扇形ラックギアを用いて、内歯ラチェットを有するスパーギアを回転させる方式となっている。受動部材基部４８３の下方部にはピン４８４が設けられている。扇形ラックギア４８５には長穴４８６が設けられていて、ピン４８４が入り込んである。このような構成で、マガジン駆動部材４８７が矢印４８８のＸ軸方向に動くと、受動部材４８９は矢印４９０のＺ軸方向に動く。すると、ピン４８４は長穴４８６を押し下げ、扇形ラックギア４８５は軸４９１を中心に、矢印４９２の方向に回転する。以降の機構部については、直前の例、図６５第３１の実施例と同等であるので、説明を省略する。以上のような構成により、マガジン駆動部材のＸ軸方向の往復運動を、受動部材がＺ軸方向の往復運動として受け取り、マガジン内の運動変換機構を用いて、一方向の回転運動に変換して送弾を行うものである。第３２の実施例の説明は、請求項１、２、４、５、６、１０、２１、２６、３４に関係する。
【０１５３】
次に、マガジン駆動部材のＸ軸方向の往復運動を、ＸＺ平面に垂直なＹ軸方向の回転軸を有する扇形ラックギアの、Ｚ軸方向を持つ往復回転運動として受け取り、マガジン内の運動変換機構を用いて、一方向の回転運動に変換して送弾を行う、本発明の他の実施例を示す。
【実施例３３】
【０１５４】
図６７は、本発明による第３３の実施例の略式構造説明図である。銃の機関部に関する構造は、基本的には図２９第６の実施例と同じである。ただ、カム接触部材１９４の代わりにラックギア４９３を設け、カムピン１９８の代わりに欠歯ギア４９４を使用する点のみが異なっている。しかし、機能には差はない。駆動力の受動方法も同じであるが、その後の、マガジン内の運動変換機構に違いがある。回転駆動部材４９５が矢印４９６の方向に回転して、ラックギア４９３を最も後退させた状態を示している。マガジン駆動部材４９７も矢印４９８の方向に最も後退し、受動部材４９９を矢印５００の方向に押し下げる。ここまでのマガジン駆動部材と受動部材の動きは、図２９第６の実施例と同じである。
【０１５５】
受動部材基部５０１には円弧状のアーム部５０２が設けられ、アーム部５０２の先端付近には扇形ラックギア５０３が設けられている。扇形ラックギア５０３にはピニオンギア５０４は噛み合い、ピニオンギア５０４の同軸にはプーリー５０５が取り付けられ、ベルト５０６を介して、内歯ラチェットを有するプーリー５０７に回転力が伝達される。ピニオンギア５０４以降の機構部については、図５１第１９の実施例と同等であるので、説明を省略する。以上のような構成により、マガジン駆動部材のＸ軸方向の往復運動を、ＸＺ平面に垂直なＹ軸方向の回転軸を有する扇形ラックギアの、Ｚ軸方向を持つ往復回転運動として受け取り、マガジン内の運動変換機構を用いて、一方向の回転運動に変換して送弾を行うものである。第３３の実施例の説明は、請求項１、２、４、５、６、９、１０、２１、２６、２７、３４に関係する。
【０１５６】
図５１から図６７までは、主として、ラックギアとピニオンギア（またはスパーギア）と一方向クラッチ機構などを利用して、直線的な往復運動を、一方向の回転運動に変換する、本発明の実施例を示してきた。ここからは他の方法を用いて、直線的な往復運動を、一方向の回転運動に変換する、本発明の他の実施例をいくつか示す。
【実施例３４】
【０１５７】
図６８は、本発明による第３４の実施例の略式構造説明図である。銃の機関部からの、駆動力の出力方法と、マガジン側の受動方法とは、図５３第２１の実施例とほぼ同じであるが、少しだけ違いがある。図５３第２１の実施例では、直線的な往復運動を、回転運動に変換するのに、ラックギアとピニオンギアとベベルギアの組み合わせを用いた。したがって、銃の機関部内で得られる回転運動は、往復回転運動であるので、マガジン内に一方向クラッチ機構を配置した。出力が往復回転運動である、という点と、マガジン内に一方向クラッチ機構を配置した、という点が、図６８第３４の実施例とは異なる点である。
【０１５８】
図６８第３４の実施例に示すマガジンには、一方向クラッチ機構がない。それ以外の基本的な構造においては、図５３第２１の実施例で示すマガジンと同じである。図６８第３４の実施例に示す銃の機関部には、直線的な往復運動を、一方向の回転運動に変換する機構が配置されている。マガジン駆動部材５０８はベベルギアであり、受動部材５０９もベベルギアである。マガジン駆動部材５０８であるベベルギアの同軸に、一方向にのみ回転するカム部材５１０が取り付けられている。アーム部材５１１の下方部には、カムピンベース部材５１２が取り付けられていて、カムピンベース部材５１２には、カム部材５１０のカム溝５１３にはまり込むカムピン５１４が設けられている。回転駆動部材５１５が矢印５１６の方向に回転すると、アーム部材５１１、カムピンベース部材５１２、カムピン５１４が一体的に、Ｘ軸方向の直線的な往復運動を行う。カムピン５１４が一定の位置（Ｚ軸方向での位置）を保ってＸ軸方向の直線的な往復運動を行うと、カム部材５１０は、一方向の回転運動を行う。プッシュ式ボールペンの内部などに用いられる機構と似ている機構である。円周上に構成されたカム溝を、平面的に展開した部分説明図を右側に添えてある。カムピン５１４がカム溝５１３に沿って、矢印５１７のように動く様子を描いてある。実際には、カムピン５１４は一定の位置（Ｚ軸方向での位置）を保ってＸ軸方向の直線的な往復運動を行うので、相対的に、カム溝５１３が矢印５１８の方向に動くことになる。すなわち、カム部材５１０は矢印５１８の方向に、一方向の回転運動を行うのである。
【０１５９】
マガジン駆動部材５０８であるベベルギアの一方向回転運動を、受動部材５０９であるベベルギアで受動する。受動部材５０９の軸には、図５３第２１の実施例で示したものと同様の、逃げクラッチ機構を有する畜力機構５１９が配置され、シャフト５２０を必要分だけ回転させる。シャフト５２０から以降の送弾機構については、図５３第２１の実施例にてすでに説明してある。また、マガジン駆動部材５０８をベベルギアからピニオンギアに変更すれば、図５４第２２の実施例にて説明した方式のマガジンを使うことができる。銃の機関部に、直線的な往復運動を、一方向の回転運動に変換する機構が配置されているところに、図６８第３４の実施例の特徴がある。第３４の実施例の説明は、請求項１、２、６、１５、１６、２６、３７に関係する。
【０１６０】
次に、マガジン駆動部材のＸ軸方向の往復運動を、受動部材がＺ軸方向の往復運動として受け取り、マガジン内の運動変換機構を用いて、回転運動に変換して送弾を行う、本発明の他の実施例を示す。
【実施例３５】
【０１６１】
図６９は、本発明による第３５の実施例の略式構造説明図である。銃の機関部に関する構造は、基本的には図２８第６の実施例と同じで、マガジン駆動部材５２１の配置位置にのみ、少しの違いがある。シリンダーがＸ軸方向の往復運動を行って給弾する方式である。駆動力の受動方法は、図２０第３の実施例とほぼ同じであるが、ラチェット押しバー１４２を途中で切断したような、カムピンベース部材５２２を配置した点が異なる。送弾機構として、ＸＺ平面と平行な面上で回転するスプロケットの使用をやめて、Ｚ軸と平行な回転軸を有するプロペラを使用する。カムピンベース部材５２２には、カム部材５２３のカム溝５２４にはまり込むカムピン５２５が設けられている。回転駆動部材５２６が矢印５２７の方向に回転すると、マガジン駆動部材５２１がＸ軸方向の直線的な往復運動を行う。受動部材５２８によって運動の方向が変換され、カムピン５２５は、Ｚ軸方向の直線的な往復運動を行う。カム部材５２３およびカム溝５２４と、カムピン５２５との動きの関係は、直前の例、図６８第３４の実施例ですでに説明してある。カム部材５２３の軸には、図５３第２１の実施例で示したものと同様の、逃げクラッチ機構を有する畜力機構５２９が配置され、シャフト５３０を必要分だけ回転させる。シャフト５３０から以降の送弾機構については、図５３第２１の実施例にてすでに説明してある。以上のように構成することにより、マガジン駆動部材のＸ軸方向の往復運動を、受動部材がＺ軸方向の往復運動として受け取り、マガジン内の運動変換機構を用いて、一方向の回転運動に変換して送弾を行うことができる。第３５の実施例の説明は、請求項１、２、４、５、６、１０、１６、２１、２６、２７、３４に関係する。
【０１６２】
次に、カム部材５２３およびカム溝５２４と、カムピン５２５の働きによって、往復運動を一方向の回転運動に変換する代わりに、スクリューと、スクリュー溝に噛み合うスクリューピンとで、往復運動を往復回転運動に変換し、一方向クラッチ機構を加えて一方向の回転運動に変換して送弾を行う、本発明の他の実施例を示す。
【実施例３６】
【０１６３】
図７０は、本発明による第３６の実施例の略式構造説明図である。銃の機関部に関する構造は、図２０第３の実施例と同じである。マガジンの構造は、往復運動を一方向の回転運動に変換する機構部のみが異なるだけで、他は直前の例、図６９第３５の実施例と同じである。カムピンベース部材５１２であった部分を、図７０ではスクリューピンベース部材５３１とする。スクリューピンベース部材５３１には、スクリュー部材５３２のスクリュー溝５３３にはまり込むスクリューピン５３４が設けられている。スクリュー部材５３２の同軸に、一方向クラッチ機構５３５が配置され、その先に、逃げクラッチ機構を有する畜力機構５３６が配置されている。一方向クラッチ機構５３５と畜力機構５３６は、図５３第２１の実施例で示したものと同様である。往復運動を一方向の回転運動に変換する機構部については、図が小さくて説明しにくいので、次の実施例で詳細な説明をおこなう。第３６の実施例の説明は、請求項１、２、４、５、６、１０、１６、２１、２６、３４に関係する。
【実施例３７】
【０１６４】
図７１は、本発明による第３７の実施例の略式構造説明図である。往復運動を一方向の回転運動に変換する機構部については、直前の例、図７０第３６の実施例と同じであるので、同じ部品については同じ記号を用いて説明する。マガジンのふた５３７が開かれ、球状弾が入れられる様子を描いている。送弾には縦型スクリュー５３８が使用されている。縦型スクリュー５３８のシャフト５３９の先端は、マガジンの底面部より少し露出している。マガジン内部で球状弾の噛み込みが発生したときには、このシャフト５３９の先端部を、指で押せばよい。縦型スクリュー５３８がＺ軸方向に少しだけ動き、噛み込みが解消される。スクリューピンベース部材５３１とスクリューピン５３４とは一体である。そして、Ｚ軸方向の往復運動を行うが、回転はしない。スクリューピン５３４がスクリュー溝５３３にはまり込んでいるので、スクリューピン５３４がＺ軸方向の往復運動を行うと、スクリュー部材５３２はＺ軸方向には動けないので往復回転運動を行うことになる。スクリュー溝５３３は２条ネジのように、傾斜の大きなものとした方がよい。スクリュー部材５３２の往復回転運動は、一方向クラッチ機構５３５によって、一方向の回転運動に変換される。そして、その回転運動は、逃げクラッチ機構を有する畜力機構５３６に伝達され、送弾に必要な力だけが使われる。マガジン駆動部材から伝達される運動量は、送弾に必要な運動量よりも多いので、一部は畜力され、一部は逃げクラッチ機構によって消費される。この畜力により、球状弾は常に矢印５４０の方向へと押し出されている。ただし、球状弾の排出口部分には、図１５、図１６で示したような機構が配置されているので、銃にセットされないかぎり、球状弾が飛び出ることはない。第３７の実施例の説明は、請求項１、２、４、５、６、１０、１７に関係する。
【０１６５】
次に、横型スクリューを用いて送弾を行う、本発明の他の実施例を示す。
【実施例３８】
【０１６６】
図７２は、本発明による第３８の実施例の略式構造説明図である。直前の例、図７１第３７の実施例では、縦型スクリューを用いて送弾を行ったが、ここでは、代わりに横型スクリュー５４１を用いる。往復運動を一方向の回転運動に変換する機構部については、図７１第３７の実施例と同じである。シャフト５４２の先端には、ベベルギア５４３が取り付けられている。横型スクリュー５４１のシャフト５４４の先端にも、ベベルギア５４５が取り付けられていて、ベベルギア５４３と噛み合っている。また、シャフト５４４にはピニオンギア５４６も取り付けられていて、矢印５４７の方向から指で触れて、少し回すことができる。これで球状弾の噛み込みを解消する。
【０１６７】
受動部材基部５４８とスクリューピンベース部材５４９とを一体化して、ひとつの部品とすることができる。これは図６９、図７０、図７１にて示した実施例でも同じである。そして、図２０から図２７に至る実施例でも同じである。たとえば、銃側のマガジン駆動部材の往復運動を、８ミリの往復運動として設計する。一方、受動するマガジン側の、スクリューピンベース部材５４９の往復運動を、６ミリの往復運動として設計することがある。あるいは、図２０第３の実施例などでは、ラチェットの歯を１歯だけ送ればよいので、ラチェット押しバー１４２が必要とするストロークは、４ミリでも十分である。マガジン駆動部材の往復運動の設計値と、マガジン側が最終的に必要とする往復運動の設計値との差を、バネ１４４やバネ５５０などが吸収してくれるのである。すべての部品が高精度に作られ、高精度に組み立てられるなら、マガジン駆動部材の往復運動の設計値と、マガジン側が最終的に必要とする往復運動の設計値とを同じにしてもよい。あるいは、図３３第９の実施例で示したように、マガジン駆動部材と受動との間に、クリアランスを設けて調整してもよい。そのようにすれば、受動部材基部５４８とスクリューピンベース部材５４９とを一体化して、ひとつの部品とすることができる。第３８の実施例の説明は、請求項１、２、４、５、６、１０、１８に関係する。
【０１６８】
ここまでは、マガジン駆動部材の往復運動を、さまざまな運動変換機構を用いて、回転運動に変換して送弾を行う、本発明のいくつかの実施例を示してきた。次に、銃側のモーターの回転力を、回転力のまま受動部材に伝達して送弾を行う、本発明の他の実施例を示す。
【実施例３９】
【０１６９】
図７３は、本発明による第３９の実施例の略式構造説明図である。図７３第３９の実施例は、図５３第２１の実施例と非常によく似ている。図５３第２１の実施例において、初めに銃側から、ラックギア３７５とピニオンギア３７６とを取り除き、次にマガジン側から、一方向クラッチ機構となるラチェットアーム３８０とカップリング３８１とを取り除き、その後、銃側にスパーギア５５１を加えたものが図７３第３９の実施例である。他に異なる点はない。図５３第２１の実施例においては、モーターの回転力が、減速ギア群とカム機構などを介して、Ｘ軸方向の往復運動に変換されるので、その後に再び、ラックギアとピニオンギアとを用いて、Ｘ軸方向の回転軸を有する往復回転運動に変換し、最後に一方向クラッチ機構を用いて、一方向の回転運動に変換して、送弾機構を機能させていた。図７３第３９の実施例においては、モーターの回転力を、減速ギア群の中の任意のギア（この例では回転駆動部材５５２と同軸に設けられたスパーギア５５３）から分岐して取り出し、スパーギア５５１、ピニオン・ベベルギア５５４、ベベルギア５５５、シャフト５５６と伝達して、マガジン駆動部材５５７であるベベルギアを一方向に回転させる。伝達される駆動力は、すでに一方向の回転運動なので、受動部材５５８であるベベルギアも、一方向の回転をする。したがってマガジン側には、図５３第２１の実施例で示したものと全く同じ構造の、畜力機構５５９が配置されているだけである。シャフト５６０以降についての説明は、図５３第２１の実施例で、すでにしてあるので省略する。第３９の実施例の説明は、請求項１、２、６、１５、１６、２６、３１に関係する。
【０１７０】
図７３では、マガジン駆動部材にベベルギアを用いてＸ軸方向の回転運動を出力し、受動部材にもベベルギアを用いてＺ軸方向の回転運動として受動する、実施例を示した。次に、ギアボックス内の機構が図７３第３９の実施例と全く同じで、出力部であるマガジン駆動部材のみに違いがある、本発明の他の実施例を示す。マガジン駆動部材にピニオンギアを用い、受動部材にスパーギアを用いた実施例である。
【実施例４０】
【０１７１】
図７４は、本発明による第４０の実施例の略式構造説明図である。マガジン駆動部材５６１はピニオンギアであり、受動部材５６２はスパーギアである。マガジンは図５４第２２の実施例と全く同じ構造の実施例である。出力部であるマガジン駆動部材５６１は、すでに一方向の回転をしている。受動部材５６２以降についての説明は、図５４第２２の実施例と全く同じで、すでにしてあるので省略する。第４０の実施例の説明は、請求項１、２、６、１５、２６、３１に関係する。
【０１７２】
図７４では、Ｘ軸方向の回転軸を有する回転運動を銃側から出力し、同じく、Ｘ軸方向の回転軸を有する回転運動としてマガジン側が受動する実施例を示した。次に、回転駆動部材の回転軸と同じ方向（Ｙ軸方向）の回転軸を有する回転運動を銃側から出力し、同じく、Ｙ軸方向の回転軸を有する回転運動としてマガジン側が受動する、本発明の他の実施例を示す。マガジン駆動部材にスパーギアを用い、受動部材にもスパーギアを用いた実施例である。
【実施例４１】
【０１７３】
図７５は、本発明による第４１の実施例の略式構造説明図である。図７５第４１の実施例は、図５２第２０の実施例と非常によく似ている。図５２第２０の実施例において、初めに、銃側からラックギア３６０を取り除き、次に、マガジン駆動部材３５５からピニオンギアを取り除き、代わりにピニオン・スパーギア５６３を加えたものが図７５第４１の実施例である。ピニオン・スパーギア５６５の配置位置は、少し移動している。他に異なる点はない。マガジンは図５２第２０の実施例と全く同じ構造の実施例である。出力部であるマガジン駆動部材５６４は、すでに一方向の回転をしている。受動部材５６６以降についての説明は、図５２第２０の実施例と全く同じで、すでにしてあるので省略する。プーリー５６７の内側に配置した一方向クラッチ機構は、必要ないが、あっても障害にはならない。第４１の実施例の説明は、請求項１、２、６、１４、１５、２６、３１に関係する。
【０１７４】
図７３では、マガジン駆動部材にベベルギアを用いてＸ軸方向の回転運動を出力し、受動部材にもベベルギアを用いてＺ軸方向の回転運動として受動する、実施例を示した。図７４では、マガジン駆動部材にピニオンギアを用いてＸ軸方向の回転運動を出力し、受動部材にスパーギアを用いて同じくＸ軸方向の回転運動として受動する、実施例を示した。図７５では、マガジン駆動部材にスパーギアを用いてＹ軸方向の回転運動を出力し、受動部材にもスパーギアを用いて同じくＹ軸方向の回転運動として受動する、実施例を示した。次に、ギアボックス内の機構が図５６第２４の実施例とよく似ていて、出力部であるマガジン駆動部材が同じである、本発明の他の実施例を示す。マガジン駆動部材にクラウンギアを用い、受動部材にもクラウンギアを用いた実施例である。
【実施例４２】
【０１７５】
図７６は、本発明による第４２の実施例の略式構造説明図である。マガジン駆動部材５６８にクラウンギアを用いてＺ軸方向の回転運動を出力し、受動部材５６９にもクラウンギアを用いて同じくＺ軸方向の回転運動として受動する。図５６第２４の実施例では、ラックギアとピニオンギアを用いて、マガジン駆動部材に往復回転運動を与えていた。それとは異なり、図７６第４２の実施例では、プーリー付きスパーギア５７０とプーリー付きベベルギア５７１とを用いて、マガジン駆動部材に一方向の回転運動を与えている。ふたつのプーリーはベルト５７２が配置され、駆動力が伝達される。受動部材５６９以降についての説明は、図５３第２１の実施例と図５６第２４の実施例とで、すでにしてあるので省略する。第４２の実施例の説明は、請求項１、２、６、１５、１６、２６、３１に関係する。
【０１７６】
次に、マガジン駆動部材に慣性力を与えて、一瞬だけ、ギアボックスあるいは銃の本体側からマガジン駆動部材の先端部が飛び出る、本発明の他の実施例を示す。
【実施例４３】
【０１７７】
図７７は、本発明による第４３の実施例の略式構造説明図である。図７７第４３の実施例は、図４２第１４の実施例と似ている。図４２第１４の実施例では、マガジン駆動部材２７４はアーム部材に固定されていて、単純なＸ軸方向の往復運動を行うだけであるが、図７７第４３の実施例では、マガジン駆動部材５７３はアーム部材に固定されておらず、単純なＸ軸方向の往復運動は行わない。
【０１７８】
アーム部材５７４の下方部には支持部材５７５が設けられ、軸５７６に、フック部材５７７が回転できるように配置されている。フック部材５７７とアーム部材５７４との間には、バネ５７８が配置され、バネ５７８に押されたフック部材５７７の後端は、ストッパー５７９で位置決めされている。フック部材５７７の先端部には傾斜部５８０があり、フック部材５７７がＸ軸方向に前進してゆくと、やがて図７７にて示すように、ギアボックスに設けられたストッパー５８１に当たって、フック部材５７７は回転することになる。ストライカー５８２は、ピン５８３とピン５８４とにガイドされ、Ｘ軸方向にのみ動くことができる。そしてストライカー５８２は、バネ５８５により、矢印５８６の方向に押されている。マガジン駆動部材５７３は、バネ５８７により、矢印５８８の方向に引かれている。マガジン駆動部材５７３には、長穴５８９が設けられ、方向変換部材５９０の先端にあるピン５９１が入り込んでいる。方向変換部材５９０は軸５９２に支えられ、回転可能である。ストライカー５８２を押すバネ５８５の力は、マガジン駆動部材５７３を引くバネ５８７の力よりも強く設定されているので、ストライカー５８２の後端部５９３は、方向変換部材５９０の上端部を、矢印５８６の方向に押している。マガジン駆動部材５７３は、方向変換部材５９０の先端にあるピン５９１によって前方へ押されている。バネ５８７は矢印５８８の方向とは逆の方向に引かれ、少し伸びている。このような初期状態では、マガジン駆動部材５７３の先端部５９４は、ギアボックスの端面部５９５から飛び出してはいない。したがって、マガジン５９６を矢印５９７の方向に差し込むことができる。
【０１７９】
マガジン５９６の基本的な構造は、図４２第１４の実施例と似ている。図４２第１４の実施例における受動部材２７５は、受動部材基部２７６にセットされ、バネ２７７により押し上げられている。３個の部品はカギ形に構成され、軸２７８を中心に一体となって動く。受動部材２７５は、上から押されると引っ込むことができる。そして、受動部材２７５は、マガジン上方端面部から飛び出るように露出している。それに比べ、図７７第４３の実施例におけるマガジン５９６では、受動部材５９８は１個のカギ形部品であって軸６００に支えられている。受動部材５９８の上端部分はマガジン上方端面部から飛び出るようには露出していない。受動部材５９８の上端部分はマガジン後方端面部に設けられた窓部５９９の奥にある。マガジンの外部に露出した部分がないので、マガジンの外観を、よりリアルにできる特徴がある。そして、マガジン駆動部材５７３の先端部５９４も、ギアボックスの端面部５９５から飛び出してはいないので、マガジン５９６の着脱に際して、障害がない。マガジンの外観がリアルで、マガジンの着脱がスムーズなのが、この例の特徴である。
【０１８０】
図７８において、回転駆動部材６０１が矢印６０２の方向に回転すると、カム部６０３に押されて、アーム部材５７４がＸ軸方向へと前進する。フック部材５７７の先端部にある傾斜部５８０が、ストッパー５８１に当たって、フック部材５７７は矢印６０４の方向に回転する。その間、ストライカー５８２は、フック部材５７７の押されて矢印６０５の方向に一緒に前進し、バネ５８５を縮めて畜力する。方向変換部材５９０は、ストライカー５８２の影響を受けなくなり、矢印６０６の方向に回転する。マガジン駆動部材５７３は、バネ５８７に引かれて、矢印６０７の方向に移動するが、ギアボックスに設けられたストッパー６０８に当たって、それ以上は後退できない。フック部材５７７とストライカー５８２との引っかかりは、はずれる限界状態にある。
【０１８１】
図７９は、回転駆動部材６０１が矢印６０２の方向にさらに回転して、フック部材５７７とストライカー５８２との引っかかりがはずれた状態を示している。バネ５８５の畜力が開放され、ストライカー５８２は矢印６０９の方向に、勢いよく後退する。方向変換部材５９０の上方部に、ストライカー５８２の後端部５９３が激突して、マガジン駆動部材５７３が矢印６１０の方向に、勢いよく前進する。マガジン駆動部材５７３は比重の大きな金属で作られていて、慣性が大きい。バネ５８７はとても弱いバネなので、勢いよく前進するマガジン駆動部材５７３の慣性に負けて、伸びる。その結果、マガジン駆動部材５７３の先端部５９４は、ギアボックスの端面部から飛び出して、マガジン後方端面部に設けられた窓部５９９に入り込み、受動部材５９８の上端部分を矢印６１１の方向に、勢いよく押す。受動部材５９８のアーム部が矢印６１２の方向に動き、中間部材６１３を押し下げる。それに連動して、ラチェットフック６１４が矢印６１５の方向に動き、ラチェット６１６を矢印６１７の方向に回転させる。これで送弾機構が働く。
【０１８２】
その直後、マガジン駆動部材５７３は、長穴５８９のゆとり分だけ、バネ５８７の働きによって引き戻され、図７７のような、初期状態に戻る。受動部材５９８もバネ６１８に押されて、初期状態に戻る。やがて、回転駆動部材６０１が矢印６０２の方向にさらに回転すると、アーム部材５７４が後退して、図７７のような、初期状態に戻る。フック部材５７７もバネ５７８に押されて、図７７のような、初期状態に戻る。これで、基本の１サイクルが完了する。以後は、回転駆動部材６０１が回転を続け、この基本サイクルが繰り返される。
【０１８３】
第４３の実施例の特徴は、銃の機関部内で畜力動作を行い、その畜力を開放することで、マガジン駆動部材５７３を勢いよく作動させ、マガジン駆動部材５７３の慣性の働きで、マガジン駆動部材５７３の先端部５９４を一瞬だけ、ギアボックス（あるいは銃本体）の端面部５９５から飛び出させる点にある。マガジン駆動部材５７３の先端部５９４は、一瞬だけ飛び出た後、瞬時に後退する。
【０１８４】
第４３の実施例では、回転駆動部材に設けられたカム部によって、アーム部材を前方へ押す方式の、第１の実施例と同様の銃機関部を用いたが、第２の実施例と同様の銃機関部を用いることもできる。すなわち、回転駆動部材に設けられたカムピンによって、アーム部材を後方へ押す方式の、第２の実施例と同様の銃機関部を用いる。その場合には、アーム部材の下方部に、支持部材５７５、軸５７６、フック部材５７７、バネ５７８、ストッパー５７９、ストッパー５８１、ストライカー５８２、ピン５８３、ピン５８４、バネ５８５などを、Ｚ軸に対して対称な形態で配置すればよい。そのようにすることで、アーム部材を後方へ押すときに、ストライカー用のバネを押し縮めて畜力することができる。フック部材との引っかかりから離れたストライカーは、バネの畜力が開放されることにより、勢いよく前方へと移動する。その運動をマガジン駆動部材に同じ方向性を持たせたまま伝達する。アーム部材を後方へ押す方式では、方向変換部材は必要がない。ストライカーからの打撃力の伝達を受けたマガジン駆動部材は、マガジン駆動部材の慣性の働きで、マガジン駆動部材の先端部を一瞬だけ、ギアボックス（あるいは銃本体）の端面部から飛び出させる。マガジン駆動部材の先端部は、一瞬だけ飛び出た後、瞬時に後退する。このように、アーム部材を前方へ押す方式の第１の実施例でも、アーム部材を後方へ押す方式の第２の実施例でも、銃の機関部内でストライカー用の畜力動作を行うことができる。第４３の実施例の説明は、請求項１、２、３、５、６、８、２０、２３、２６に関係する。
【０１８５】
第４３の実施例と似た例を、図１０３、図１０４において、やがて説明する。マガジン駆動部材を勢いよく作動させ、マガジン駆動部材の慣性の働きで、マガジン駆動部材の先端部を一瞬だけ、ギアボックス（あるいは銃本体）の端面部から飛び出させる方式の、本発明の他の実施例である。マガジン駆動部材に慣性を与えるために、ピストンの打撃力を利用する点に、特徴がある。
【０１８６】
次に、銃の上方からマガジンをセットする方式の、本発明の他の実施例を示す。
【実施例４４】
【０１８７】
図８０は、本発明による第４４の実施例の略式構造説明図である。今までの銃とは、大きく異なる方式であるので、まずは、全体の構成から説明する。
【０１８８】
図示した銃はＰ９０と呼ばれる銃である。前方をＸ軸方向、上方をＺ軸方向として描いている。銃本体６１９にセットされたマガジン６２０からは、球状弾６２１が矢印６２２のように、銃側に供給される。マガジン６２３は、ＸＹ平面を見る方向（Ｚ軸方向）から描いた図である。マガジンを銃から取りはずすときには、マガジン６２０を矢印６２４の方向に持ち上げて傾け、次に、矢印６２５の方向に引き抜く。セットするときには、その逆の手順となる。詳細な構造は、図８４以降にて示す。
【０１８９】
銃本体６１９にセットされたマガジン６２０に対して、銃側からマガジンの駆動力を伝達するには、伝達の方向と位置に制約がある。はじめに、球状弾６２１が排出されてくる面、すなわち、Ｚ軸に垂直な面である、マガジン６２０の下方部端面６２６に対して、矢印６２７の方向から伝達する方式がある。次に、マガジン６２０の後方部端面６２８に対して、矢印６２９の方向から伝達する方式がある。このふたつの伝達方式とは異なった、矢印６３０の方向や矢印６３１の方向からの伝達方式もあるが、矢印６３０の方向からの伝達は、実質的には矢印６２７の方向からの伝達方式と同じであって、単に、遠方へと迂回したにすぎない。同様に、矢印６３１の方向からの伝達は、実質的には矢印６２９の方向からの伝達方式と同じであって、単に、遠方へと迂回したにすぎない。したがって、今後の説明は、矢印６２７の方向から伝達する方式と、矢印６２９の方向から伝達する方式について行う。
【０１９０】
図８１は、第４４の実施例のマガジンに関する略式構造説明図である。図８０におけるマガジン６２３は、ＸＹ平面を見る方向（Ｚ軸方向）から描いた図であるが、内部の構造までは示してなかった。図８１は、マガジン６２３のおよその構造を描いている。マガジン６２３に入れられた複数の球状弾は、バネ６３２に押されたプッシュプレート６３３によって、矢印６３４の方向に押されている。球状弾は、矢印６３５の方向に回転するスプロケット６３６によって送り出され、排出口６３７から排出される。排出の方向はＺ軸方向である。スプロケット部の構造は、図１８において示したような、ゼンマイバネで畜力を行い、ゼンマイバネの外側端部に形成されたＲ凸部と、スプロケット内壁に設けられた複数の凹部とで、逃げクラッチ機構を構成した構造である。
【０１９１】
図８２は、第４４の実施例のスプロケット部に関する略式構造説明図である。図８１では、わかりにくいので、スプロケット部だけを抜き出して描いた。ゼンマイバネ６３８は、中心軸６３９に一端を固定されている。従来は、３００発ほどの球状弾を全弾送り出すための長大なゼンマイバネを用いていたが、本発明によれば、ゼンマイバネ６３８は、３発から１０発程度を送り出すだけの能力があればよいので、短くてよい。そして従来は、ゼンマイバネを手で巻き上げるためのツマミが、マガジンの外部に露出するように設けられていたが、本発明によれば、銃側からの駆動力を利用してマガジン側の送弾機構を機能させるので、そのようなツマミも必要ない。もちろん、３００発分の巻き上げを行う必要もない。中心軸６３９とラチェット６４０とは一体的に固定されていて、一緒に回転する。スプロケット６３６と中心軸６３９は一体ではなく、スプロケット６３６は中心軸６３９を中心に、矢印６３５の方向に回転する。バネ６４１は、ラチェット６４０の逆転を防止している。
【０１９２】
図８３は、第４４の実施例のラチェット部に関する略式構造説明図である。図８２では、わかりにくいので、ラチェット部だけを抜き出して描いた。ラチェット６４０は、中心軸６３９を中心に、矢印６４２の方向に回転する。バネ６４１は、ラチェット６４０の逆転を防止している。
【０１９３】
Ｐ９０と呼ばれる銃をモデルにした電動エアガンの、マガジンの基本構造は、およそ以上のようなものである。あとは、銃側からの駆動力を利用して中心軸６３９を矢印６４２の方向に回転させてやれば、マガジン側の送弾機構が機能する。
【０１９４】
図８４は、本発明による第４４の実施例の略式構造説明図である。銃本体６４３にセットされたマガジン６４４からは、球状弾６４５が矢印６４６のように、銃側に供給される。マガジン６４７は、ＸＹ平面を見る方向（Ｚ軸方向）から描いた図である。銃機関部の基本構造は、図８第１の実施例とほぼ同じである。モーターと減速ギア群の配置方法に違いがあり、マガジン駆動部材の配置方法に違いがある。図８第１の実施例では、マガジン駆動部材２６はシリンダー５の下方に配置されていたが、図８４第４４の実施例では、マガジン駆動部材６４８はシリンダー６４９の上方に配置されている。アーム部材６５０の先端部にある係合部凸６５１は、ノズルユニット６５２の下方凹部にはまり込んでいて、マガジン駆動部材６４８の下方部にある係合部凸６５３は、ノズルユニット６５２の上方凹部にはまり込んでいる。このように構成することで、アーム部材６５０、ノズルユニット６５２、マガジン駆動部材６４８は一体となって動くことができる。回転駆動部材６５４は矢印６５５の方向に回転し始めているが、カム部６５６の影響力は、まだカム接触部材６５７に及んでいない。したがって、アーム部材６５０はバネ６５８に押され、矢印６５９の方向に最も後退した状態にある。同じくマガジン駆動部材６４８も、Ｘ軸方向に最も後退した状態にある。
【０１９５】
受動部材６６０は、軸６６１を中心に回転できるように配置されていて、バネ６６２により、押されている。軸６６１は受動部材基部６６３の軸穴にセットされ、受動部材６６０、軸６６１、バネ６６２、受動部材基部６６３は一体的に動く。マガジン６４４にはレール部６６４が設けられ、受動部材基部６６３にはガイド溝６６５が設けられて、互いにはまり込んでいるので、受動部材基部６６３はＸ軸方向にのみ、動くことができる。受動部材基部６６３は、バネ６６６によって矢印６６７の方向に常に押されている。受動部材基部６６３にはラチェットフック基部６６８が取り付けられ、ラチェットフック６６９が軸６７０を中心に回転できるように取り付けられている。ラチェットフック６６９にはバネ６７１が作用し、常に押している。このような構成で、ラチェットフック基部６６８が矢印６７２の方向に動くと、ラチェット６７３は、１歯分だけ矢印６７４の方向に回転する。そして、バネ６７５はラチェット６７３の逆転を防止する。
【０１９６】
このような構成に、もう１組の送り機構を追加する。受動部材基部６６３にはラチェットフック基部６７６が取り付けられ、ラチェットフック６７７が軸６７８を中心に回転できるように取り付けられている。ラチェットフック６７７にはバネ６７９が作用し、常に押している。このような構成で、ラチェットフック基部６７６が矢印６７２の方向に前進した後に、矢印６８０の方向に後退すると、ラチェット６７３は、１歯分だけ矢印６７４の方向に回転する。そして、バネ６７５はラチェット６７３の逆転を防止する。
【０１９７】
その状態を示したものが、次の図８５である。
【０１９８】
図８５は、本発明による第４４の実施例の略式構造説明図である。図８４は、マガジン駆動部材６４８が最も後退した初期状態を示していた。マガジン駆動部材６４８と受動部材６６０は、まだ接触していなかった。回転駆動部材６５４が矢印６５５の方向にさらに回転すると、カム部６５６はカム接触部材６５７を前方へと押し始め、マガジン駆動部材６４８も矢印６８１の方向に前進して、受動部材６６０を押し始める。やがてマガジン駆動部材６４８が最も前進して、受動部材６６０を押し切り、ラチェットフック６６９も矢印６７２の方向に最も前進して、ラチェット６７３が１歯分だけ矢印６７４の方向に回転する。球状弾６４５はノズル部材６８２に押されて、バレルパッキン６８３にセットされ、発射される。
【０１９９】
ラチェットフック６７７も最も前進しており、ラチェット６７３を１歯分だけ矢印６７４の方向に回転させる準備ができている。この後、マガジン駆動部材６４８が後退すると、ラチェットフック６７７がバネ６６６に押されて矢印６８０の方向に移動し、ラチェット６７３を１歯分だけ回転させる。
【０２００】
図８４、図８５においては、ラチェットフック６６９とラチェットフック６７７のふたつの送り機構を配置したが、基本的には、いずれかひとつがあればよい。受動部材が前進するときにラチェットを１歯分だけ回転させるか、受動部材が後退するときにラチェットを１歯分だけ回転させるかを選択できるのである。そのふたつの方法を一緒に描いたものが図８４、図８５である。図８４においては、受動部材６６０はマガジン６４４の内部にあって、外部に凸状に露出させてはいない。そしてマガジン駆動部材６４８を銃本体６４３から大きく飛び出た部材として描いている。このふたつの部材の状態を逆にしてもよい。すなわち、受動部材６６０をマガジン６４４の外部に凸状に露出させ、マガジン駆動部材６４８を銃本体６４３からほとんど飛び出ないようにすることができる。そのようにすれば、マガジン６４４の外部に凸状に露出した受動部材６６０を、手で押して操作することができる。それと同様の内容を、図２２第３の実施例、図３９第１１の実施例などにおいて、すでに説明した。
【０２０１】
図８６は、本発明による第４４の実施例の略式構造説明図である。マガジン駆動部材６４８が前進した状態で射撃を終了して、マガジン６４７を取り外し、弾丸の補充を行った後、再びマガジン６４７を矢印６８４の方向にセットしたときの図である。受動部材６６０は軸６６１を中心にして、矢印６８５の方向に少し回転している。このような状態から、再び射撃を始めると、マガジン駆動部材６４８が後退して、図８４のような正常な状態に戻る。受動部材６６０もバネ６６２に押されて図８４のような状態に戻る。マガジン駆動部材に傾斜部がなく、引っ込む機構がない場合には、受動部材側に引っ込む機構が必要である。第１の実施例、第２の実施例、第１２の実施例、第１４の実施例、第６３の実施例などにおいて、同様の内容をすでに説明した。逆に、受動部材に傾斜部がなく、引っ込む機構がない場合には、マガジン駆動部材側に引っ込む機構が必要である。第１１の実施例、第１３の実施例、第６４の実施例などにおいて、同様の内容をすでに説明した。第４４の実施例は、簡単に表現すれば、押すとマガジンが機能する実施例、である。第４４の実施例の説明は、請求項１、２、３、５、６、９、２１、２６に関係する。
【０２０２】
図８４第４４の実施例では、銃機関部の基本構造として、図８第１の実施例とほぼ同じものを用いて本発明の実施例を示した。次に、銃機関部の基本構造として、図１２第２の実施例とほぼ同じものを用いて、本発明の他の実施例を示す。
【実施例４５】
【０２０３】
図８７は、本発明による第４５の実施例の略式構造説明図である。銃機関部の基本構造は、図１２第２の実施例とほぼ同じである。モーターと減速ギア群の配置方法に少しの違いがあり、マガジン駆動部材の形状と配置方法とに少しの違いがある。図１２第２の実施例では、マガジン駆動部材８９は給弾用ノズル部材８８の下方に配置されていたが、図８７第４５の実施例では、マガジン駆動部材６８６は給弾用ノズル部材６８７の上方に配置されている。そして、マガジン駆動部材６８６は傾斜部を有している。アーム部材６８８はバネ６８９に引かれ、矢印６９０の方向に最も前進した状態にある。同じくマガジン駆動部材６８６も、Ｘ軸方向に最も前進した状態にある。
【０２０４】
受動部材６９１は、軸６９２を中心に回転できるように配置されていて、バネ６９３により、押されている。マガジン６９４は、ＸＹ平面を見る方向（Ｚ軸方向）から描いた図である。図８４にて示した構造と、基本的にはほとんど同じ構造なので、細かな説明は省略する。大きな違いは、図８４におけるバネ６６６が押しバネであって、受動部材基部６６３を矢印６８０の方向に常に押しているのに対し、図８７第４５の実施例では、バネ６９５が引きバネであって、受動部材基部６９６を矢印６９７の方向に常に引いている点である。図８７の状態から、マガジン駆動部材６８６が後退して、受動部材６９１が矢印６９８の方向に引かれると、ラチェットフック６９９が矢印７００の方向に動き、ラチェット７０１が矢印７０２の方向に１歯分だけ回転する。バネ６９５は引っ張られて伸びているので、次にマガジン駆動部材６８６が矢印６９０の方向に前進したときに、受動部材基部６９６、ラチェットフック６９９、受動部材６９１などの部品群を矢印６９７の方向に引き戻す。これで、基本の１サイクルが完了する。以後は、回転駆動部材７０３が回転を続け、この基本サイクルが繰り返される。
【０２０５】
図８４第４４の実施例では、受動部材６６０はマガジン６４４から飛び出ないように描かれていたが、図８７第４５の実施例では、受動部材６９１の先端部７０４はマガジン６９４の下方端面部から少し飛び出ている。
【０２０６】
図８８は、本発明による第４５の実施例の略式構造説明図である。斜線を付けて描いたマガジン７０５を、矢印７０６の方向に、銃本体７０７にセットしようとしている状態を描いている。受動部材６９１の先端部７０４が、マガジン６９４の下方端面部７０８から少し飛び出ている様子がわかる。このように少し飛び出ている凸部があれば、指で操作することができる。マガジン７０９は、銃本体７０７にセットされた状態を描いている。マガジン駆動部材６８６が途中まで前進した状態で射撃を終了して、マガジン７０５を取り外し、弾丸の補充を行った後、再びマガジン７０５を矢印７０６の方向にセットしたときの図である。受動部材６９１の先端部７０４がマガジン駆動部材６８６の先端部に押されて、受動部材６９１は軸６９２を中心にして、矢印７１０の方向に少し回転している。このような状態から、再び射撃を始めると、マガジン駆動部材６８６が矢印７１１の方向に前進して、図８７のような正常な噛み合い状態に戻る。この図８７第４５の実施例は、図４０第１２の実施例と似ている例である。受動部材の先端部が、シリンダーの軸線に向かって、マガジンの端面部から少し飛び出ているところに特徴がある。第４５の実施例は、簡単に表現すれば、引くとマガジンが機能する実施例、である。第４５の実施例の説明は、請求項１、２、３、５、６、９、２１、２６、３４に関係する。
【実施例４６】
【０２０７】
図８９は、本発明による第４６の実施例の略式構造説明図である。受動部材７１２にはラックギア７１３が設けられていて、スパーギア７１４が噛み合っている。この構造は、図５８第２５の実施例と似ているので、機構はすでに理解できる範囲にある。スパーギア７１４には、内歯ラチェットを有するスパーギア７１５が噛み合っている。この構造は、図５１第１９の実施例における内歯ラチェットを有するプーリー３４２に関係する部品群の構造と、似ている。スパーギア７１５の中心部には貫通穴があり、ラチェットアーム７１６の中心軸７１７が通っている。中心軸７１７は、図８２第４４の実施例における中心軸６３９と同じであって、ゼンマイバネ６３８が、中心軸６３９に一端を固定されている。スプロケット６３６はゼンマイバネ６３８を介して、矢印６３５の方向に回転させられる。矢印７１８は、マガジン駆動部材が受動部材７１２に対して力を伝達する方向をイメージして描いてある。ＸＺ平面を見た構造図としては、図８２第４４の実施例とほぼ同じような構成とするものである。説明が重複するので詳細は省略する。受動部材７１２が矢印７１８の方向に押されると、ラックギア７１３は矢印７１９の方向に前進して、スパーギア７１４は矢印７２０の方向に回転し、内歯ラチェットを有するスパーギア７１５は矢印７２１の方向に回転する。受動部材７１２には戻しバネ（図示せず）が配置されているので、マガジン駆動部材が後退すると、受動部材７１２も後退する。そのときには、内歯ラチェットを有するスパーギア７１５とラチェットアーム７１６の働きにより、中心軸７１７は回転しない。この部分は、一方向クラッチ機構になっている。したがって、受動部材７１２のＸ軸方向の往復運動は、中心軸７１７を矢印７２１の方向にのみ回転させる。第４６の実施例は、簡単に表現すれば、押すとマガジンが機能する実施例、である。第４６の実施例の説明は、請求項１、３、５、６に関係する。
【実施例４７】
【０２０８】
図９０は、本発明による第４７の実施例の略式構造説明図である。受動部材７２２にはラックギア７２３が設けられていて、スパーギア７２４が噛み合っている。この構造は、図８９第４６の実施例と似ている。ラックギアの配置にのみ違いがある。このようにすれば、受動部材７２４が矢印７２５の方向に引かれると、ラックギア７２３は矢印７２６の方向に後退して、スパーギア７２４は矢印７２７の方向に回転し、内歯ラチェットを有するスパーギア７２８は矢印７２９の方向に回転する。この部分は、一方向クラッチ機構になっている。したがって、受動部材７２２のＸ軸方向の往復運動は、中心軸７３０を矢印７２９の方向にのみ回転させる。受動部材７２２には戻しバネ（図示せず）が配置されているので、マガジン駆動部材が前進すると、受動部材７２２も前進する。ＸＺ平面を見た構造図としては、図８７第４５の実施例とほぼ同じような構成とするものである。説明が重複するので詳細は省略する。第４７の実施例は、簡単に表現すれば、引くとマガジンが機能する実施例、である。図８９第４６の実施例と図９０第４７の実施例とでは、直線上に配置されたラックギアを、Ｘ軸方向に直線的に往復運動させることで、マガジン内に配置されたスパーギアを往復回転運動させた。直線上に配置されたラックギアを、円弧上に配置されたラックギアに変更することで、マガジン内に配置されたスパーギアを往復回転運動させることも簡単にできる。図６７第３３の実施例を参考にすればよい。図６７第３３の実施例では、傾斜部を有するマガジン駆動部材４９７を、矢印４９８の方向に、すなわちＸ軸の方向に引くことで、受動部材４９９をＺ軸の方向に、円弧状に押し下げていた。しかし、受動部材４９９をＺ軸の方向に、直線状に押し下げてもよいことは明らかである。図６７第３３の実施例では、ＸＺ平面を見るように図を描いているが、そこで描いた受動部材４９９、受動部材基部５０１、扇形ラックギア５０３などを、ＸＹ平面を見るように描いた図８９第４６の実施例や図９０第４７の実施例などの、マガジンに応用すればよい。あるいは、図６７第３３の実施例における扇形ラックギア５０３の先端付近を、図９４第５１の実施例における、マガジン７５３Ｂのラチェットフック７５９の先端フック部と似た形状にすれば、マガジン内の送弾用スプロケットに作用するラチェットを、一方向に回転させることもできる。そのような図は、図１０９、図１１０第５９の実施例において描くので、ここでは説明をしない。第４７の実施例の説明は、請求項１、３、５、６に関係する。
【実施例４８】
【０２０９】
図９１は、本発明による第４８の実施例の略式構造説明図である。受動部材７３１の先端部には長穴７３２が設けられていて、扇形ギア７３３に設けられたピン７３４がはまり込んでいる。この構造は、図５９第２６の実施例と似ているので、機構はすでに理解できる範囲にある。受動部材７３１が矢印７３５の方向に押されると、扇形ギア７３３は矢印７３６の方向に回転して、内歯ラチェットを有するスパーギア７３７は矢印７３８の方向に回転する。受動部材７３１には戻しバネ（図示せず）が配置されているので、マガジン駆動部材が後退すると、受動部材７３１も後退する。第４８の実施例は、簡単に表現すれば、押すとマガジンが機能する実施例、である。第４８の実施例の説明は、請求項１、３、５、６に関係する。
【実施例４９】
【０２１０】
図９２は、本発明による第４９の実施例の略式構造説明図である。この構造は、図８９、図９０、図９１の各実施例などによって、機構はすでに理解できる範囲にある。受動部材７３９が矢印７４０の方向に引かれると、扇形ギア７４１は矢印７４２の方向に回転して、内歯ラチェットを有するスパーギア７４３は矢印７４４の方向に回転する。受動部材７３９には戻しバネ（図示せず）が配置されているので、マガジン駆動部材が前進すると、受動部材７３９も前進する。第４９の実施例は、簡単に表現すれば、引くとマガジンが機能する実施例、である。第４９の実施例の説明は、請求項１、２、３、５、６に関係する。
【０２１１】
次に、マガジン駆動部材をギアにして、受動部材もギアにする方式の、本発明の他の実施例を示す。
【実施例５０】
【０２１２】
図９３は、本発明による第５０の実施例の略式構造説明図である。この構造は、図９１の実施例などによって、機構はすでに理解できる範囲にある。図９１の実施例においては、扇形ギアをマガジン側に配置したが、図９３では、扇形ギア７４５を銃本体側に配置した。そして扇形ギア７４５が、内歯ラチェットを有するスパーギア７４６の中心軸から離れた分だけ、中間に調整用のギア群を配置したものである。このようにすることで、銃本体側の機関部で作られるＸ軸方向の往復運動を、Ｚ軸を中心とした往復回転運動に変換して出力し、マガジン側に伝達することができるようになる。マガジンからは、受動部材であるスパーギア７４７が露出しているので、指で操作することができる。銃本体側の機関部で作られるＸ軸方向の往復運動とは、すでに説明されている、シリンダーやアーム部材や給弾用ノズル部材などの往復運動のことである。それらの部材と平行移動部材７４８とを連繋させる。平行移動部材７４８を矢印７４９の方向に押すと、各ギアは図示された矢印の方向に回転する。平行移動部材７４８を矢印７４９の方向とは逆の方向に引き戻すと、各ギアは図示された矢印の方向とは逆の方向に回転する。しかし中心軸７５０は、ラチェットアーム７５１の働きにより、矢印７５２の方向にのみ回転し、逆転はしない。第５０の実施例は、簡単に表現すれば、受動部材を往復回転運動させるとマガジンが機能する実施例、である。
【０２１３】
図９３第５０の実施例は、図５２第２０の実施例と似た出力と受動とを行っている。すなわち、マガジン駆動部材を往復回転運動させて出力し、受動部材も往復回転運動させて受動し、その後マガジン側で一方向クラッチを利用して、一方向の回転運動を得ている。しかし、銃本体側で一方向クラッチを利用して、一方向の回転運動を得てしまえば、マガジン駆動部材を一定方向に回転運動させて出力し、受動部材も一定方向に回転運動させて受動させることができる。そのような応用例は、図５４の実施例において示してあるので、説明は省略する。第５０の実施例の説明は、請求項１、２、６、１４、１５、３６に関係する。
【実施例５１】
【０２１４】
図９４は、本発明による第５１の実施例の略式構造説明図である。マガジン７５３を銃本体７５４にセットした様子を、ＸＺ平面を見る方向（Ｙ軸方向）から見て、描いている。マガジン７５３Ａとマガジン７５３Ｂは、ＸＹ平面を見る方向（Ｚ軸方向）から見たマガジンの構造を説明する部分図である。マガジン７５３Ａは、ラチェットフック７５５が矢印７５６の方向に移動するときに、ラチェット７５７を矢印７５８の方向に１歯分だけ回転させる方式を採用している例である。マガジン７５３Ｂは、ラチェットフック７５９が矢印７６０の方向に移動するときに、ラチェット７６１を矢印７６２の方向に１歯分だけ回転させる方式を採用している例である。バネ７６３は、ラチェットフック基部７６４を、矢印７５６の方向に押し戻すバネである。バネ７６５も、ラチェットフック基部７６６を、矢印７６０の方向に押し戻すバネである。
【０２１５】
受動部材基部７６７は、軸７６８によって、マガジンに設けられた支持部材７６９に取り付けられている。受動部材７７０は、受動部材基部７６７の下方部に設けられていて、マガジン７５３の下方端面部から、凸状に露出している。したがって、マガジンを銃本体からはずしたときに、凸状に露出している受動部材７７０を、指で操作することができる。受動部材基部７６７には、Ｚ軸方向に伸びたアーム部７７１が設けられており、受動部材７７０が押し上げられると、軸７６８を中心に矢印７７２の方向に回転するように動く。
【０２１６】
アーム部７７１が矢印７７２の方向に動くと、マガジン７５３Ａにおいては、ラチェットフック基部７６４は矢印７７３の方向に押され、ラチェットフック７５５も矢印７７３の方向に移動する。その状態は、１歯分の回転準備ができた状態である。やがて受動部材７７０がバネ７７４の働きによって押し戻されると、バネ７６３の働きによって、ラチェットフック７５５が矢印７５６の方向に押し戻され、ラチェット７５７を矢印７５８の方向に１歯分だけ回転させて、図示してあるような初期状態に戻る。
【０２１７】
アーム部７７１が矢印７７２の方向に動くと、マガジン７５３Ｂにおいては、ラチェットフック基部７６６は矢印７６０の方向に押され、ラチェットフック７５９も矢印７６０の方向に移動する。その状態は、ラチェット７６１が矢印７６２の方向に１歯分だけ回転させられた状態となる。やがて受動部材７７０がバネ７７４の働きによって押し戻されると、バネ７６５の働きによって、ラチェットフック基部７６６は矢印７７５の方向に押し戻され、図示してあるような初期状態に戻る。
【０２１８】
マガジン駆動部材７７６は、給弾用ノズル部材７７７と一体化して設けられており、矢印７７８の方向に、最も前進した状態にある。回転駆動部材７７９が矢印７８０の方向に回転してゆくと、マガジン駆動部材７７６は後退を始め、やがて、最も後退した状態になる。それが図９５に示す状態である。
【０２１９】
図９５は、本発明による第５１の実施例の略式構造説明図である。マガジン駆動部材７７６は矢印７８１の方向に最も後退した状態にある。給弾用ノズル部材７７７も最も後退した状態となり、球状弾７８２が図示した位置に落下してくる。
【０２２０】
位置決め部材７８３は、落下してきた球状弾７８２を受け止めて、次の球状弾７８４のＺ軸方向の位置関係を、図９４における球状弾７８２の位置と同じにしている。図９４における球状弾７８２の位置とは、給弾用ノズル部材７７７に乗っかって接している位置である。位置決め部材７８３の働きにより、給弾用ノズル部材７７７が後退してしまったときでも、図９５のように、次の球状弾７８４のＺ軸方向の位置関係を、図９４における球状弾７８２の位置と同じにすることができる。図８４、図８５などでは、軸を中心に回転するタイプの位置決め部材を描いている。給弾用ノズル部材の動きに連繋してわずかに移動し、次の球状弾の位置関係を一定にする位置決め部材がなければ、給弾用ノズル部材が前後動するたびに、次の球状弾は給弾用ノズル部材の先端部に押されて、位置関係が変化してしまう。その変化は搬送路内にある球状弾を介して、マガジン内の送弾機構を、わずかではあるが逆転させてしまう。送弾機構は本来的に、球状弾を一定の方向に送り出す機構であるので、それを逆転させる力を、射撃のたびに毎回、１秒間に１５回程度の頻度で与えてしまうことは、故障の原因となる。従来の電動エアガンでは、そのような送弾機構を逆転させるような球状弾の動き（実際には、振幅が１ミリ程度の微振動に近い動き）は無視されてきただけである。
【０２２１】
マガジン駆動部材７７６の傾斜部が、受動部材７７０の傾斜部に作用して、受動部材基部７６７は軸７６８を中心に回転し、アーム部７７１の先端部に、矢印７７２に示すような方向の駆動力を伝達する。マガジン７５３Ａにおいては、アーム部７７１の先端部はラチェットフック基部７６４を押し、ラチェットフック７５５も矢印７７３の方向に移動して、図示してあるような状態になる。その状態は、１歯分の回転準備ができた状態である。
【０２２２】
マガジン７５３Ｂにおいては、アーム部７７１の先端部はラチェットフック基部７６６を押し、ラチェットフック７５９も矢印７６０の方向に移動して、図示してあるような状態になる。その状態は、ラチェット７６１が矢印７６２の方向に１歯分だけ回転させられた状態である。
【０２２３】
回転駆動部材７７９が矢印７８０の方向に回転し続けると、図９４の状態と図９５の状態とが交互に繰り返され、マガジン内の送弾機構が機能して、球状弾が連続的に銃側に供給される。第５１の実施例の説明は、請求項１、２、４、５、６、９、１０、２１、２６、３４に関係する。
【０２２４】
次に、図９４と図９５とで説明したマガジンと同じ構造のマガジンを用いて、銃本体側の機構を変化させた、本発明の他の実施例を示す。
【実施例５２】
【０２２５】
図９６は、本発明による第５２の実施例の略式構造説明図である。図９４、図９５第５１の実施例では、シリンダーが銃本体に固定されている例を示したが、図９６第５２の実施例では、シリンダーがＸ軸方向に往復運動する例を示す。この例は、図２８第６の実施例で示した例と、よく似ている。図２８第６の実施例で、銃機関部の下方からマガジンをセットしていたものを、図９６第５２の実施例では、銃機関部の上方からマガジンをセットしただけ、とも言えるくらい似ている。シリンダーと一体的に動くマガジン駆動部材は、回転駆動部材の１回転につきＸ軸方向に１往復し、マガジン駆動部材の傾斜部と受動部材の傾斜部とが接触して、受動部材を円弧状に往復運動させ、その円弧状の往復運動を、ラチェットを利用して、一定方向の回転運動に変換して、スプロケットで送弾している。銃の形状の違いによる、各部品の形状や大きさ、配置位置などが違うだけで、そのプロセスは全く、といってよいほど同じである。したがって説明の仕方も、図２８第６の実施例と、ほとんど同じとなる。
【０２２６】
ピストン７８５の後部に設けられたピストンエンド７８６は、ギアボックスまたは銃の本体に設けられたストッパー７８７により、それ以上は前進できない。シリンダー７８８の前方部には、シリンダーヘッド７８９が固着されていて、シリンダーヘッド７８９にはノズル部材７９０が設けられている。またシリンダー７８８の前方上部には、マガジン駆動部材７９１が設けられ、アーム部材７９２の後方部にはカム接触部材７９３が設けられている。アーム部材７９２にはバネ７９４が作用しており、アーム部材７９２は常に前方へと引っ張られている。常に前方へと弾力的な力を作用させるために、引っ張りバネの代わりに、押しバネを用いてもよい。押しバネの用い方は、図８などですでに説明している。
【０２２７】
受動部材７９５は、シリンダーやバレルに向いたマガジンの端面部（この場合にはマガジンの下側端面部）より凸状に露出している。受動部材７９５は、軸７９６によりマガジン７９７に、回転できるように固定されている。アーム部７９８の上端部は、軸７９６を中心にして回転できる。バネ７９９は、受動部材７９５を、矢印８００の方向に常に押し下げている。球状弾８０１は、ノズル部材７９０が存在するので、それ以上に下降することはできない。図９６は、発射直後に停止した、最も標準的な初期状態を描いたものである。
【０２２８】
図９７は、本発明による第５２の実施例の略式構造説明図である。図９７は、回転駆動部材８０２が矢印８０３の方向に回転して、カム接触部材７９３を最も後退させた状態を示している。マガジン駆動部材７９１も矢印８０４の方向に最も後退し、受動部材７９５を押し上げる。そして、受動部材７９５と一体であるアーム部７９８の上端部を、軸７９６を中心にして、矢印８０５の方向に回転させる。以降は、マガジン内の機構が、図９５に示すように機能して、ラチェットやスプロケットを回転させ、球状弾８０６はノズル部材７９０の前方にまで押し下げられる。
【０２２９】
第５２の実施例は、シリンダー７８８、シリンダーヘッド７８９、ノズル部材７９０、マガジン駆動部材７９１、アーム部材７９２、カム接触部材７９３を、ひとつのシリンダーユニット成型品とすることができるので、安価な銃を提供できるという特徴がある。第５２の実施例の説明は、請求項１、２、４、５、６、９、１０、２１、２６、２７、３４に関係する。
【０２３０】
第５２の実施例では、マガジン駆動部材が後退するときに受動部材を押し上げる方式について説明したが、次に、マガジン駆動部材が後退するときに受動部材も後退させて、マガジン内の送弾装置を機能させるタイプの、本発明の他の実施例を示す。
【実施例５３】
【０２３１】
図９８は、本発明による第５３の実施例の略式構造説明図である。銃側の構造は、マガジン駆動部材８０７の形状と配置位置とが異なる以外、まったく同じであるので、重複する説明は省略する。そしてマガジン側の構造は、図８７第４５とまったく同じであるので、重複する説明は省略する。
【０２３２】
やがてマガジン駆動部材８０７が後退し、受動部材８０８を矢印８０９の方向に引くと、ラチェット８１０は矢印８１１の方向に回転する。その状態を示したものが図９９である。
【０２３３】
図９９は、本発明による第５３の実施例の略式構造説明図である。図９９は、回転駆動部材８１２が矢印８１３の方向に回転して、カム接触部材８１４を最も後退させた状態を示している。マガジン駆動部材８０７も矢印８１５の方向に最も後退し、受動部材８０８を引き下げる。そして、受動部材８０８と一体的に動くラチェットフック８１６も矢印８１７の方向に後退して、ラチェット８１０は矢印８１１の方向に回転する。以降は、マガジン内の機構が機能して、図８１、図８２に示すようにスプロケットを回転させ、球状弾８１８はノズル部材８１９の前方にまで押し下げられる。第５３の実施例の説明は、請求項１、２、３、５、６、９、２１、２６、２７、３４に関係する。
【０２３４】
次に、図８４と図８５とで説明した銃機関部と同じ構造の銃機関部を用いて、マガジン側の受動部材の形状を変化させた、本発明の他の実施例を示す。
【実施例５４】
【０２３５】
図１００は、本発明による第５４の実施例の略式構造説明図である。マガジン側の構造は、基本的には、図９４と図９５とで説明した構造と同じであるので、ＸＹ平面を見たマガジン上面図の、図示と説明は省略する。マガジン８２０の後方端面部は、マガジン駆動部材８２１が入り込んでくるので、その分だけ切り掛かれたような形状になっている。銃機関部は図８４と同じように、マガジン駆動部材８２１は、最も後退した状態にある。受動部材８２２は、軸８２３を中心にして回転できるように、マガジン８２０に取り付けられている。バネ８２４は、受動部材８２２を常に押しており、受動部材８２２は初期状態にある。球状弾８２５は、ノズル部材８２６の前方にある。やがて、回転駆動部材８２７が矢印８２８の方向に回転すると、マガジン駆動部材８２１はＸ軸方向に前進して、受動部材８２２の傾斜部にもぐり込む。そのような状態を描いたのが図１０１である。
【０２３６】
図１０１は、本発明による第５４の実施例の略式構造説明図である。銃機関部は図８５と同じように、マガジン駆動部材８２１は、矢印８２９の方向に最も前進した状態にある。受動部材８２２と一体的に設けられているアーム部８３０は、軸８２３を中心にして回転して、矢印８３１の方向に駆動力を伝達する。駆動力の伝達を受けたマガジン内部の機構部は、図９４にて示した状態から図９５にて示した状態に変化して、一定方向の回転力を得る。マガジン駆動部材８２１のＸ軸方向の往復運動が、受動部材８２２の往復円弧運動に変換され、マガジン内部にて再びＸ軸方向の往復運動に変換された後、一定方向の回転運動に変換されて、送弾機構が機能する。第５４の実施例の説明は、請求項１、２、４、５、６、９、１０、２１、２６に関係する。
【０２３７】
図１００第５４の実施例では、銃機関部の基本構造として、図８４第４４の実施例と全く同じものを用いて本発明の実施例を示した。次に、銃機関部の基本構造として、マガジン駆動部材の露出部分の形状が、やはり図８４第４４の実施例と全く同じであって、マガジン駆動部材をピストンに連繋させた、本発明の他の実施例を示す。
【実施例５５】
【０２３８】
図１０２は、本発明による第５５の実施例の略式構造説明図である。マガジン８３２は、図１０１第５４の実施例と全く同じ構造であって、同じ状態にある。銃本体８３３の一部であるマガジンキャッチ端面部８３４、から飛び出たマガジン駆動部材８３５の状態は、図１０１第５４の実施例と全く同じであるが、マガジン駆動部材８３５を動かしている駆動力を、銃機関部のどこから得ているのか、どの程度の移動量として得ているのか、という点で違いがある。図８第１の実施例から図１０１第５４の実施例に至る全ての実施例において、回転駆動部材の回転運動からマガジン駆動部材の駆動力を得ていた。回転駆動部材に設けられたカム、カムピン、欠歯ギアなどが、アーム部材（または、アーム部材と一体化したシリンダー）に設けられたカム接触部材やラックギアなどに作用して、振幅８ミリほどの、Ｘ軸方向の往復運動を作り出していた。そのＸ軸方向の往復運動を、往復運動のまま利用したり、往復回転運動に変換して利用したり、一定方向の回転運動に変換して利用したりしてきた。図１０２第５５の実施例では、ピストン８３６の後端部８３７と、連結部材８３８と、マガジン駆動部材８３５とを一体化している。回転駆動部材８３９は矢印８４０の方向に回転して、回転駆動部材８３９の凹凸部８４１は、ピストン８３６の凹凸部８４２とは噛み合ってはいない。ピストン８３６は、バネ８４３に押されて高速で前進し、球状弾を発射した状態にある。ピストン８３６と一体化しているマガジン駆動部材８３５も、矢印８４４の方向に高速で前進し、受動部材８４５を一瞬で蹴り上げるように動かし、矢印８４６のような駆動力を伝達する。矢印８４６のような駆動力により、マガジンの送弾機構が機能することは、図９４、図９５にてすでに説明をしている。図１０２第５５の実施例でも、回転駆動部材の回転運動でピストン８３６が動いている。したがって、マガジン駆動部材を動かしている駆動力を、銃機関部のどこから得ているのか、という点ではこれまでの例と同じであるが、どの程度の移動量として得ているのか、という点では大きな違いがある。
【０２３９】
ピストンの移動量は、４０ミリから６０ミリ程度に設計されるので、それまでの往復運動の移動量８ミリ程度に比べると、５倍から７倍以上の移動量である。その移動量を、そのままマガジン駆動部材８３５の移動量とした例が、図１０２第５５の実施例である。
【０２４０】
図１０２第５５の実施例では、ピストン８３６の後端部８３７と、連結部材８３８と、マガジン駆動部材８３５とを一体化しているが、たとえば矢印８４７の付近で、後端部８３７と連結部材８３８とを分離させることもできる。その場合には、マガジン駆動部材８３５を図１００に示すような初期位置に戻すためのバネを、連結部材８３８に作用させておく必要がある。
【０２４１】
図１０２第５５の実施例では、給弾用のノズル部材８４８を動かすのに、図８第１の実施例と同様の機関部機構を用いたが、図１２第２の実施例と同様の機関部機構を用いることもできる。それは、図８７第４５の実施例の機関部から、マガジン駆動部材６８６を取り除いたようなものである。そしてピストンとマガジンを、図１０２第５５の実施例に示したようなピストンとマガジンにしたものである。第５５の実施例の説明は、請求項１、２、４、５、６、９、１０、２６、２８に関係する。
【０２４２】
図１０２第５５の実施例では、ピストン８３６と一体化しているマガジン駆動部材８３５を、矢印８４４の方向に高速で前進させ、受動部材８４５を一瞬で蹴り上げるように動かしたが、次に、ピストンとマガジン駆動部材を分離した方式の、本発明の他の実施例を示す。
【実施例５６】
【０２４３】
図１０３は、本発明による第５６の実施例の略式構造説明図である。ピストン８４９の前進用に用いられるバネ８５０は非常に強いバネである。強いバネに押されて前進するピストン８４９は、やがて、クッション部材８５１に激突する。そのような激突の力を、マガジンの駆動力として利用した例が、図１０３第５６の実施例である。マガジン駆動部材８５２は、銃本体側に設けられたガイド壁８５３に囲まれていて、Ｘ軸方向の往復運動しかできない。マガジン駆動部材８５２は、バネ８５４に押されていて、後端部はＡの位置にある。前端部は、銃本体８５５の一部であるマガジンキャッチ端面部８５６、の内側にある。つまり、銃の機関部が停止しているときは、マガジン駆動部材８５２の前端部は、マガジンキャッチ端面部８５６の内側にあって、凸状には露出していない。したがって、マガジン駆動部材８５２の前端部が、マガジン８５７を着脱するときの障害になることはない。マガジン８５７の後方端面部には、マガジン駆動部材８５２の前端部が入り込むための、窓部８５８が設けられている。
【０２４４】
矢印８５９の方向に回転している回転駆動部材８６０との噛み合いからはずれた、ピストン８４９は、強いバネに押されて高速で前進している。ピストン８４９の後端部８６１も矢印８６２の方向に前進しており、やがてＡの位置にて、マガジン駆動部材８５２の後端部に激突する。激突のタイミングは、ピストン８４９がクッション部材８５１に激突するタイミングと、ほぼ同時でよい。激突した直後の状態を示したものが、図１０４である。
【０２４５】
図１０４は、本発明による第５６の実施例の略式構造説明図である。ピストン８４９がクッション部材８５１に激突して停止している。ピストン８４９の後端部８６１もマガジン駆動部材８５２の後端部に激突して、Ａの位置で止まっている。そして、激突の力を受け取ったマガジン駆動部材８５２は、慣性により、矢印８６３の方向に前進している。バネ８５４は縮んでいる。マガジン駆動部材８５２の後端部は、Ｂの位置まで前進して止まっている。マガジン駆動部材８５２の前端部は、窓部８５８を通って、矢印８６４の方向に力を伝達し、マガジン８５７の内部にある受動部材（図示しない）を動かす。マガジン８５７の内部機構は、図８４第４４の実施例や図１００第５４の実施例にて示したような機構を用いることができる。直線的な運動を、直線的な運動のまま伝達する方式を採用するか、直線的な運動を、回転的な運動に変換して伝達する方式を採用するかは、自由である。慣性を増大させるために、増量部材８６５を加えてもよい。受動部材への力の伝達を終えたマガジン駆動部材８５２は、バネ８５４の働きにより、瞬時に後退する。
【０２４６】
慣性を利用して、マガジン駆動部材を一瞬だけ飛び出させる方式は、図７７第４３の実施例にて、すでに示してある。図７７第４３の実施例では、直線的な運動を、回転的な運動に変換して伝達する方式を採用している。第５６の実施例の説明は、請求項１、２、３、５、６、２０、２６、３０に関係する。
【０２４７】
図１０２、図１０３、図１０４にては、ピストンが前進するときの動きを利用して、マガジン駆動部材を働かせたが、次に、ピストンが後退するときの動きを利用して、マガジン駆動部材を働かせる方式の、本発明の他の実施例を示す。
【実施例５７】
【０２４８】
図１０５は、本発明による第５７の実施例の略式構造説明図である。銃本体側の機関部の構造は、基本的には、図８７第４５の実施例に示した構造と同じである。図８７第４５の実施例に示した構造から、マガジン駆動部材６８６を取り除いたものと考えてよい。ピストン８６６の後方上部には、凸部８６７Ａが設けられている。回転駆動部材８６８は矢印８６９の方向に回転し、給弾用ノズル部材８７０は矢印８７１の方向に前進して、球状弾８７２をバレルパッキン８７３に押し込んでいる。ピストン８６６は矢印８７４Ａの方向に後退していて、凸部８６７Ａが、マガジン駆動部材８７５の後端部８７６に接する直前である。マガジン駆動部材８７５は、バネ８７７に押されており、ストッパー８７８が銃本体８７９の内壁に当たっていて、図示したような状態にある。この状態が、マガジン駆動部材８７５の初期状態である。マガジン８８０の内部には、受動部材８８１が配置されている。受動部材８８１は、受動部材基部８８２の軸８８３に支えられ、バネ８８４に押されている。このような構成により、受動部材８８１には、逃げ機構が備わる。この逃げ機構があるので、マガジン駆動部材８７５の先端フック部８８５が初期状態以外の位置で停止していても、いつでもマガジン８８０を着脱することができる。シリンダー８８６の上方には長穴８８７が設けられている。ピストン８６６の後方上部に設けられた凸部８６７は、この長穴８８７の範囲で移動する。なおマガジン駆動部材８７５を、下方に図示したような形状に変化させ、マガジン駆動部材８８８のようにすることができる。マガジン駆動部材８８８の後端部８８９は、ピストン８６６の前方上部に設けられた凸部８６７Ｂに押されることになる。凸部８６７Ｂは、シリンダー８８６の外部には飛び出ないので、シリンダーユニットとして組み立てているときなどにおいて、取り扱いが便利である。下方に示した部分図における、シリンダーやピストンについては、Ｘ軸方向の位置を、上方に示した図の位置と、同じに描いている。マガジン駆動部材８７５のような形状にしても、マガジン駆動部材８８８のような形状にしても、機能においては同じである。回転駆動部材８６８が矢印８６９の方向に、さらに回転すると、ピストン８６６は最も後退した状態になる。その状態を示したものが、図１０６である。
【０２４９】
図１０６は、本発明による第５７の実施例の略式構造説明図である。ピストン８６６は、矢印８７４Ａの方向に、最も後退した状態にある。凸部８６７Ａが、マガジン駆動部材８７５の後端部８７６を、矢印８７４Ｂの方向に、最も後退させている。マガジン駆動部材８７５の先端フック部８８５が、受動部材８８１を、矢印８７４Ｃの方向に引っ張り、受動部材基部８８２も最も後退した状態にある。マガジン８８０の内部で、受動部材基部８８２のような部材がＸ軸方向の往復運動をすれば、その運動を利用して送弾機構を機能させるのは容易である。図８４第４４の実施例に示した構造と同じような構造を採用すればよい。あるいは、図９０第４７の実施例や図９２第４９の実施例に示した構造と同じような構造を採用してもよい。また、図９３第５０の実施例に示した構造と同じような構造を採用してもよい。ただしその場合には、マガジン駆動部材８７５が後方へと引かれる動きを、銃の内部において、前方へと押す動きに変換する必要がある。あるいは引く動きを、引く動きのまま利用したいのであれば、図９３第５０の実施例に示した、扇形ギア７４５と平行移動部材７４８の配置方法を、図９２第４９の実施例に示した、扇形ギア７４１と平行移動部材７３９の配置方法のように変更すればよい。そのようにすれば、マガジン駆動部材８７５の一部を平行移動部材とみなすことにより、図９３第５０の実施例に示したように、往復回転運動を出力することができる。なおマガジン駆動部材８７５を、下方に図示したような形状に変化させ、マガジン駆動部材８８８のようにすることができることは、すでに説明した。下方に示した部分図における、シリンダーやピストンについては、Ｘ軸方向の位置を、上方に示した図の位置と、同じに描いている。第５７の実施例の説明は、請求項１、２、３、５、６、９、１０、２６、２９に関係する。
【０２５０】
図１０５、図１０６第５７の実施例では、ピストンが後退するときにフック形状を有する受動部材をＸ軸方向に引っ張る方式について説明したが、次に、ピストンに凸部を設けるなどの変更を加えず、シリンダー上方に設けられる長穴も小さくし、マガジン駆動部材先端部に傾斜を加えることで、受動部材をＺ軸方向に跳ね上げて、マガジン内の送弾装置を機能させるタイプの、本発明の他の実施例を示す。
【実施例５８】
【０２５１】
図１０７は、本発明による第５８の実施例の略式構造説明図である。マガジン８９０は、図９４第５１の実施例で用いたマガジンと全く同じである。マガジン駆動部材が後退すると受動部材はＺ軸方向に跳ね上げられて、図９５のような状態になり、送弾機構が機能することはすでに説明した。
【０２５２】
シリンダー８９１の上方には長穴８９２が設けられている。マガジン駆動部材８９３は傾斜部を有しており、受動部材８９４の傾斜部と向かい合っている。マガジン駆動部材８９３の後方下端部は、ピストン８９５の後方上端部に当たり、押され始める状態にある。マガジン駆動部材８９３の後方上端部は、バネ８９６に押されている。マガジン駆動部材８９３の前方付近に設けられたストッパー８９７が銃本体８９８の内壁に当たっていて、図示したような状態にある。この状態が、マガジン駆動部材８９３の初期状態である。回転駆動部材８９９は矢印９００の方向に回転し、給弾用ノズル部材９０１は矢印９０２の方向に前進して、球状弾９０３をバレルパッキン９０４に押し込んでいる。ピストン８９５は矢印９０５の方向に後退している。
【０２５３】
ピストン８９５の後方上端部には、図１０５第５７の実施例に示したような凸部がないので、シリンダー８９１の上方にある長穴８９２は、小さくて済む。なお、この図１０７第５８の実施例では、給弾用ノズル部材９０１の中心軸と、シリンダー８９１の中心軸とは、一致していない。いわゆる、オフセット状態になっている。これは、マガジン駆動部材８９３の全体形状が変わったためである。機能的には、図１０５第５７の実施例に示したような機関部と同じである。
【０２５４】
図１０８は、本発明による第５８の実施例の略式構造説明図である。ピストン８９５は、矢印９０５の方向に、最も後退した状態にある。マガジン駆動部材８９３も、矢印９０６の方向に、最も後退した状態にある。マガジン駆動部材８９３の傾斜部が、受動部材８９４の傾斜部に作用して、受動部材８９４を、軸９０７を中心にして回転させ、矢印９０８の方向に力を伝達する。この状態は、図９５第５１の実施例に示したマガジンの状態と同じである。矢印９０８の方向に力が伝達されると、送弾機構が機能することは、すでに説明してある。受動部材８９４は、軸９０７を中心にして回転するので、マガジン８９０をいつでも着脱できる。このことも、すでに説明してある。第５８の実施例の説明は、請求項１、２、４、５、６、９、１０、２６、２９、３４に関係する。
【０２５５】
第５７の実施例、第５８の実施例では、ピストンが後退するときに受動部材を動かす方式について説明したが、次に、ピストンに凸部を設けるなどの変更を加えず、シリンダーの上方に長穴を設けることもせず、シリンダーヘッド付近に工夫を加えることで、マガジン内の送弾装置を機能させるタイプの、本発明の他の実施例を示す。
【実施例５９】
【０２５６】
図１０９は、本発明による第５９の実施例の略式構造説明図である。ピストンの激突とバネの反発とを利用して、マガジン駆動部材にＸ軸方向の往復運動をさせ、マガジン側の受動部材に力を伝達して、マガジンの送弾機構を機能させる方式である。この方式は、ピストンの激突を利用するという点においては、図１０３第５６の実施例に示した方式と似ているが、ピストンの上方に配置されていた、大げさな力の伝達機構がなくなるので、システムとして、とても小型化され、組み立ても容易になる特徴がある。
【０２５７】
シリンダー９０９の前方にはシリンダーヘッド９１０がはめ込まれている。シリンダー９０９は、銃本体９１１に固定されるなどしていて、動かない。シリンダーヘッド９１０に設けられた第１の穴には、排気パイプ９１２が通っている。排気パイプ基部９１３の外周部にはパッキン９１４がセットされていて、エア漏れを防いでいる。マガジン駆動部材９１５は、シリンダーヘッド９１０に設けられた第２の穴を通って、排気パイプ基部９１３に取り付けられている。マガジン駆動部材９１５は、バネ９１６に押されて最も後退した位置にある。図示されたような状態が、マガジン駆動部材９１５の初期状態である。ピストン９１７は、回転駆動部材９１８との噛み合いからはずれ、矢印９１９の方向に高速で前進している。アーム部材９２０はカムピン９２１の影響を受けていないので、バネ９２２により、矢印９２３の方向に引っ張られている。給弾用ノズル部材９２４も、アーム部材９２０と一体的に動き、最も前進した位置にある。バレルパッキン９２５にはまり込んでいた球状弾９２６は、矢印９２７の方向に発射されている。ピストン９１７が前進を完了した後に、回転駆動部材９１８が、矢印９２８の方向に、さらに回転すると、カム接触部材９２９がカムピン９２１に押されて後方に移動する。同時に給弾用ノズル部材９２４も後方に移動し、次の球状弾９３０が、バレルパッキン９２５の後方部に送り込まれてくる。
【０２５８】
銃本体９１１側に関する説明は、以上のようなものである。次にマガジンについて、ＸＹ平面を見た図で示してあるので、その基本構造を説明する。マガジン９３１には、受動部材９３２が配置され、マガジン駆動部材９１５からの運動を受けようとしている。受動部材９３２は、受動部材基部９３３に支持されていて、マガジンセットのときに、マガジン駆動部材９１５の上方端部と接触した場合に、一時的に逃げる構造をしている。この、受動部材の逃げ、の構造についてはすでに何回も説明している。受動部材基部９３３は、軸９３４に支えられ、回転できる。受動部材基部９３３のアーム部９３５は弾力性を有しており、先端フック部９３６がラチェット９３７を１歯送った後に戻るとき、自身の弾力で逃げて、ラチェット９３７を逆転させない。ラチェット９３７には逆転防止用のバネ９３８が配置されている。受動部材基部９３３にはバネ９３９が配置されているが、ストッパー９４０があるので、図示したような状態にある。この状態がマガジン９３１の初期状態である。
【０２５９】
図１０９第５９の実施例のマガジン９３１の基本構造は、図２８第６の実施例のマガジン２０２の基本構造と、似ている。マガジン駆動部材のＸ軸方向の直線的な動きを、受動部材の円弧状の動きに変換し、受動部材と一体的に動く先端フック部が、ラチェットを１歯だけ（あるいは２歯だけなど）回転させる構造である。そして、ラチェットの軸には畜力用のゼンマイバネがセットされ、ゼンマイバネの外端部がスプロケットの内壁に設けられた凹部にはまり込んで、逃げのクラッチ機能を有しながら動力を伝達する構造である。
【０２６０】
図１１０は、本発明による第５９の実施例の略式構造説明図である。ピストン９１７は、前進を完了している。排気パイプ基部９１３とマガジン駆動部材９１５は、ピストン９１７に押され、矢印９４１の方向に前進している。マガジンについて、ＸＹ平面を見た図で示す。マガジン９３１の内部において、マガジン駆動部材９１５が受動部材９３２を押している。受動部材９３２を支持している受動部材基部９３３は、軸９３４を中心にして、矢印９４２の方向に回転する。アーム部９３５の先端付近にある先端フック部９３６がラチェット９３７を、矢印９４３の方向に、１歯だけ送った状態が描かれている。マガジン駆動部材９１５は、シリンダーユニットを完成させた後でも、シリンダーヘッド９１０の前方から差し込むことができる。これは、組み立て工程において、とても都合がよい。
【０２６１】
マガジン駆動部材９１５は、バネ９１６に押されているので、回転駆動部材９１８が、矢印９２８の方向に、さらに回転すると、ピストン９１７の下方にある凹凸部と、回転駆動部材９１８の外周部にある凹凸部とが、再び噛み合って、ピストン９１７を後方へと移動させる。排気パイプ基部９１３を前方へと押さえていた、ピストン９１７の影響力がなくなるので、マガジン駆動部材９１５はバネ９１６に押されて、図１０９のような初期状態に戻る。マガジン９３１の内部機構も、図１０９のような初期状態に戻る。このようなサイクルが繰り返されて、球状弾が連続的に給弾され、連続的に発射される。第５９の実施例の説明は、請求項１、２、３、５、６、９、２６、３０に関係する。
【０２６２】
図１０９、図１１０第５９の実施例では、排気パイプ９１２とマガジン駆動部材９１５とが同時に動く特別な方式について説明したが、次に、排気パイプ基部９１３を配置しないで、排気パイプとシリンダーヘッドとを一体化してシリンダーに固定し、ピストンの前進でマガジン駆動部材のみを動かして、マガジン内の送弾装置を機能させるタイプの、本発明の他の実施例を示す。
【実施例６０】
【０２６３】
図１１１は、本発明による第６０の実施例の略式構造説明図である。排気パイプ９４４とシリンダーヘッド９４５は一体化している。シリンダーヘッド９４５はシリンダー９４６の前方に、はめ込まれている。シリンダー９４６は、銃本体９４７に固定されるなどしていて、動かない。マガジン駆動部材９４８の後端部９４９は、シリンダーヘッド９４５に設けられた穴を通って、シリンダー９４６の内部方向に飛び出ている。マガジン駆動部材９４８とシリンダーヘッド９４５との間には、パッキン９５６が配置され、シリンダー内のエアが漏れるのを防いでいる。図１０９第５９の実施例におけるマガジン駆動部材９１５の形状は、図１１１第６０の実施例におけるマガジン駆動部材９４８の形状と、全く同じである。そして、配置位置も全く同じである。
【０２６４】
図１１１第６０の実施例におけるマガジン９５０の構造も、図１０９第５９の実施例におけるマガジン９３１の構造と全く同じである。ピストン９５１は、矢印９５２の方向に高速で前進して、やがて、マガジン駆動部材９４８の後端部９４９に激突する。そして、マガジン駆動部材９４８は、矢印９５３の方向に前進して、受動部材９５４を押す。マガジン内の機構が、図１１０第５９の実施例におけるマガジンの図のように機能して、送弾が行われる。クッション部材９５５は、ピストン９５１の激突の力を吸収して、シリンダーヘッド９４５が破壊されないように働く。マガジン駆動部材９４８は、シリンダーユニットを完成させた後でも、シリンダーヘッド９４５の前方から差し込むことができる。これは、組み立て工程において、とても都合がよい。第６０の実施例の説明は、請求項１、２、３、５、６、９、２６、３０に関係する。
【産業上の利用可能性】
【０２６５】
実施例の図などにおいては電動玩具銃を例に掲げていたが、本発明による銃は、銃の内部にある部品の動きを伝達することによりマガジン駆動部材を作動させるので、玩具銃が古いタイプのガスブローバック式のガス玩具銃であってもよい。ガス玩具銃は、トリガーを引くとガスバルブが開放され、固定されたシリンダー状の空間内にガスが流入する方式をとるものが多い。シリンダー状の空間内にはピストン状部材が配置されていて、ガス圧が高まるとピストン状部材が一定量だけ移動する。あるいは逆に、固定されたピストン状部材の外部で、シリンダー状部材が一定量だけ移動する方式のガス玩具銃もある。そして、ピストン状部材やシリンダー状部材が一定量だけ移動すると、ガスを排出する機構が働き、ピストン状部材やシリンダー状部材は初期位置に戻る。そのようなサイクルが繰り返されることで、連続射撃が可能になっている。ガス玩具銃においては、そのような、移動するピストン状部材や、移動するシリンダー状部材にマガジン駆動部材を連繋させれば、一定量の往復運動が得られるので、すでに説明してきたような、往復運動を回転運動に変換するシステムを組み込んで、マガジン側の連続給弾機構を機能させることができる。本発明によるマガジンは、銃側のマガジン駆動部材の配置位置と形状が同じに設計されたものであれば、電動玩具銃でもガス玩具銃でも、どちらに対しても同じマガジンを使用して、連続射撃を楽しむことができる。過去においては多くの遊技者がガス玩具銃を所有していたが、今ではほとんど使われていない。しかし、ガス玩具銃は電動玩具銃に比べて、構造が簡単であるので、少しの知識と工具があれば、マガジンの装着部分に、移動するピストン状部材や移動するシリンダー状部材に連繋させたマガジン駆動部材を組み込むことができる。小さな小売店などでは、銃に各種の改造を加えるサービスを現在でもおこなっているので、消費者自身に知識や工具がなくても、一般の消費者が改造を依頼することができる。使われなくなっていた古いガス銃を、再び快適に使用することができるようになる。そして本発明によるマガジンを購入し、利用することにより、４０発程度しか撃てなかった古いガスブローバック式のガス玩具銃でも、従来よりもはるかに多弾数のフルオート射撃を、簡単に楽しめるようになる。
【図面の簡単な説明】
【０２６６】
【図１】従来発明の公報をコピーし、数字などを修正した図である。
【図２】従来発明の公報をコピーし、数字などを修正した図である。
【図３】従来発明の公報をコピーし、数字などを修正した図である。
【図４】従来発明の公報をコピーし、数字などを修正した図である。
【図５】従来発明の公報をコピーし、数字などを修正した図である。
【図６】従来発明の公報をコピーし、数字などを修正した図である。
【図７】従来発明の公報をコピーし、数字などを修正した図である。
【図８】本発明による第１の実施例の略式構造説明図である。（１／３）
【図９】本発明による第１の実施例の略式構造説明図である。（２／３）
【図１０】本発明による第１の実施例の略式構造説明図である。（３／３）
【図１１】本発明による第２の実施例の略式構造説明図である。（１／４）
【図１２】本発明による第２の実施例の略式構造説明図である。（２／４）
【図１３】本発明による第２の実施例の略式構造説明図である。（３／４）
【図１４】本発明による第２の実施例の略式構造説明図である。（４／４）
【図１５】一般的なマガジンストッパーの構造説明図である。（１／２）
【図１６】一般的なマガジンストッパーの構造説明図である。（２／２）
【図１７】一般的なゼンマイ式マガジンの構造説明図である。（１／２）
【図１８】一般的なゼンマイ式マガジンの構造説明図である。（２／２）
【図１９】本発明を採用したマガジンの構造説明図である。（１／１）
【図２０】本発明による第３の実施例の略式構造説明図である。（１／３）
【図２１】本発明による第３の実施例の略式構造説明図である。（２／３）
【図２２】本発明による第３の実施例のマガジン外観図である。（３／３）
【図２３】本発明による第４の実施例の略式構造説明図である。（１／３）
【図２４】本発明による第４の実施例の略式構造説明図である。（２／３）
【図２５】本発明による第４の実施例のマガジン外観図である。（３／３）
【図２６】本発明による第５の実施例の略式構造説明図である。（１／２）
【図２７】本発明による第５の実施例の略式構造説明図である。（２／２）
【図２８】本発明による第６の実施例の略式構造説明図である。（１／２）
【図２９】本発明による第６の実施例の略式構造説明図である。（２／２）
【図３０】本発明による第７の実施例の略式構造説明図である。（１／２）
【図３１】本発明による第７の実施例の略式構造説明図である。（２／２）
【図３２】本発明による第８の実施例の略式構造説明図である。（１／１）
【図３３】本発明による第９の実施例の略式構造説明図である。（１／２）
【図３４】本発明による第９の実施例の略式構造説明図である。（２／２）
【図３５】本発明による第１０の実施例の略式構造説明図である。（１／２）
【図３６】本発明による第１０の実施例の略式構造説明図である。（２／２）
【図３７】本発明による第１１の実施例の略式構造説明図である。（１／３）
【図３８】本発明による第１１の実施例の略式構造説明図である。（２／３）
【図３９】本発明による第１１の実施例のマガジン外観図である。（３／３）
【図４０】本発明による第１２の実施例の略式構造説明図である。（１／１）
【図４１】本発明による第１３の実施例の略式構造説明図である。（１／１）
【図４２】本発明による第１４の実施例の略式構造説明図である。（１／４）
【図４３】本発明による第１４の実施例の略式構造説明図である。（２／４）
【図４４】本発明による第１４の実施例のマガジン外観図である。（３／４）
【図４５】本発明による第１４の実施例の略式構造説明図である。（４／４）
【図４６】本発明による第１５の実施例の略式構造説明図である。（１／１）
【図４７】本発明による第１６の実施例の略式構造説明図である。（１／１）
【図４８】本発明による第１７の実施例の略式構造説明図である。（１／１）
【図４９】本発明による第１８の実施例の略式構造説明図である。（１／２）
【図５０】本発明による第１８の実施例の略式構造説明図である。（２／２）
【図５１】本発明による第１９の実施例の略式構造説明図である。（１／１）
【図５２】本発明による第２０の実施例の略式構造説明図である。（１／１）
【図５３】本発明による第２１の実施例の略式構造説明図である。（１／１）
【図５４】本発明による第２２の実施例の略式構造説明図である。（１／１）
【図５５】本発明による第２３の実施例の略式構造説明図である。（１／１）
【図５６】本発明による第２４の実施例の略式構造説明図である。（１／１）
【図５７】本発明による第２５の実施例の略式構造説明図である。（１／２）
【図５８】本発明による第２５の実施例の部分説明図である。（２／２）
【図５９】本発明による第２６の実施例の部分説明図である。（１／２）
【図６０】本発明による第２６の実施例の部分説明図である。（２／２）
【図６１】本発明による第２７の実施例の部分説明図である。（１／１）
【図６２】本発明による第２８の実施例の部分説明図である。（１／１）
【図６３】本発明による第２９の実施例の略式構造説明図である。（１／１）
【図６４】本発明による第３０の実施例の略式構造説明図である。（１／１）
【図６５】本発明による第３１の実施例の略式構造説明図である。（１／１）
【図６６】本発明による第３２の実施例の略式構造説明図である。（１／１）
【図６７】本発明による第３３の実施例の略式構造説明図である。（１／１）
【図６８】本発明による第３４の実施例の略式構造説明図である。（１／１）
【図６９】本発明による第３５の実施例の略式構造説明図である。（１／１）
【図７０】本発明による第３６の実施例の略式構造説明図である。（１／１）
【図７１】本発明による第３７の実施例の略式構造説明図である。（１／１）
【図７２】本発明による第３８の実施例の略式構造説明図である。（１／１）
【図７３】本発明による第３９の実施例の略式構造説明図である。（１／１）
【図７４】本発明による第４０の実施例の略式構造説明図である。（１／１）
【図７５】本発明による第４１の実施例の略式構造説明図である。（１／１）
【図７６】本発明による第４２の実施例の略式構造説明図である。（１／１）
【図７７】本発明による第４３の実施例の略式構造説明図である。（１／３）
【図７８】本発明による第４３の実施例の略式構造説明図である。（２／３）
【図７９】本発明による第４３の実施例の略式構造説明図である。（３／３）
【図８０】本発明による第４４の実施例の略式構造説明図である。（１／７）
【図８１】本発明による第４４の実施例の略式構造説明図である。（２／７）
【図８２】本発明による第４４の実施例の略式構造説明図である。（３／７）
【図８３】本発明による第４４の実施例の略式構造説明図である。（４／７）
【図８４】本発明による第４４の実施例の略式構造説明図である。（５／７）
【図８５】本発明による第４４の実施例の略式構造説明図である。（６／７）
【図８６】本発明による第４４の実施例の略式構造説明図である。（７／７）
【図８７】本発明による第４５の実施例の略式構造説明図である。（１／２）
【図８８】本発明による第４５の実施例の略式構造説明図である。（２／２）
【図８９】本発明による第４６の実施例の略式構造説明図である。（１／１）
【図９０】本発明による第４７の実施例の略式構造説明図である。（１／１）
【図９１】本発明による第４８の実施例の略式構造説明図である。（１／１）
【図９２】本発明による第４９の実施例の略式構造説明図である。（１／１）
【図９３】本発明による第５０の実施例の略式構造説明図である。（１／１）
【図９４】本発明による第５１の実施例の略式構造説明図である。（１／２）
【図９５】本発明による第５１の実施例の略式構造説明図である。（２／２）
【図９６】本発明による第５２の実施例の略式構造説明図である。（１／２）
【図９７】本発明による第５２の実施例の略式構造説明図である。（２／２）
【図９８】本発明による第５３の実施例の略式構造説明図である。（１／２）
【図９９】本発明による第５３の実施例の略式構造説明図である。（２／２）
【図１００】本発明による第５４の実施例の略式構造説明図である。（１／２）
【図１０１】本発明による第５４の実施例の略式構造説明図である。（２／２）
【図１０２】本発明による第５５の実施例の略式構造説明図である。（１／１）
【図１０３】本発明による第５６の実施例の略式構造説明図である。（１／２）
【図１０４】本発明による第５６の実施例の略式構造説明図である。（２／２）
【図１０５】本発明による第５７の実施例の略式構造説明図である。（１／２）
【図１０６】本発明による第５７の実施例の略式構造説明図である。（２／２）
【図１０７】本発明による第５８の実施例の略式構造説明図である。（１／２）
【図１０８】本発明による第５８の実施例の略式構造説明図である。（２／２）
【図１０９】本発明による第５９の実施例の略式構造説明図である。（１／２）
【図１１０】本発明による第５９の実施例の略式構造説明図である。（２／２）
【図１１１】本発明による第６０の実施例の略式構造説明図である。（１／１）
【符号の説明】
【０２６７】
凹凸部１、６、７８、７９、、８４１、８４２
凸部５６、１１３、１８７、２２１、２２２、２４５、２４９、８６７Ａ、８６７Ｂ
凹部１６、６２・・・突起４８、１０９
ピストン２、７４、１４５、１６５、１８６、７８５、８３６、８４９、８６６、８９５、９１７、９５１
スプリング３、１２、７５、８４、１８２
シリンダー５、７７、１８９、、６４９、７８８、８８６、８９１、９０９、９４６
シリンダーヘッド２０、１９０、７８９、９１０、９４５
パッキン４、１８、７３、７６、９１４、９５６
バレルパッキン５２、６８３、８７３、９０４、９２５
モーター８、８１・・・ギアボックス１０・・・バレル５３
ノズル部材１９、１６７、１９１、６８２、７９０、８１９、８２６、８４８
ノズルユニット１５、１６６、６５２
アッパーフレーム２１・・・ロアーフレーム２２・・・固定用基部２３
回転駆動部材７、８０、１４７、１６２、１９７、２２９、２４２、２６７、３１０、３２５、３３７、３５７、３７２、４０９、４５９、４９５、５１５、５２６、５５２、６０１、６５４、７０３、７７９、８０２、８１２、８２７、８３９、８６０、８６８、８９９、９１８
マガジン駆動部材２６、８９、１３５、１６１、１８１、１９２、２１４、２２４、２４１、２５１、２５７、２７４、３００、３０８、３１５、３３５、３５５、３７０、３９４、４０７、４１５、４１９、４２６、４３８、４４５、４５３、４６４、４８７、４９７、５０８、５２１、５５７、５６１、５６４、５６８、５７３、６４８、６８６、７７６、７９１、８０７、８２１、８３５、８５２、８７５、８８８、８９３、９１５、９４８
受動部材２８、９１、１３７、１６８、１８０、２００、２１３、２１７、２２６、２３９、２４７、２５８、２７３、２７５、２８７、２９７、３０７、３１３、３１６、３３６、３５６、３７１、３９５、４０８、４１６、４２０、４３３、４３９、４４６、４５２、４７１、４８９、４９９、５０９、５２８、５５８、５６２、５６６、５６９、５９８、６６０、６９１、６９６、７１２、７２２、７３１、７３９、７７０、７９５、８０８、８２２、８３０、８４５、８８１、８９４、９３２、９５４
受動部材基部２９、９２、２５９、２７６、３１７、４５４、４６９、４７２、４８３、５０１、５４８、６６３、７６７、８８２、９３３
カム接触部材１３、８５、１３４Ｂ、１６４、１８３、１９４、２３６、６５７、７９３、８１４、９２９
アーム部材８７、１３４Ａ、１９３、２２０、２５３、３０２、３０９、３５９、３７４、４１１、４２１、４２９、４４０、４４７、４６７、５１１、５７４、６５０、６８８、７９２、９２０
マガジン２７、９０、１３６、２０２、２５５、２８４、３３２、３９６、４１７、５９６、６２０、６２３、６４４、６４７、６９４、７０５、７０９、７５３、７５３Ａ、７５３Ｂ、７９７、８２０、８３２、８５７、８８０、８９０、９３１、９５０
カム部１１、１６３、１８４、、６０３、６５６
係合部凸１７、７１、６５１、６５３
レール部３１、９４、２４８、２６０、２６１、４５６、６６４
クランク３５、９８、２５０、２９９・・・・ラック部４６
ラチェット押しバー３４、９７、１４２、２０３、２９６
駆動用ラチェット３６、９９、１３１、１５４、１７６、２１０、２１５
停止用ラチェット４４
矢印９、１４、３３、３８、４１、４５、５０、５４、５５、５７、５８、５８ｂ、６４、６５、６６、６７、８２、８６、９６、１０１、１０４、１０８、１１１、１１４、１１５、１１６、１１９、１２２、１２５、１２６、１２８、１２９、１３０、１３２、１４１、１４８、１５１、１５２、１５３、１６０、１６９、１７０、１７１、１７５、１７７、１７９、１８５、２０６、２０８、２０９、２１１、２１６、２２８、２３０、２３１、２３２、２３３、２３８、２４３、２４６、２５６Ａ、２５６Ｂ、２６３、２６５、２６８、２７１、２８０、２８２、２８３、２８５、２８６、２９０、２９２、３０５、３０６、３１１、３１２、３２６、３２７、３２８、３３０、３３３、３３４、３３８、３４６、３４７、３４８、３５０、３５８、３６２、３６３、３６５、３７３、３９１、３９７、４１０、４１８、４２３、４２４、４３１、４３２、４３４、４３５、４３６、４３７、４４３、４４４、４５０、４５１、４６０、４６１、４６２、４６３、４７８、４７９、４８２、４８８、４９０、４９２、４９６、４９８、５００、５１６、５１７、５１８、５２７、５４０、５４７、５８６、５８８、５９７、６０２、６０４、６０５、６０６、６０７、６０９、６１０、６１１、６１２、６１５、６１７、６２２、６２４、６２５、６２７、６２９、６３０、６３１、６３４、６３５、６４２、６４６、６５５、６５９、６６７、６７２、６７４、６８０、６８１、６８４、６８５、６９０、６９７、６９８、７００、７０２、７０６、７１０、７１１、７１８、７１９、７２０、７２１、７２５、７２６、７２７、７２９、７３５、７３６、７３８、７４０、７４２、７４４、７４９、７５２、７５６、７５８、７６０、７６２、７７２、７７３、７７５、７７８、７８０、７８１、８００、８０３、８０４、８０５、８０９、８１１、８１３、８１５、８１７、８２８、８２９、８３１、８４０、８４４、８４６、８４７、８５９、８６２、８６３、８６４、８６９、８７１、８７４Ａ、８７４Ｂ、８７４Ｃ、８９１、８９２、９００、９０２、９０５、９０６、９０８、９１９、９２３、９２７、９２８、９４１、９４２、９４３、９５２、９５３
バネ３２、３７、３９、４０、４３、７２、９５、１００、１０２、１０３、１０７、１１０、１２１、１３３、１４０、１４４、１９５、２０５、２２７、２３７、２５２、２６２、２７０、２７７、２７９、２８９、２９５、２９８、３１４、３１９、３２２、３２４、３９３、４４２、４４９、４５５、５５０、５７８、５８５、５８７、６１８、６３２、６４１、６５８、６６２、６６６、６７１、６７５、６７９、６８９、６９３、６９５、７６３、７６５、７７４、７９４、７９９、８２４、８４３、８５０、８５４、８７７、８８４、８９６、９１６、９２２、９３８、９３９
ピン２４、２５、、４２８、４８４、５８３、５８４、５９１、７３４
軸３０、９３、２０１、２０４、２２３、２４０、２６９、２７８、２８８、３０１、３１８、３２１、３２３、３３９、３４４、４２７、４９１、５７６、５９２、６００、６６１、６７０、６７８、６９２、７６８、７９６、８２３、８８３、９０７、９３４
ストッパー４２、４９、１０６、１２０、１８８、１９６、２８１、２９１、５７９、５８１、６０８、７８７、８７８、８９７、９４０
銃本体６１９、６４３、７０７、７５４、８３３、８５５、８７９、８９８、９１１、９４７
球状弾５１、６９、１１２、１１８、１５７、１５８、１５９、２０７、６２１、６４５、７８２、７８４、８０１、８０６、８１８、８２５、８７２、９０３、９２６、９３０
クッション部材７０、８５１、９５５
カムピン８３、１４９、１９８、５１４、５２５、９２１
給弾用ノズル部材８８、１４６、、６８７、７７７、８７０、９０１、９２４
スプロケット５９、１１７、１７８、２１２、３６４、４８１、６３６
ゼンマイバネ６０、３８４、６３８・・・・ゼンマイバネ軸部材３８３ 
長穴４３０、４８６、５８９、７３２、８８７、８９２
中心軸６３、６３９、７１７、７３０、７５０
シャフト４１４、５２０、５３０、５３９、５６０
ラチェット２６６、３２９、６１６、６４０、６７３、７０１、７５７、７６１、８１０、９３７
ラチェットフック２６４、３２０、６１４、６６９、６７７、６９９、７５５、７５９、８１６
ラチェットフック基部６６８、６７６、７６４、７６６
ラチェットアーム３４３、３８０、４７６、７１６、７５１
ラチェット押しバー基部１０５
シャフト３５４、３６９、３７９、３８２、３８６、４０３、４１４、５３９、５４２、５４４、５５６
プーリー３４０、３４２、４０２、５０５、５０７、５６７
ベルト３４１、４０１、５０６、５７２
アーム部２９３、４７３、５０２、７７１、７９８、９３５
ガイド部材１３８、１３９、１７３、１７４
ラックギア３６０、３７５、４１２、４５７、４７０、４７４、４９３、７１３、７２３
ピニオンギア３６６、３９２、４０５、５０４、５４６
ピニオン・スパーギア３５１、３６１、５６３、５６５
スパーギア４７、３４５、３４９、４５８、４７５、４８０、５５１、５５３、７１４、７１５、７２４、７２８、７３７、７４３、７４６、７４７
第２スパーギア３９９
ベベルギア３５２、３５３、３６７、３６８、３７８、、５４３、５４５、５５５
ピニオン・ベベルギア５５４
プーリー付きスパーギア５７０・・・プーリー付きベベルギア５７１
中間ギア４１３、４７７・・・欠歯ギア４９４
扇形ラックギア４８５、５０３・・・扇形ギア７３３、７４１、７４５
先端部１２４、５９４、７０４
後端部５９３、８３７、８６１、８７６、８８９、９４９
端部２４４・・・上方端部３０４・・・端面部５９５・・・外側端６１
下方部端面６２６、７０８・・・後方部端面６２８
Ａガイド溝１４３・・・Ｂガイド溝１７２・・・・ガイド溝６６５
カム部材５１０、５２３・・・カムピンベース部材５１２、５２２
カム溝５１３、５２４
排気パイプ９１２、９４４・・・排気パイプ基部９１３
畜力機構４００、５１９、５２９、５３６、５５９
一方向クラッチ機構３９８、４２５、５３５
リブ１９９・・・回転体２２５・・・
パイプ部１２３・・・排出口４２２、４４１、４４８、６３７
噛み込み防止部材１２７・・・平行移動部材２９４、７４８
支持部材５７５、７６９・・・中間部材６１３・・・連結部材８３８
スクリュー４０４・・・縦型スクリュー５３８・・・横型スクリュー５４１
スクリューピンベース部材５３１、５４９・・・プッシュプレート６３３
スクリュー部材５３２・・・スクリュー溝５３３・・・スクリューピン５３４
フック部材５７７・・・フック後端部３０３・・・先端フック部８８５、９３６
プロペラ３８７・・・分離ツメ３８８・・・搬送路３８９、４０６
空間部１５５、１５６・・・支持部２３５・・・抜け止め部２５４、４６８
基準中心線２３４・・・受動部材体２７２、３３１・・・
アーム２１８、２１９・・・ふた５３７・・・ピストンエンド７８６
カップリング３８１、３８５・・・解除ツマミ３９０
傾斜部５８０・・・窓部５９９、８５８・・・ストライカー５８２
方向変換部材５９０・・・位置決め部材７８３・・・増量部材８６５
マガジンキャッチ端面部８３４、８５６・・・ガイド壁８５３
マガジン本体１００１・・・収納部１００２・・・スプロケット１００３・・・案内壁１００４・・・ストッパー部材１００５・・・マガジン本体１００６・・・収納部１００７・・・スプロケット１００８・・・案内壁１００９・・・ストッパー部材１０１０・・・アーム部材１０１１・・・先端部１０１２・・・回転部材１０１３・・・センサー部材１０１４・・・スイッチ１０１５・・・マガジン本体１０１６・・・収納部１０１７・・・カップリング１０１８・・・スクリューコンベア１０１９・・・モータ１０２０
【図１】
2006234191.tif 000003
【図２】
2006234191.tif 000004
【図３】
2006234191.tif 000005
【図４】
2006234191.tif 000006
【図５】
2006234191.tif 000007
【図６】
2006234191.tif 000008
【図７】
2006234191.tif 000009
【図８】
2006234191.tif 000010
【図９】
2006234191.tif 000011
【図１０】
2006234191.tif 000012
【図１１】
2006234191.tif 000013
【図１２】
2006234191.tif 000014
【図１３】
2006234191.tif 000015
【図１４】
2006234191.tif 000016
【図１５】
2006234191.tif 000017
【図１６】
2006234191.tif 000018
【図１７】
2006234191.tif 000019
【図１８】
2006234191.tif 000020
【図１９】
2006234191.tif 000021
【図２０】
2006234191.tif 000022
【図２１】
2006234191.tif 000023
【図２２】
2006234191.tif 000024
【図２３】
2006234191.tif 000025
【図２４】
2006234191.tif 000026
【図２５】
2006234191.tif 000027
【図２６】
2006234191.tif 000028
【図２７】
2006234191.tif 000029
【図２８】
2006234191.tif 000030
【図２９】
2006234191.tif 000031
【図３０】
2006234191.tif 000032
【図３１】
2006234191.tif 000033
【図３２】
2006234191.tif 000034
【図３３】
2006234191.tif 000035
【図３４】
2006234191.tif 000036
【図３５】
2006234191.tif 000037
【図３６】
2006234191.tif 000038
【図３７】
2006234191.tif 000039
【図３８】
2006234191.tif 000040
【図３９】
2006234191.tif 000041
【図４０】
2006234191.tif 000042
【図４１】
2006234191.tif 000043
【図４２】
2006234191.tif 000044
【図４３】
2006234191.tif 000045
【図４４】
2006234191.tif 000046
【図４５】
2006234191.tif 000047
【図４６】
2006234191.tif 000048
【図４７】
2006234191.tif 000049
【図４８】
2006234191.tif 000050
【図４９】
2006234191.tif 000051
【図５０】
2006234191.tif 000052
【図５１】
2006234191.tif 000053
【図５２】
2006234191.tif 000054
【図５３】
2006234191.tif 000055
【図５４】
2006234191.tif 000056
【図５５】
2006234191.tif 000057
【図５６】
2006234191.tif 000058
【図５７】
2006234191.tif 000059
【図５８】
2006234191.tif 000060
【図５９】
2006234191.tif 000061
【図６０】
2006234191.tif 000062
【図６１】
2006234191.tif 000063
【図６２】
2006234191.tif 000064
【図６３】
2006234191.tif 000065
【図６４】
2006234191.tif 000066
【図６５】
2006234191.tif 000067
【図６６】
2006234191.tif 000068
【図６７】
2006234191.tif 000069
【図６８】
2006234191.tif 000070
【図６９】
2006234191.tif 000071
【図７０】
2006234191.tif 000072
【図７１】
2006234191.tif 000073
【図７２】
2006234191.tif 000074
【図７３】
2006234191.tif 000075
【図７４】
2006234191.tif 000076
【図７５】
2006234191.tif 000077
【図７６】
2006234191.tif 000078
【図７７】
2006234191.tif 000079
【図７８】
2006234191.tif 000080
【図７９】
2006234191.tif 000081
【図８０】
2006234191.tif 000082
【図８１】
2006234191.tif 000083
【図８２】
2006234191.tif 000084
【図８３】
2006234191.tif 000085
【図８４】
2006234191.tif 000086
【図８５】
2006234191.tif 000087
【図８６】
2006234191.tif 000088
【図８７】
2006234191.tif 000089
【図８８】
2006234191.tif 000090
【図８９】
2006234191.tif 000091
【図９０】
2006234191.tif 000092
【図９１】
2006234191.tif 000093
【図９２】
2006234191.tif 000094
【図９３】
2006234191.tif 000095
【図９４】
2006234191.tif 000096
【図９５】
2006234191.tif 000097
【図９６】
2006234191.tif 000098
【図９７】
2006234191.tif 000099
【図９８】
2006234191.tif 000100
【図９９】
2006234191.tif 000101
【図１００】
2006234191.tif 000102
【図１０１】
2006234191.tif 000103
【図１０２】
2006234191.tif 000104
【図１０３】
2006234191.tif 000105
【図１０４】
2006234191.tif 000106
【図１０５】
2006234191.tif 000107
【図１０６】
2006234191.tif 000108
【図１０７】
2006234191.tif 000109
【図１０８】
2006234191.tif 000110
【図１０９】
2006234191.tif 000111
【図１１０】
2006234191.tif 000112
【図１１１】
2006234191.tif 000113
【手続補正書】
【提出日】平成18年2月13日(2006.2.13)
【手続補正１】
【補正対象書類名】明細書
【補正対象項目名】００２１
【補正方法】変更
【補正の内容】
【００２１】
本件出願人は特開平１−１６３６００にて、図６に示すようなスクリュー構造を持った、連続的に球状弾を送弾する給弾装置を発明している。今からおよそ１７年前の、連射式ガスガンが出始めたころの出願である。しかし、その発明は玩具銃本体に一体的に設けられた大容量の球状弾収容部に組み込む、大型の特殊なものであった。収容弾数こそ多いものの、モデルとなった実銃の着脱自在なマガジン構造部とは異なり、球状弾収容部は取り外しができない構造であって、着脱可能なマガジンと銃本体とに分離できる実銃のような雰囲気、たとえばカラになったマガジンを素早く取り外し、新しいマガジンをガチャリと銃にセットするような臨場感のある雰囲気を味わうことはできなかった。
【手続補正２】
【補正対象書類名】明細書
【補正対象項目名】００２２
【補正方法】変更
【補正の内容】
【００２２】
図７は、本件出願人による前記出願、特開平１−１６３６００のスクリュー構造を示すもので、マガジン部の空間内に詰め込まれた球状弾が、どのようにスクリュー部に吸い込まれ、どのようにスクリュー部の中で分離されていくのかを示したものである。この構造は１秒間に１０発程度を送り出すことができたが、それ以上の高速給弾はできなかった。
【手続補正３】
【補正対象書類名】明細書
【補正対象項目名】００２４
【補正方法】変更
【補正の内容】
【００２４】
１秒間に１０発以上（最大では１秒間に４０発程度）の球状弾を連続して発射できるガス式エアガンや電動式エアガンに使用する、従来の着脱自在式マガジンにおいては、１００発以上（最大では１０００発程度）の球状弾を収容する小型の着脱自在式マガジンを使用する場合、マガジン内に収容された球状弾をマガジンの球状弾排出口から銃本体内部のチャンバー部に送り出す機構は、スプロケットを使ったゼンマイ内蔵式か、スプロケットやスクリューを使ったモーター内蔵式などの、駆動力源を内蔵したものしかなかった。そして、収容部容量の限界弾数を送り出すことができる大型のゼンマイや、モーターや電池などを内蔵しないタイプの着脱自在式多弾数マガジン、というような分野については、雑誌などで話題になったり発表されたことも過去に一度もなく、エアガン愛好家からの、そのようなものを望む、といった希望の記述もなかった。すなわち、大きな駆動力源を内蔵しないタイプの着脱自在式多弾数高速連射用マガジンは、誰も考えたことがない、まったくの未開発分野であった。
【特許文献１】特許公報平４−１８２３７
【特許文献２】公開特許公報昭６２−１５８９９７
【特許文献３】実開平７−１２７９３
【特許文献４】特開平６−７４６９１
【特許文献５】実用新案公報実公平５−７０２
【特許文献６】特開平１−１６３６００
【特許文献７】特開平１−１６３６００
【非特許文献１】月刊コンバットマガジン誌２００４年２月号
【非特許文献２】月刊アームズマガジン誌２００４年１月号
【非特許文献３】月刊アームズマガジン誌２００４年６月号
【手続補正４】
【補正対象書類名】明細書
【補正対象項目名】０２６５
【補正方法】変更
【補正の内容】
【０２６５】
実施例の図などにおいては電動玩具銃を例に掲げていたが、本発明による銃は、銃の内部にある部品の動きを伝達することによりマガジン駆動部材を作動させるので、玩具銃が古いタイプのガスブローバック式のガス玩具銃であってもよい。ガス玩具銃は、トリガーを引くとガスバルブが開放され、固定されたシリンダー状の空間内にガスが流入する方式をとるものが多い。シリンダー状の空間内にはピストン状部材が配置されていて、ガス圧が高まるとピストン状部材が一定量だけ移動する。あるいは逆に、固定されたピストン状部材の外部で、シリンダー状部材が一定量だけ移動する方式のガス玩具銃もある。そして、ピストン状部材やシリンダー状部材が一定量だけ移動すると、ガスを排出する機構が働き、ピストン状部材やシリンダー状部材は初期位置に戻る。そのようなサイクルが繰り返されることで、連続射撃が可能になっている。ガス玩具銃においては、そのような、移動するピストン状部材や、移動するシリンダー状部材にマガジン駆動部材を連繋させれば、一定量の往復運動が得られるので、すでに説明してきたような、往復運動を回転運動に変換するシステムを組み込んで、マガジン側の連続給弾機構を機能させることができる。本発明によるマガジンは、銃側のマガジン駆動部材の配置位置と形状が同じに設計されたものであれば、電動玩具銃でもガス玩具銃でも、どちらに対しても同じマガジンを使用して、連続射撃を楽しむことができる。
第００３４項の全部や、この第０２６５項の初め部分において、本発明のガス玩具銃への応用の仕方を説明したが、請求項３８と請求項３９とを理解するのには不十分であるので、良く知られたガスブローバック式のガス玩具銃の構造を用いて、本発明の具体的な応用の仕方を示す。
図１１２は、本発明による第６１の実施例の略式構造説明図である。
移動部材１０２１は銃身の軸方向に沿って移動するように、銃の本体内部に配置されている。移動部材１０２１の前方先端部には、銃身やゴムパッキン収容部などを大きく囲むようなパイプ部１０２２が配置され、パイプ部１０２２の下部にはマガジン駆動部材１０２３が配置され、移動部材１０２１とパイプ部１０２２とマガジン駆動部材１０２３は一体となって往復運動を行う。マガジン１０２４は、図２０に示した実施例のマガジンと、基本的にはとてもよく似た構造を持っている。受動部材１０２５はマガジンの上部に配置されている。銃を作動させるためのガスは、矢印１０２６のようなイメージで、ガスパイプ１０２７を通って供給される。バルブユニット１０２８は閉じられているので、銃は作動しない。
図１１２では、初弾１０２９がゴムパッキン部１０３０に入っていない。銃にマガジンをセットした直後の状態である。
図１１３は、本発明による第６１の実施例の略式構造説明図である。初弾１０２９をゴムパッキン部１０３０に押し込む準備段階を示す。コッキングレバー１０３１を矢印１０３２の方向に引くと、コッキングレバー１０３１の先端下部にある突起１０３３が、移動部材１０２１の上方に位置する突起１０３４に引っ掛かり、移動部材１０２１が矢印１０３５の方向に後退する。そしてノズル部１０３６も後退する。マガジン駆動部材１０２３は矢印１０３７の方向に動き、受動部材１０２５を図のように押し下げる。マガジン１０２４の下方部分に配置された球状弾の送り出し機構によって球状弾が送り出され、初弾１０２９がゴムパッキン部１０３０の後方部に押し上げられる。
一方、畜力機構１０３８を伴ったハンマー部材１０３９は、移動部材１０２１によって矢印１０４０の方向に押し動かされ、一般的な銃のハンマーロック機構（図示しない）によりロックされる。
図１１４は、本発明による第６１の実施例の略式構造説明図である。初弾１０２９がゴムパッキン部１０３０に押し込まれた、初弾発射準備の完了状態を示す。コッキングレバー１０３１は矢印１０４１の方向に押し戻されている。移動部材１０２１も、バネ１０４２の働きによって初期位置まで、矢印１０４３の方向に押し戻されている。ハンマー部材１０３９は畜力された状態でロックされている。受動部材１０２５の基部は矢印１０４４の方向に押し戻されている。
図１１５は、本発明による第６１の実施例の略式構造説明図である。初弾が発射された状態を示す。トリガー１０４５が矢印１０４６の方向に引かれると、ハンマーロック機構が解除され、ハンマー部材１０３９は、畜力機構１０３８の働きによって矢印１０４７の方向に勢いよく動く。ハンマー部材１０３９の前方突起部がストライカー部材１０４８を打撃し、ストライカー部材１０４８は慣性を伴ってインパクトバルブ１０４９を前進させる。バルブユニット１０２８は開状態となり、ガスは矢印１０２６のようなイメージでガス通路を流れて銃身方向にガス流が集中し、初弾１０２９が矢印１０５０の方向に発射される。
図１１６は、本発明による第６１の実施例の略式構造説明図である。初弾が発射された後に、ノズル部材内に配置された移動弁が前方に移動して、銃身側へのガスの供給を遮断し、ガスブローバックが始まった状態を示す。ストライカー部材１０４８とインパクトバルブ１０４９は、慣性により前進した状態を保っており、バルブユニット１０２８は開状態のままである。移動弁１０５１は、弾丸の発射に伴った銃身側の圧力の低下により、前方に引っ張られるように移動して、銃身側へのガスの供給を遮断している。供給され続けるガス流は、ブローバック用の気室１０５２に入り、移動部材１０２１を矢印１０５３の方向に勢いよく押し下げ始める。そして移動部材１０２１は、ハンマー部材１０３９を矢印１０５４の方向に勢いよく押し下げ始める。
図１１７は、本発明による第６１の実施例の略式構造説明図である。ガスブローバックにより、移動部材１０２１が矢印１０５５の方向に最も後退した状態を示す。移動部材１０２１は、ハンマー部材１０３９を矢印１０５４の方向に最後まで押し下げロックさせる。畜力機構１０３８は畜力を完了する。ストライカー部材１０４８とインパクトバルブ１０４９は、それぞれに配置された戻しバネによって、初期位置に復帰しており、バルブユニット１０２８は閉状態になる。ノズル部材内に配置された移動弁１０５１も戻しバネによって後方に移動して、初期状態にある。ノズル部材の先端にあるノズル部１０３６も後退している。バルブユニット１０２８より前方にあるあらゆるガスの通路、気室が開放され、作動用ガスの全てが排出されているので、各部材の動きがガスによって妨げられることはない。移動部材１０２１の前方先端下部にあるマガジン駆動部材１０２３が矢印１０５６の方向に後退し、受動部材１０２５は矢印１０５７の方向に押し下げられる。マガジン１０２４の下方部分に配置された球状弾の送り出し機構によって球状弾が送り出され、第２弾１０５８がゴムパッキン部１０３０の後方部に押し上げられる。
図１１８は、本発明による第６１の実施例の略式構造説明図である。第２弾１０５８がゴムパッキン部１０３０に押し込まれた、第２弾発射準備の完了状態を示す。移動部材１０２１は、バネ１０４２の働きによって初期位置まで、矢印１０５９の方向に押し戻されている。ハンマー部材１０３９は畜力された状態でロックされている。図１１８の状態は、図１１４の状態と同じである。移動部材１０２１が前進を完了すると同時に、ハンマーロック機構が解除される方式のガスガンでは、トリガーを引いている間、ガスの供給が矢印１０２６のようなイメージで続く限り、図１１５から図１１８に至るサイクルが繰り返される。そのようなものはフルオートマシンガンと呼ばれ、良く知られている。小型のフルオートマシンガンでは、コッキングレバー１０３１が無く、突起１０３４が銃の外部に露出したものもある。突起１０３４をツマミ状にデザインし、一般にボルトと呼ばれる移動部材１０２１を直接作動させ、初弾の供給を行う。さらに小型の銃、オートピストルと呼ばれるような自動式拳銃では、移動部材１０２１はスライドと呼ばれる外装部材と一体なっており、スライドは銃の外部に全体的に露出している。第６１の実施例を請求項３８の代表例のひとつとして考え、請求項３８を具体的に記述すると次のようになる。ガス式エアガンであって、銃身の軸方向に沿って移動する移動部材１０２１を備え、ガス圧の供給と排出によって移動部材１０２１は往復運動をし、移動部材１０２１にマガジン駆動部材１０２３を連繋させ、マガジン駆動力を往復運動として出力することを特徴とする、請求項２記載の連続発射機能を有する玩具銃、という具合になる。
ここまでは主として請求項３８に係る説明であるが、次に請求項３９に係る説明を加える。
図１１９は、本発明による第６２の実施例の略式構造説明図である。銃本体の基本構造は、第６１の実施例とほとんど同じであるが、マガジン駆動部材が移動部材と一体ではない点が異なっている。作動の基本も、図１１２から図１１８に至る内容と同様であると考えてよい。図１１９において、マガジン駆動部材１０６０は、ストライカー部材１０６１と一体的に連繋されている。図１１９において、マガジン１０６２は図７９と全く同じマガジンを使用している。第６２の実施例を請求項３９の代表例のひとつとして考え、請求項３９を具体的に記述すると次のようになる。ガス式エアガンであって、銃身の軸方向に沿って移動する移動部材１０６３を備え、ガス圧の供給と排出によって移動部材１０６３は往復運動をし、移動部材１０６３の移動に伴って畜力をおこなう畜力機構１０６４を備え、畜力が開放されることによってインパクトバルブ１０６５をたたくストライカー部材１０６１を、シリンダー１０６６の外部に備える玩具銃において、ストライカー部材１０６１にマガジン駆動部材１０６０を連繋させ、マガジン駆動力を往復運動として出力することを特徴とする、請求項２記載の連続発射機能を有する玩具銃、という具合になる。なお第６２の実施例では、移動部材１０６３がピストンとなり、ノズル部材の後方部がシリンダー１０６６となっているが、ピストンとシリンダーの役割を逆転させているガスブローバック方式でも構わない。そもそも現在のガスブローバック機構は、今から１２年以上前、ウェスタン・アームス社が１９９３年ころに発明したものであり、発明当初の構造は、移動部材がシリンダーの役割を果たし、ノズル部材の後方部がピストンの役割を果たしていた。その後エアガンメーカーが競い合い、ピストンとシリンダーの役割を逆転させたりしている状況である。本発明はガスブローバック機構そのものに関するものではない。本発明がいずれの方式にも適用できることは言うまでもない。
【手続補正５】
【補正対象書類名】明細書
【補正対象項目名】０２６６
【補正方法】変更
【補正の内容】
【０２６６】
【図１】従来発明の公報をコピーし、数字などを修正した図である。
【図２】従来発明の公報をコピーし、数字などを修正した図である。
【図３】従来発明の公報をコピーし、数字などを修正した図である。
【図４】従来発明の公報をコピーし、数字などを修正した図である。
【図５】従来発明の公報をコピーし、数字などを修正した図である。
【図６】従来発明の公報をコピーし、数字などを修正した図である。
【図７】従来発明の公報をコピーし、数字などを修正した図である。
【図８】本発明による第１の実施例の略式構造説明図である。（１／３）
【図９】本発明による第１の実施例の略式構造説明図である。（２／３）
【図１０】本発明による第１の実施例の略式構造説明図である。（３／３）
【図１１】本発明による第２の実施例の略式構造説明図である。（１／４）
【図１２】本発明による第２の実施例の略式構造説明図である。（２／４）
【図１３】本発明による第２の実施例の略式構造説明図である。（３／４）
【図１４】本発明による第２の実施例の略式構造説明図である。（４／４）
【図１５】一般的なマガジンストッパーの構造説明図である。（１／２）
【図１６】一般的なマガジンストッパーの構造説明図である。（２／２）
【図１７】一般的なゼンマイ式マガジンの構造説明図である。（１／２）
【図１８】一般的なゼンマイ式マガジンの構造説明図である。（２／２）
【図１９】本発明を採用したマガジンの構造説明図である。（１／１）
【図２０】本発明による第３の実施例の略式構造説明図である。（１／３）
【図２１】本発明による第３の実施例の略式構造説明図である。（２／３）
【図２２】本発明による第３の実施例のマガジン外観図である。（３／３）
【図２３】本発明による第４の実施例の略式構造説明図である。（１／３）
【図２４】本発明による第４の実施例の略式構造説明図である。（２／３）
【図２５】本発明による第４の実施例のマガジン外観図である。（３／３）
【図２６】本発明による第５の実施例の略式構造説明図である。（１／２）
【図２７】本発明による第５の実施例の略式構造説明図である。（２／２）
【図２８】本発明による第６の実施例の略式構造説明図である。（１／２）
【図２９】本発明による第６の実施例の略式構造説明図である。（２／２）
【図３０】本発明による第７の実施例の略式構造説明図である。（１／２）
【図３１】本発明による第７の実施例の略式構造説明図である。（２／２）
【図３２】本発明による第８の実施例の略式構造説明図である。（１／１）
【図３３】本発明による第９の実施例の略式構造説明図である。（１／２）
【図３４】本発明による第９の実施例の略式構造説明図である。（２／２）
【図３５】本発明による第１０の実施例の略式構造説明図である。（１／２）
【図３６】本発明による第１０の実施例の略式構造説明図である。（２／２）
【図３７】本発明による第１１の実施例の略式構造説明図である。（１／３）
【図３８】本発明による第１１の実施例の略式構造説明図である。（２／３）
【図３９】本発明による第１１の実施例のマガジン外観図である。（３／３）
【図４０】本発明による第１２の実施例の略式構造説明図である。（１／１）
【図４１】本発明による第１３の実施例の略式構造説明図である。（１／１）
【図４２】本発明による第１４の実施例の略式構造説明図である。（１／４）
【図４３】本発明による第１４の実施例の略式構造説明図である。（２／４）
【図４４】本発明による第１４の実施例のマガジン外観図である。（３／４）
【図４５】本発明による第１４の実施例の略式構造説明図である。（４／４）
【図４６】本発明による第１５の実施例の略式構造説明図である。（１／１）
【図４７】本発明による第１６の実施例の略式構造説明図である。（１／１）
【図４８】本発明による第１７の実施例の略式構造説明図である。（１／１）
【図４９】本発明による第１８の実施例の略式構造説明図である。（１／２）
【図５０】本発明による第１８の実施例の略式構造説明図である。（２／２）
【図５１】本発明による第１９の実施例の略式構造説明図である。（１／１）
【図５２】本発明による第２０の実施例の略式構造説明図である。（１／１）
【図５３】本発明による第２１の実施例の略式構造説明図である。（１／１）
【図５４】本発明による第２２の実施例の略式構造説明図である。（１／１）
【図５５】本発明による第２３の実施例の略式構造説明図である。（１／１）
【図５６】本発明による第２４の実施例の略式構造説明図である。（１／１）
【図５７】本発明による第２５の実施例の略式構造説明図である。（１／２）
【図５８】本発明による第２５の実施例の部分説明図である。（２／２）
【図５９】本発明による第２６の実施例の部分説明図である。（１／２）
【図６０】本発明による第２６の実施例の部分説明図である。（２／２）
【図６１】本発明による第２７の実施例の部分説明図である。（１／１）
【図６２】本発明による第２８の実施例の部分説明図である。（１／１）
【図６３】本発明による第２９の実施例の略式構造説明図である。（１／１）
【図６４】本発明による第３０の実施例の略式構造説明図である。（１／１）
【図６５】本発明による第３１の実施例の略式構造説明図である。（１／１）
【図６６】本発明による第３２の実施例の略式構造説明図である。（１／１）
【図６７】本発明による第３３の実施例の略式構造説明図である。（１／１）
【図６８】本発明による第３４の実施例の略式構造説明図である。（１／１）
【図６９】本発明による第３５の実施例の略式構造説明図である。（１／１）
【図７０】本発明による第３６の実施例の略式構造説明図である。（１／１）
【図７１】本発明による第３７の実施例の略式構造説明図である。（１／１）
【図７２】本発明による第３８の実施例の略式構造説明図である。（１／１）
【図７３】本発明による第３９の実施例の略式構造説明図である。（１／１）
【図７４】本発明による第４０の実施例の略式構造説明図である。（１／１）
【図７５】本発明による第４１の実施例の略式構造説明図である。（１／１）
【図７６】本発明による第４２の実施例の略式構造説明図である。（１／１）
【図７７】本発明による第４３の実施例の略式構造説明図である。（１／３）
【図７８】本発明による第４３の実施例の略式構造説明図である。（２／３）
【図７９】本発明による第４３の実施例の略式構造説明図である。（３／３）
【図８０】本発明による第４４の実施例の略式構造説明図である。（１／７）
【図８１】本発明による第４４の実施例の略式構造説明図である。（２／７）
【図８２】本発明による第４４の実施例の略式構造説明図である。（３／７）
【図８３】本発明による第４４の実施例の略式構造説明図である。（４／７）
【図８４】本発明による第４４の実施例の略式構造説明図である。（５／７）
【図８５】本発明による第４４の実施例の略式構造説明図である。（６／７）
【図８６】本発明による第４４の実施例の略式構造説明図である。（７／７）
【図８７】本発明による第４５の実施例の略式構造説明図である。（１／２）
【図８８】本発明による第４５の実施例の略式構造説明図である。（２／２）
【図８９】本発明による第４６の実施例の略式構造説明図である。（１／１）
【図９０】本発明による第４７の実施例の略式構造説明図である。（１／１）
【図９１】本発明による第４８の実施例の略式構造説明図である。（１／１）
【図９２】本発明による第４９の実施例の略式構造説明図である。（１／１）
【図９３】本発明による第５０の実施例の略式構造説明図である。（１／１）
【図９４】本発明による第５１の実施例の略式構造説明図である。（１／２）
【図９５】本発明による第５１の実施例の略式構造説明図である。（２／２）
【図９６】本発明による第５２の実施例の略式構造説明図である。（１／２）
【図９７】本発明による第５２の実施例の略式構造説明図である。（２／２）
【図９８】本発明による第５３の実施例の略式構造説明図である。（１／２）
【図９９】本発明による第５３の実施例の略式構造説明図である。（２／２）
【図１００】本発明による第５４の実施例の略式構造説明図である。（１／２）
【図１０１】本発明による第５４の実施例の略式構造説明図である。（２／２）
【図１０２】本発明による第５５の実施例の略式構造説明図である。（１／１）
【図１０３】本発明による第５６の実施例の略式構造説明図である。（１／２）
【図１０４】本発明による第５６の実施例の略式構造説明図である。（２／２）
【図１０５】本発明による第５７の実施例の略式構造説明図である。（１／２）
【図１０６】本発明による第５７の実施例の略式構造説明図である。（２／２）
【図１０７】本発明による第５８の実施例の略式構造説明図である。（１／２）
【図１０８】本発明による第５８の実施例の略式構造説明図である。（２／２）
【図１０９】本発明による第５９の実施例の略式構造説明図である。（１／２）
【図１１０】本発明による第５９の実施例の略式構造説明図である。（２／２）
【図１１１】本発明による第６０の実施例の略式構造説明図である。（１／１）
【図１１２】本発明による第６１の実施例の略式構造説明図である。（１／７）
【図１１３】本発明による第６１の実施例の略式構造説明図である。（２／７）
【図１１４】本発明による第６１の実施例の略式構造説明図である。（３／７）
【図１１５】本発明による第６１の実施例の略式構造説明図である。（４／７）
【図１１６】本発明による第６１の実施例の略式構造説明図である。（５／７）
【図１１７】本発明による第６１の実施例の略式構造説明図である。（６／７）
【図１１８】本発明による第６１の実施例の略式構造説明図である。（７／７）
【図１１９】本発明による第６２の実施例の略式構造説明図である。（１／１）
【手続補正６】
【補正対象書類名】明細書
【補正対象項目名】０２６７
【補正方法】変更
【補正の内容】
【０２６７】
凹凸部１、６、７８、７９、、８４１、８４２
凸部５６、１１３、１８７、２２１、２２２、２４５、２４９、８６７Ａ、８６７Ｂ
凹部１６、６２・・・突起４８、１０９
ピストン２、７４、１４５、１６５、１８６、７８５、８３６、８４９、８６６、８９５、９１７、９５１
スプリング３、１２、７５、８４、１８２
シリンダー５、７７、１８９、、６４９、７８８、８８６、８９１、９０９、９４６
シリンダーヘッド２０、１９０、７８９、９１０、９４５
パッキン４、１８、７３、７６、９１４、９５６
バレルパッキン５２、６８３、８７３、９０４、９２５
モーター８、８１・・・ギアボックス１０・・・バレル５３
ノズル部材１９、１６７、１９１、６８２、７９０、８１９、８２６、８４８
ノズルユニット１５、１６６、６５２
アッパーフレーム２１・・・ロアーフレーム２２・・・固定用基部２３
回転駆動部材７、８０、１４７、１６２、１９７、２２９、２４２、２６７、３１０、３２５、３３７、３５７、３７２、４０９、４５９、４９５、５１５、５２６、５５２、６０１、６５４、７０３、７７９、８０２、８１２、８２７、８３９、８６０、８６８、８９９、９１８
マガジン駆動部材２６、８９、１３５、１６１、１８１、１９２、２１４、２２４、２４１、２５１、２５７、２７４、３００、３０８、３１５、３３５、３５５、３７０、３９４、４０７、４１５、４１９、４２６、４３８、４４５、４５３、４６４、４８７、４９７、５０８、５２１、５５７、５６１、５６４、５６８、５７３、６４８、６８６、７７６、７９１、８０７、８２１、８３５、８５２、８７５、８８８、８９３、９１５、９４８
受動部材２８、９１、１３７、１６８、１８０、２００、２１３、２１７、２２６、２３９、２４７、２５８、２７３、２７５、２８７、２９７、３０７、３１３、３１６、３３６、３５６、３７１、３９５、４０８、４１６、４２０、４３３、４３９、４４６、４５２、４７１、４８９、４９９、５０９、５２８、５５８、５６２、５６６、５６９、５９８、６６０、６９１、６９６、７１２、７２２、７３１、７３９、７７０、７９５、８０８、８２２、８３０、８４５、８８１、８９４、９３２、９５４
受動部材基部２９、９２、２５９、２７６、３１７、４５４、４６９、４７２、４８３、５０１、５４８、６６３、７６７、８８２、９３３
カム接触部材１３、８５、１３４Ｂ、１６４、１８３、１９４、２３６、６５７、７９３、８１４、９２９
アーム部材８７、１３４Ａ、１９３、２２０、２５３、３０２、３０９、３５９、３７４、４１１、４２１、４２９、４４０、４４７、４６７、５１１、５７４、６５０、６８８、７９２、９２０
マガジン２７、９０、１３６、２０２、２５５、２８４、３３２、３９６、４１７、５９６、６２０、６２３、６４４、６４７、６９４、７０５、７０９、７５３、７５３Ａ、７５３Ｂ、７９７、８２０、８３２、８５７、８８０、８９０、９３１、９５０
カム部１１、１６３、１８４、、６０３、６５６
係合部凸１７、７１、６５１、６５３
レール部３１、９４、２４８、２６０、２６１、４５６、６６４
クランク３５、９８、２５０、２９９・・・・ラック部４６
ラチェット押しバー３４、９７、１４２、２０３、２９６
駆動用ラチェット３６、９９、１３１、１５４、１７６、２１０、２１５
停止用ラチェット４４
矢印９、１４、３３、３８、４１、４５、５０、５４、５５、５７、５８、５８ｂ、６４、６５、６６、６７、８２、８６、９６、１０１、１０４、１０８、１１１、１１４、１１５、１１６、１１９、１２２、１２５、１２６、１２８、１２９、１３０、１３２、１４１、１４８、１５１、１５２、１５３、１６０、１６９、１７０、１７１、１７５、１７７、１７９、１８５、２０６、２０８、２０９、２１１、２１６、２２８、２３０、２３１、２３２、２３３、２３８、２４３、２４６、２５６Ａ、２５６Ｂ、２６３、２６５、２６８、２７１、２８０、２８２、２８３、２８５、２８６、２９０、２９２、３０５、３０６、３１１、３１２、３２６、３２７、３２８、３３０、３３３、３３４、３３８、３４６、３４７、３４８、３５０、３５８、３６２、３６３、３６５、３７３、３９１、３９７、４１０、４１８、４２３、４２４、４３１、４３２、４３４、４３５、４３６、４３７、４４３、４４４、４５０、４５１、４６０、４６１、４６２、４６３、４７８、４７９、４８２、４８８、４９０、４９２、４９６、４９８、５００、５１６、５１７、５１８、５２７、５４０、５４７、５８６、５８８、５９７、６０２、６０４、６０５、６０６、６０７、６０９、６１０、６１１、６１２、６１５、６１７、６２２、６２４、６２５、６２７、６２９、６３０、６３１、６３４、６３５、６４２、６４６、６５５、６５９、６６７、６７２、６７４、６８０、６８１、６８４、６８５、６９０、６９７、６９８、７００、７０２、７０６、７１０、７１１、７１８、７１９、７２０、７２１、７２５、７２６、７２７、７２９、７３５、７３６、７３８、７４０、７４２、７４４、７４９、７５２、７５６、７５８、７６０、７６２、７７２、７７３、７７５、７７８、７８０、７８１、８００、８０３、８０４、８０５、８０９、８１１、８１３、８１５、８１７、８２８、８２９、８３１、８４０、８４４、８４６、８４７、８５９、８６２、８６３、８６４、８６９、８７１、８７４Ａ、８７４Ｂ、８７４Ｃ、８９１、８９２、９００、９０２、９０５、９０６、９０８、９１９、９２３、９２７、９２８、９４１、９４２、９４３、９５２、９５３
バネ３２、３７、３９、４０、４３、７２、９５、１００、１０２、１０３、１０７、１１０、１２１、１３３、１４０、１４４、１９５、２０５、２２７、２３７、２５２、２６２、２７０、２７７、２７９、２８９、２９５、２９８、３１４、３１９、３２２、３２４、３９３、４４２、４４９、４５５、５５０、５７８、５８５、５８７、６１８、６３２、６４１、６５８、６６２、６６６、６７１、６７５、６７９、６８９、６９３、６９５、７６３、７６５、７７４、７９４、７９９、８２４、８４３、８５０、８５４、８７７、８８４、８９６、９１６、９２２、９３８、９３９
ピン２４、２５、、４２８、４８４、５８３、５８４、５９１、７３４
軸３０、９３、２０１、２０４、２２３、２４０、２６９、２７８、２８８、３０１、３１８、３２１、３２３、３３９、３４４、４２７、４９１、５７６、５９２、６００、６６１、６７０、６７８、６９２、７６８、７９６、８２３、８８３、９０７、９３４
ストッパー４２、４９、１０６、１２０、１８８、１９６、２８１、２９１、５７９、５８１、６０８、７８７、８７８、８９７、９４０
銃本体６１９、６４３、７０７、７５４、８３３、８５５、８７９、８９８、９１１、９４７
球状弾５１、６９、１１２、１１８、１５７、１５８、１５９、２０７、６２１、６４５、７８２、７８４、８０１、８０６、８１８、８２５、８７２、９０３、９２６、９３０
クッション部材７０、８５１、９５５
カムピン８３、１４９、１９８、５１４、５２５、９２１
給弾用ノズル部材８８、１４６、、６８７、７７７、８７０、９０１、９２４
スプロケット５９、１１７、１７８、２１２、３６４、４８１、６３６
ゼンマイバネ６０、３８４、６３８・・・・ゼンマイバネ軸部材３８３ 
長穴４３０、４８６、５８９、７３２、８８７、８９２
中心軸６３、６３９、７１７、７３０、７５０
シャフト４１４、５２０、５３０、５３９、５６０
ラチェット２６６、３２９、６１６、６４０、６７３、７０１、７５７、７６１、８１０、９３７
ラチェットフック２６４、３２０、６１４、６６９、６７７、６９９、７５５、７５９、８１６
ラチェットフック基部６６８、６７６、７６４、７６６
ラチェットアーム３４３、３８０、４７６、７１６、７５１
ラチェット押しバー基部１０５
シャフト３５４、３６９、３７９、３８２、３８６、４０３、４１４、５３９、５４２、５４４、５５６
プーリー３４０、３４２、４０２、５０５、５０７、５６７
ベルト３４１、４０１、５０６、５７２
アーム部２９３、４７３、５０２、７７１、７９８、９３５
ガイド部材１３８、１３９、１７３、１７４
ラックギア３６０、３７５、４１２、４５７、４７０、４７４、４９３、７１３、７２３
ピニオンギア３６６、３９２、４０５、５０４、５４６
ピニオン・スパーギア３５１、３６１、５６３、５６５
スパーギア４７、３４５、３４９、４５８、４７５、４８０、５５１、５５３、７１４、７１５、７２４、７２８、７３７、７４３、７４６、７４７
第２スパーギア３９９
ベベルギア３５２、３５３、３６７、３６８、３７８、、５４３、５４５、５５５
ピニオン・ベベルギア５５４
プーリー付きスパーギア５７０・・・プーリー付きベベルギア５７１
中間ギア４１３、４７７・・・欠歯ギア４９４
扇形ラックギア４８５、５０３・・・扇形ギア７３３、７４１、７４５
先端部１２４、５９４、７０４
後端部５９３、８３７、８６１、８７６、８８９、９４９
端部２４４・・・上方端部３０４・・・端面部５９５・・・外側端６１
下方部端面６２６、７０８・・・後方部端面６２８
Ａガイド溝１４３・・・Ｂガイド溝１７２・・・・ガイド溝６６５
カム部材５１０、５２３・・・カムピンベース部材５１２、５２２
カム溝５１３、５２４
排気パイプ９１２、９４４・・・排気パイプ基部９１３
畜力機構４００、５１９、５２９、５３６、５５９
一方向クラッチ機構３９８、４２５、５３５
リブ１９９・・・回転体２２５・・・
パイプ部１２３・・・排出口４２２、４４１、４４８、６３７
噛み込み防止部材１２７・・・平行移動部材２９４、７４８
支持部材５７５、７６９・・・中間部材６１３・・・連結部材８３８
スクリュー４０４・・・縦型スクリュー５３８・・・横型スクリュー５４１
スクリューピンベース部材５３１、５４９・・・プッシュプレート６３３
スクリュー部材５３２・・・スクリュー溝５３３・・・スクリューピン５３４
フック部材５７７・・・フック後端部３０３・・・先端フック部８８５、９３６
プロペラ３８７・・・分離ツメ３８８・・・搬送路３８９、４０６
空間部１５５、１５６・・・支持部２３５・・・抜け止め部２５４、４６８
基準中心線２３４・・・受動部材体２７２、３３１・・・
アーム２１８、２１９・・・ふた５３７・・・ピストンエンド７８６
カップリング３８１、３８５・・・解除ツマミ３９０
傾斜部５８０・・・窓部５９９、８５８・・・ストライカー５８２
方向変換部材５９０・・・位置決め部材７８３・・・増量部材８６５
マガジンキャッチ端面部８３４、８５６・・・ガイド壁８５３
マガジン本体１００１・・・収納部１００２・・・スプロケット１００３・・・案内壁１００４・・・ストッパー部材１００５・・・マガジン本体１００６・・・収納部１００７・・・スプロケット１００８・・・案内壁１００９・・・ストッパー部材１０１０・・・アーム部材１０１１・・・先端部１０１２・・・回転部材１０１３・・・センサー部材１０１４・・・スイッチ１０１５・・・マガジン本体１０１６・・・収納部１０１７・・・カップリング１０１８・・・スクリューコンベア１０１９・・・モータ１０２０
移動部材１０２１・・・パイプ部１０２２・・・マガジン駆動部材１０２３・・・マガジン１０２４・・・受動部材１０２５・・・ 矢印１０２６・・・ガスパイプ１０２７・・・バルブユニット１０２８・・・初弾１０２９・・・ゴムパッキン部１０３０・・・コッキングレバー１０３１・・・矢印１０３２・・・突起１０３３・・・突起１０３４・・・矢印１０３５・・・ノズル部１０３６・・・矢印１０３７・・・畜力機構１０３８・・・ハンマー部材１０３９・・・矢印１０４０・・・矢印１０４１・・・バネ１０４２・・・矢印１０４３・・・矢印１０４４・・・トリガー１０４５・・・矢印１０４６・・・矢印１０４７・・・ストライカー部材１０４８・・・インパクトバルブ１０４９・・・矢印１０５０・・・移動弁１０５１・・・ 気室１０５２・・・矢印１０５３・・・矢印１０５４・・・矢印１０５５・・・矢印１０５６・・・矢印１０５７・・・第２弾１０５８・・・矢印１０５９・・・マガジン駆動部材１０６０・・・ストライカー部材１０６１・・・マガジン１０６２・・・移動部材１０６３・・・畜力機構１０６４・・・インパクトバルブ１０６５・・・シリンダー１０６６
【手続補正７】
【補正対象書類名】図面
【補正対象項目名】図６
【補正方法】変更
【補正の内容】
【図６】
2006234191.tif 000114
【手続補正８】
【補正対象書類名】図面
【補正対象項目名】図１１２
【補正方法】追加
【補正の内容】
【図１１２】
2006234191.tif 000115
【手続補正９】
【補正対象書類名】図面
【補正対象項目名】図１１３
【補正方法】追加
【補正の内容】
【図１１３】
2006234191.tif 000116
【手続補正１０】
【補正対象書類名】図面
【補正対象項目名】図１１４
【補正方法】追加
【補正の内容】
【図１１４】
2006234191.tif 000117
【手続補正１１】
【補正対象書類名】図面
【補正対象項目名】図１１５
【補正方法】追加
【補正の内容】
【図１１５】
2006234191.tif 000118
【手続補正１２】
【補正対象書類名】図面
【補正対象項目名】図１１６
【補正方法】追加
【補正の内容】
【図１１６】
2006234191.tif 000119
【手続補正１３】
【補正対象書類名】図面
【補正対象項目名】図１１７
【補正方法】追加
【補正の内容】
【図１１７】
2006234191.tif 000120
【手続補正１４】
【補正対象書類名】図面
【補正対象項目名】図１１８
【補正方法】追加
【補正の内容】
【図１１８】
2006234191.tif 000121
【手続補正１５】
【補正対象書類名】図面
【補正対象項目名】図１１９
【補正方法】追加
【補正の内容】
【図１１９】
2006234191.tif 000122